(57)【要約】  複数の埋設表面フィーチャを備えたフロント光ガイドパネルが提供される。フロント光パネルは、フロント光パネルの一方の側に配置されている人工光源から、フロント光ガイドの背面に配置されているディスプレイエレメントのアレイに一様な照明を引き渡し、かつ、光ガイドパネルを通って伝搬する周辺照明からの照明のオプションを許容するように構成されている。表面埋設表面レリーフフィーチャによって光ガイドパネル内に空気ポケットが生成される。光ガイドの側面に入射した光は、空気ポケットの一方の空気／光材料ガイド界面に衝突するまで光ガイドを通って伝搬する。光は、次に、大きい角度で内部全反射して方向転換し、ディスプレイエレメントのアレイの前面に配置された射出面から射出する。
2010526341.tif 000002
【特許請求の範囲】
【請求項１】
頂部表面および底部表面を有する上部部分であって、前記上部部分の前記底部表面に輪郭が付けられた上部部分と、
頂部表面および底部表面を有する下部部分であって、前記下部部分の前記頂部表面に輪郭が付けられた下部部分と
を備えた光ガイドであって、前記上部部分が、前記上部部分の前記輪郭が付けられた底部表面および前記下部部分の前記輪郭が付けられた頂部表面が前記上部部分と前記下部部分の間に空胴を形成するように前記下部部分の上に配置された光ガイド。
【請求項２】
前記上部部分および下部部分が、輪郭が付けられた、表面レリーフフィーチャがインプリントされた表面を有する膜を備えた、請求項１に記載の光ガイド。
【請求項３】
前記表面レリーフフィーチャが複数の細長いマイクロプリズムを備えた、請求項２に記載の光ガイド。
【請求項４】
前記マイクロプリズムが、それぞれ、互いに角度が付けられた少なくとも２つの隣接するファセットを備えた、請求項３に記載の光ガイド。
【請求項５】
前記少なくとも２つの隣接するファセットが前記膜に対して異なる傾斜角を有する、請求項４に記載の光ガイド。
【請求項６】
前記傾斜角が前記膜の長さに沿って変化する、請求項５に記載の光ガイド。
【請求項７】
前記２つの隣接するファセットが湾曲した表面を備えた、請求項４に記載の光ガイド。
【請求項８】
前記マイクロプリズムが２つの面を備え、個々の面が多重ファセット化された、請求項４に記載の光ガイド。
【請求項９】
表面レリーフフィーチャ間の距離が５０ミクロンから４５０ミクロンの範囲に及ぶ、請求項２に記載の光ガイド。
【請求項１０】
隣接する表面レリーフフィーチャ間の距離が前記膜の長さに沿って変化する、請求項２に記載の光ガイド。
【請求項１１】
前記上部部分および下部部分が、光を注入することができる縁を備え、隣接する表面レリーフフィーチャ間の前記距離が前記縁からの距離が長くなるにつれて短くなる、請求項１０に記載の光ガイド。
【請求項１２】
前記光ガイドが光を注入することができる縁を備え、前記注入される光が前記空胴で前記光ガイドから散乱する、請求項１に記載の光ガイド。
【請求項１３】
前記空胴が空気ポケットを備えた、請求項１に記載の光ガイド。
【請求項１４】
前記空気ポケットが非対称である、請求項１３に記載の光ガイド。
【請求項１５】
前記空胴に充填材が充填された、請求項１に記載の光ガイド。
【請求項１６】
前記光ガイドが光を注入することができる縁を備え、前記縁に隣接して配置された光源をさらに備えた、請求項１に記載の光ガイド。
【請求項１７】
前記光源からの光が前記空胴表面によって前記下部部分の前記底部表面から散乱する、請求項１６に記載の光ガイド。
【請求項１８】
前記上部部分の前記輪郭が付けられた底部表面および前記下部部分の前記輪郭が付けられた頂部表面が複数の細長い溝を備えた、請求項１に記載の光ガイド。
【請求項１９】
前記複数の溝が傾斜した平らな表面を備えた、請求項１８に記載の光ガイド。
【請求項２０】
前記上部部分の前記底部表面の前記複数の溝のうちの少なくともいくつかが同じ形状を有し、あるいは前記下部部分の前記頂部表面の前記複数の溝のうちの少なくともいくつかが同じ形状を有する、請求項１８に記載の光ガイド。
【請求項２１】
前記複数の溝が非対称である、請求項１８に記載の光ガイド。
【請求項２２】
前記複数の溝と溝の間の距離が前記膜の長さ全体にわたって変化する、請求項１８に記載の光ガイド。
【請求項２３】
前記複数の溝と溝の間の前記距離が５０ミクロンから４５０ミクロンの範囲に及ぶ、請求項１８に記載の光ガイド。
【請求項２４】
前記上部部分の前記頂部表面と前記下部部分の前記底部表面が平行である、請求項１に記載の光ガイド。
【請求項２５】
前記上部部分の前記頂部表面の第１の部分と前記下部部分の前記底部表面の第１の部分が平行ではない、請求項１に記載の光ガイド。
【請求項２６】
前記上部部分の前記頂部表面の第２の部分と前記下部部分の前記底部表面の第２の部分が平行である、請求項２５に記載の光ガイド。
【請求項２７】
前記上部部分の前記頂部表面と前記下部部分の前記底部表面が平行ではない、請求項１に記載の光ガイド。
【請求項２８】
ディスプレイエレメントのアレイと、
前記ディスプレイエレメントと電気通信しているプロセッサであって、イメージデータを処理するように構成されたプロセッサと、
前記プロセッサと電気通信しているメモリ素子と
をさらに備えた、請求項１に記載のデバイス。
【請求項２９】
前記ディスプレイエレメントに少なくとも１つの信号を送信するように構成されたドライバ回路をさらに備えた、請求項２８に記載のデバイス。
【請求項３０】
前記ドライバ回路に前記イメージデータの少なくとも一部を送信するように構成されたコントローラをさらに備えた、請求項２９に記載のデバイス。
【請求項３１】
前記プロセッサに前記イメージデータを送信するように構成されたイメージソースモジュールをさらに備えた、請求項２８に記載のデバイス。
【請求項３２】
前記イメージソースモジュールが、レシーバ、トランシーバおよびトランスミッタのうちの少なくとも１つを備えた、請求項３１に記載のデバイス。
【請求項３３】
入力データを受け取り、かつ、前記入力データを前記プロセッサに通信するように構成された入力デバイスをさらに備えた、請求項２８に記載のデバイス。
【請求項３４】
頂部表面および底部表面を有するカバー層と、
頂部表面および底部表面を有する膜であって、前記膜の前記頂部表面に輪郭が付けられた膜と、
頂部表面および底部表面を有する光ガイドプレートと
を備えた光ガイドであって、
前記カバー層が、前記カバー層の前記底部表面および前記膜の輪郭が付けられた前記頂部表面が前記カバー層と前記膜の間に空胴を形成するように前記膜の上に配置され、
前記膜が前記カバー層と前記光ガイドプレートの間に配置された光ガイド。
【請求項３５】
前記膜が、複数の表面レリーフフィーチャがインプリントされた頂部表面を備えた、請求項３４に記載の光ガイド。
【請求項３６】
前記複数の表面レリーフフィーチャが細長いマイクロプリズムを備えた、請求項３５に記載の光ガイド。
【請求項３７】
前記複数の表面レリーフフィーチャが互いに角度が付けられた少なくとも２つの隣接するファセットを備えた、請求項３６に記載の光ガイド。
【請求項３８】
前記少なくとも２つの隣接するファセットが前記膜に対して異なる傾斜角を有する、請求項３７に記載の光ガイド。
【請求項３９】
前記傾斜角が前記膜の長さに沿って変化する、請求項３８に記載の光ガイド。
【請求項４０】
前記２つの隣接するファセットが湾曲した表面を備えた、請求項３７に記載の光ガイド。
【請求項４１】
前記マイクロプリズムが多重ファセット化された隣接する面を備えた、請求項３７に記載の光ガイド。
【請求項４２】
前記ファセットがその上に反射コーティングを有する、請求項３７に記載の光ガイド。
【請求項４３】
表面レリーフフィーチャ間の距離が５０ミクロンから４５０ミクロンの範囲に及ぶ、請求項３４に記載の光ガイド。
【請求項４４】
表面レリーフフィーチャ間の距離が前記膜の幅に沿って変化する、請求項３４に記載の光ガイド。
【請求項４５】
前記膜が光を注入することができる縁を備え、表面レリーフフィーチャ間の前記距離が前記縁からの距離が長くなるにつれて短くなる、請求項４４に記載の光ガイド。
【請求項４６】
前記光ガイドが光を注入することができる縁を備え、前記注入される光が前記空胴で前記光ガイドから散乱する、請求項３５に記載の光ガイド。
【請求項４７】
前記空胴が空気ポケットを備えた、請求項３４に記載の光ガイド。
【請求項４８】
前記空気ポケットが非対称である、請求項４７に記載の光ガイド。
【請求項４９】
前記空胴に充填材が充填された、請求項３４に記載の光ガイド。
【請求項５０】
前記充填材が反射型である、請求項４９に記載の光ガイド。
【請求項５１】
前記光ガイドが光を注入することができる縁を備え、前記縁に隣接して配置された光源をさらに備えた、請求項３４に記載の光ガイド。
【請求項５２】
前記膜、前記光ガイドおよび前記カバー層が同じ屈折率を有する、請求項３４に記載の光ガイド。
【請求項５３】
前記光ガイドプレートがディスプレイエレメントのアレイの上に配置され、前記光ガイドプレートが前記カバー層より前記ディスプレイエレメントの方に近い、請求項３４に記載の光ガイド。
【請求項５４】
前記カバー層がディスプレイエレメントのアレイの上に配置され、前記カバー層が前記光ガイドプレートより前記ディスプレイエレメントの方に近い、請求項３４に記載の光ガイド。
【請求項５５】
前記カバー層がディスプレイエレメントのアレイを備えた、請求項３４に記載の光ガイド。
【請求項５６】
前記カバー層の前記頂部表面と前記光ガイドプレートの前記底部表面が平行である、請求項３４に記載の光ガイド。
【請求項５７】
前記カバー層の前記頂部表面の第１の部分と前記光ガイドプレートの前記底部表面の第１の部分が平行ではない、請求項３４に記載の光ガイド。
【請求項５８】
前記カバー層の前記頂部表面の第２の部分と前記光ガイドプレートの前記底部表面の第２の部分が平行である、請求項５７に記載の光ガイド。
【請求項５９】
前記カバー層の前記頂部表面と前記光ガイドプレートの前記底部表面が平行ではない、請求項３４に記載の光ガイド。
【請求項６０】
平らな表面を有するカバー層と、
第１および第２の表面を有する膜であって、前記第１の表面が複数の凹状表面レリーフフィーチャを備え、前記第２の表面が平らである膜と、
平らな頂部表面および底部表部を有する光ガイドプレートと
を備えた光ガイドであって、
前記膜が、前記平らな第２の表面と前記光ガイドプレートが隣接し、かつ、前記第１の表面の前記凹状表面レリーフフィーチャが前記光ガイドプレートの反対側に位置するように前記光ガイドプレートの上に配置され、
前記カバー層が、前記カバー層の前記平らな表面および前記膜の前記凹状表面フィーチャが前記カバー層と前記膜の間に空胴を形成するように前記膜に隣接して配置された光ガイド。
【請求項６１】
前記複数の凹状表面フィーチャが細長いマイクロプリズムを備えた、請求項６０に記載の光ガイド。
【請求項６２】
前記複数の凹状表面レリーフフィーチャが互いに角度が付けられた少なくとも２つの隣接するファセットを備えた、請求項６１に記載の光ガイド。
【請求項６３】
前記少なくとも２つの隣接するファセットが互いに異なる傾斜角を有する、請求項６２に記載の光ガイド。
【請求項６４】
前記複数の凹状表面レリーフフィーチャが２つの垂直ファセットを備えた、請求項６１に記載の光ガイド。
【請求項６５】
前記２つの隣接するファセットが湾曲した表面を備えた、請求項６２に記載の光ガイド。
【請求項６６】
前記マイクロプリズムが多重ファセット化された隣接する面を備えた、請求項６１に記載の光ガイド。
【請求項６７】
前記複数の凹状表面フィーチャがその上に反射コーティングを有する、請求項６０に記載の光ガイド。
【請求項６８】
前記空胴が空気ポケットを備えた、請求項６０に記載の光ガイド。
【請求項６９】
前記空胴に充填材が充填された、請求項６０に記載の光ガイド。
【請求項７０】
前記充填材が反射型である、請求項６９に記載の光ガイド。
【請求項７１】
前記膜が前記光ガイドプレートの前記平らな頂部表面に配置された、請求項６０に記載の光ガイド。
【請求項７２】
前記膜が前記光ガイドプレートの前記平らな底部表面に配置された、請求項６０に記載の光ガイド。
【請求項７３】
前記カバー層がディスプレイエレメントのアレイの上に配置された、請求項６０に記載の光ガイド。
【請求項７４】
前記カバー層がディスプレイエレメントのアレイを備えた、請求項６０に記載の光ガイド。
【請求項７５】
前記カバー層が平らな頂部表面および底部表面を有する膜を備えた、請求項６０に記載の光ガイド。
【請求項７６】
前記膜、カバー層および光ガイドプレートが同じ屈折率を有する、請求項６０に記載の光ガイド。
【請求項７７】
前記光ガイドが光を注入することができる縁を備え、前記注入される光が前記空胴で前記光ガイドから散乱する、請求項６０に記載の光ガイド。
【請求項７８】
前記複数の凹状表面レリーフフィーチャが、前記縁を介して注入される光が前記空胴で屈折するように互いに角度が付けられた少なくとも２つの隣接するファセットを備えた、請求項７７に記載の光ガイド。
【請求項７９】
前記複数の凹状表面レリーフフィーチャが、前記縁を介して注入される光が前記空胴で内部全反射して方向転換するように互いに角度が付けられた少なくとも２つの隣接するファセットを備えた、請求項７７に記載の光ガイド。
【請求項８０】
前記カバー層が、
前記平らな表面の反対側に配置された観察面
をさらに備えた、請求項６０に記載の光ガイド。
【請求項８１】
前記観察面が平らである、請求項８０に記載の光ガイド。
【請求項８２】
前記観察面が平らではない、請求項８１に記載の光ガイド。
【請求項８３】
光を誘導するための第１の手段と、
光を誘導するための第２の手段であって、前記第１および第２の光誘導手段がそれぞれ前記第１および第２の光誘導手段を一体に整合させるための手段を有する手段と
を備えた光ガイドであって、
前記第１および第２の光誘導手段の両方のための前記整合手段が、前記第１および第２の光誘導手段が一体に整合されると、それらの間に光を反射させるための手段が形成されるように輪郭が付けられた光ガイド。
【請求項８４】
前記第１の光誘導手段が前記光ガイドの上部部分を備え、前記第２の光誘導手段が前記光ガイドの下部部分を備えた、請求項８３に記載の光ガイド。
【請求項８５】
前記第１の光誘導手段の前記整合手段が前記上部部分の底部表面を備え、前記第２の光誘導手段の前記整合手段が前記下部部分の頂部表面を備えた、請求項８４に記載の光ガイド。
【請求項８６】
前記反射手段が光空胴を備えた、請求項８５に記載の光ガイド。
【請求項８７】
前記第１の誘導手段が頂部表面および底部表面を備え、前記第２の誘導手段が頂部表面および底部表面を備え、前記第１の誘導手段の前記底部表面が前記第２の誘導手段の前記頂部表面に隣接して配置された、請求項８３に記載の光ガイド。
【請求項８８】
前記光を反射する手段が前記光ガイドの中を伝搬する光を前記第２の誘導手段の前記底部表面に向けて方向転換させるように構成された、請求項８７に記載の光ガイド。
【請求項８９】
前記第１および第２の誘導手段が、それぞれ、表面レリーフフィーチャを備えた、輪郭が付けられた表面を有する１つまたは複数の膜を備えた、請求項８７に記載の光ガイド。
【請求項９０】
前記第１の誘導手段の前記底部表面および前記第２の誘導手段の前記頂部表面が複数の細長い溝を備えた、請求項８７に記載の光ガイド。
【請求項９１】
前記複数の溝が傾斜した平らな表面を備えた、請求項９０に記載の光ガイド。
【請求項９２】
前記第１の誘導手段の前記底部表面の前記複数の溝のうちの１つまたは複数が同じ形状を有しているか、あるいは前記第２の誘導手段の前記頂部表面の前記複数の溝のうちの１つまたは複数が同じ形状を有する、請求項９０に記載の光ガイド。
【請求項９３】
前記複数の溝が非対称である、請求項９０に記載の光ガイド。
【請求項９４】
前記複数の溝と溝の間の距離が前記第１の誘導手段または前記第２の誘導手段の長さ全体にわたって変化する、請求項９０に記載の光ガイド。
【請求項９５】
前記複数の溝と溝の間の前記距離が約５０ミクロンないし約４５０ミクロンである、請求項９０に記載の光ガイド。
【請求項９６】
前記第１の誘導手段の前記頂部表面と前記第２の誘導手段の前記底部表面が平行である、請求項８７に記載の光ガイド。
【請求項９７】
前記第１の誘導手段の前記頂部表面と前記第２の誘導手段の前記底部表面が平行ではない、請求項８７に記載の光ガイド。
【請求項９８】
前記表面レリーフフィーチャが複数の細長いマイクロプリズムを備えた、請求項８９に記載の光ガイド。
【請求項９９】
前記マイクロプリズムが、それぞれ、互いに角度が付けられた少なくとも２つの隣接するファセットを備えた、請求項９８に記載の光ガイド。
【請求項１００】
前記マイクロプリズムが湾曲した表面を備えた、請求項９８に記載の光ガイド。
【請求項１０１】
前記マイクロプリズムが、個々の面がそれぞれ多重ファセット化された２つの面を備えた、請求項９８に記載の光ガイド。
【請求項１０２】
前記少なくとも２つの隣接するファセットが前記膜のうちの少なくとも１つの平らな表面に対して異なる傾斜角を有する、請求項９９に記載の光ガイド。
【請求項１０３】
前記マイクロプリズムの前記傾斜角が前記膜のうちの少なくとも１つの長さに沿って変化する、請求項１０２に記載の光ガイド。
【請求項１０４】
前記反射手段と反射手段の間の距離が約５０ミクロンと約４５０ミクロンの間である、請求項８３〜１０３のいずれか一項に記載の光ガイド。
【請求項１０５】
隣接する反射手段と反射手段の間の距離が変化する、請求項８３〜１０４のいずれか一項に記載の光ガイド。
【請求項１０６】
前記第１および第２の誘導手段が光を前記光ガイドに入射させるように構成された縁を備えた、請求項８３〜１０５のいずれか一項に記載の光ガイド。
【請求項１０７】
前記縁に隣接して配置された光源をさらに備えた、請求項１０６に記載の光ガイド。
【請求項１０８】
隣接する反射手段と反射手段の間の距離が前記縁からの距離が長くなるにつれて短くなる、請求項１０６に記載の光ガイド。
【請求項１０９】
前記光を反射する手段が空気ポケットを備えた空胴を備えた、請求項８３に記載の光ガイド。
【請求項１１０】
前記空気ポケットが非対称である、請求項１０９に記載の光ガイド。
【請求項１１１】
前記光を反射する手段が充填材を含有した空胴を備えた、請求項８３に記載の光ガイド。
【請求項１１２】
ディスプレイエレメントのアレイと、
前記ディスプレイエレメントと電気通信しているプロセッサであって、イメージデータを処理するように構成されたプロセッサと、
前記プロセッサと電気通信しているメモリ素子と
をさらに備えた、請求項８３に記載の光ガイド。
【請求項１１３】
前記ディスプレイエレメントに少なくとも１つの信号を送信するように構成されたドライバ回路をさらに備えた、請求項１１２に記載の光ガイド。
【請求項１１４】
前記ドライバ回路に前記イメージデータの少なくとも一部を送信するように構成されたコントローラをさらに備えた、請求項１１３に記載の光ガイド。
【請求項１１５】
前記プロセッサに前記イメージデータを送信するように構成されたイメージソースモジュールをさらに備えた、請求項１１２に記載の光ガイド。
【請求項１１６】
前記イメージソースモジュールが、レシーバ、トランシーバおよびトランスミッタのうちの少なくとも１つを備えた、請求項１１５に記載の光ガイド。
【請求項１１７】
入力データを受け取り、かつ、前記入力データを前記プロセッサに通信するように構成された入力デバイスをさらに備えた、請求項１１２に記載の光ガイド。
【請求項１１８】
光を誘導するための第１の手段と、
光を誘導するための第２の手段と、
前記第２の光誘導手段を覆うための手段であって、前記第２の光誘導手段が前記カバー手段と前記第１の光誘導手段の間に位置するように配置され、前記第２の光誘導手段および前記カバー手段が、それぞれ、前記第２の光誘導手段および前記カバー手段を一体に整合させるための手段を有する手段と
を備えた光ガイドであって、前記第２の光誘導手段のための前記整合手段が、前記第２の光誘導手段および前記カバー手段が一体に整合されると、それらの間に光を反射させるための手段が形成されるように輪郭が付けられた光ガイド。
【請求項１１９】
前記第１の光誘導手段が光ガイドプレートを備えた、請求項１１８に記載の光ガイド。
【請求項１２０】
前記第２の光誘導手段が膜を備えた、請求項１１９に記載の光ガイド。
【請求項１２１】
前記カバー手段がカバー層を備えた、請求項１２０に記載の光ガイド。
【請求項１２２】
前記第２の光誘導手段のための前記整合手段が前記膜の上に表面を備え、前記カバー手段のための前記整合手段が前記カバー層の上に表面を備えた、請求項１２１に記載の光ガイド。
【請求項１２３】
前記反射手段が光空胴を備えた、請求項１２２に記載の光ガイド。
【請求項１２４】
前記カバー手段がカバー頂部表面およびカバー底部表面を備え、前記第１の誘導手段が第１の頂部表面および第１の底部表面を備え、前記第２の誘導手段が第２の頂部表面および第２の底部表面を備えた、請求項１１８に記載の光ガイド。
【請求項１２５】
前記カバー手段の前記頂部表面と前記第２の誘導手段の前記底部表面が平行である、請求項１２４に記載の光ガイド。
【請求項１２６】
前記カバー頂部表面と前記第２の底部表面が隣接して配置され、前記第２の底部表面に輪郭が付けられ、前記第１の底部表面と前記第２の頂部表面が隣接して配置された、請求項１２４に記載の光ガイド。
【請求項１２７】
前記カバー底部表面と前記第２の頂部表面が隣接して配置され、前記第２の頂部表面に輪郭が付けられ、前記第２の底部表面と前記第１の頂部表面が隣接して配置された、請求項１２４に記載の光ガイド。
【請求項１２８】
前記カバー頂部表面の一部と前記第２の底部表面の一部が平行ではない、請求項１２４に記載の光ガイド。
【請求項１２９】
前記第２の誘導手段が複数の表面レリーフフィーチャがインプリントされた頂部表面を備えた、請求項１１８に記載の光ガイド。
【請求項１３０】
前記複数の表面レリーフフィーチャが細長いマイクロプリズムを備えた、請求項１２９に記載の光ガイド。
【請求項１３１】
前記複数の表面レリーフフィーチャが互いに角度が付けられた複数の隣接するファセットを備えた、請求項１２９に記載の光ガイド。
【請求項１３２】
前記マイクロプリズムが多重ファセット化された隣接する面を備えた、請求項１３１に記載の光ガイド。
【請求項１３３】
前記複数の隣接するファセットが前記第２の誘導手段に対して異なる傾斜角を有する、請求項１３２に記載の光ガイド。
【請求項１３４】
前記複数の隣接するファセットが湾曲した表面を備えた、請求項１３２に記載の光ガイド。
【請求項１３５】
前記傾斜角が前記第２の誘導手段の長さに沿って変化する、請求項１３３に記載の光ガイド。
【請求項１３６】
前記反射手段がその上に反射コーティングを有するファセットを備えた、請求項１１８に記載の光ガイド。
【請求項１３７】
前記反射手段と反射手段の間の距離が約５０ミクロンと約４５０ミクロンの間である、請求項１１８に記載の光ガイド。
【請求項１３８】
前記反射手段と反射手段の間の距離が前記第２の誘導手段に沿って変化する、請求項１１８に記載の光ガイド。
【請求項１３９】
前記第１または第２の誘導手段が光を注入することができる縁を備え、前記反射手段と反射手段の間の前記距離が前記縁からの距離が長くなるにつれて短くなる、請求項１３８に記載の光ガイド。
【請求項１４０】
前記反射手段が空気ポケットを備えた、請求項１１８に記載の光ガイド。
【請求項１４１】
前記反射手段が非対称である、請求項１４０に記載の光ガイド。
【請求項１４２】
前記反射手段が充填材が充填された空胴を備えた、請求項１１８に記載の光ガイド。
【請求項１４３】
前記充填材が反射型である、請求項１４２に記載の光ガイド。
【請求項１４４】
前記第１または第２の誘導手段の縁に隣接して配置された光源をさらに備え、前記縁が前記光源から前記光ガイドの中へ光を受け取るように構成された、請求項１１８に記載の光ガイド。
【請求項１４５】
前記第２の誘導手段、前記第１の誘導手段および前記カバー手段が実質的に同じ屈折率を有する、請求項１１８に記載の光ガイド。
【請求項１４６】
前記第１の誘導手段とディスプレイエレメントのアレイが隣接して配置され、前記第１の誘導手段が前記カバー手段よりも前記ディスプレイエレメントの近くに配置された、請求項１１８に記載の光ガイド。
【請求項１４７】
前記第２の誘導手段が複数の凹状表面レリーフフィーチャを備えた、請求項１１８に記載の光ガイド。
【請求項１４８】
前記複数の凹状表面レリーフフィーチャのうちの１つまたは複数が２つの垂直ファセットを備えた、請求項１４７に記載の光ガイド。
【請求項１４９】
前記複数の凹状表面レリーフフィーチャのうちの前記１つまたは複数が、前記光ガイドの中を伝搬する光が前記凹状表面レリーフフィーチャで屈折するように互いに角度が付けられた少なくとも２つの隣接するファセットを備えた、請求項１４７に記載の光ガイド。
【請求項１５０】
前記複数の凹状表面レリーフフィーチャが、前記光ガイドの中を伝搬する光が前記表面レリーフフィーチャで内部全反射して方向転換するように互いに角度が付けられた少なくとも２つの隣接するファセットを備えた、請求項１４７に記載の光ガイド。
【請求項１５１】
ディスプレイエレメントのアレイと、
前記ディスプレイエレメントと電気通信しているプロセッサであって、イメージデータを処理するように構成されたプロセッサと、
前記プロセッサと電気通信しているメモリ素子と
をさらに備えた、請求項１１８に記載の光ガイド。
【請求項１５２】
前記ディスプレイエレメントに少なくとも１つの信号を送信するように構成されたドライバ回路をさらに備えた、請求項１５１に記載の光ガイド。
【請求項１５３】
前記ドライバ回路に前記イメージデータの少なくとも一部を送信するように構成されたコントローラをさらに備えた、請求項１５２に記載の光ガイド。
【請求項１５４】
前記プロセッサに前記イメージデータを送信するように構成されたイメージソースモジュールをさらに備えた、請求項１５１に記載の光ガイド。
【請求項１５５】
前記イメージソースモジュールが、レシーバ、トランシーバおよびトランスミッタのうちの少なくとも１つを備えた、請求項１５４に記載の光ガイド。
【請求項１５６】
入力データを受け取り、かつ、前記入力データを前記プロセッサに通信するように構成された入力デバイスをさらに備えた、請求項１５１に記載の光ガイド。
【請求項１５７】
光ガイドを製造する方法であって、
輪郭が付けられた第１の表面を第１の光誘導手段の底部表面に形成するステップと、
輪郭が付けられた第２の表面を第２の光誘導手段の頂部表面に形成するステップと、
前記第１の誘導手段と前記第２の誘導手段の間に１つまたは複数の光空胴を形成するために、前記第１の誘導手段の輪郭が付けられた前記第１の表面および前記第２の誘導手段の輪郭が付けられた前記第２の表面を接続するステップと
を含む方法。
【請求項１５８】
前記第１および第２の誘導手段が膜を備えた、請求項１５７に記載の光ガイド製造方法。
【請求項１５９】
前記１つまたは複数の光空胴に充填材を充填するステップをさらに含む、請求項１５７に記載の光ガイド製造方法。
【請求項１６０】
前記表面レリーフフィーチャがマイクロプリズムを備えた、請求項１５７に記載の光ガイド製造方法。
【請求項１６１】
前記第１および第２の表面レリーフフィーチャを形成するステップが、前記頂部表面および前記底部表面をエンボスするステップを含む、請求項１５７に記載の光ガイド製造方法。
【請求項１６２】
前記第１および第２の表面レリーフフィーチャを形成するステップが、射出成形によって前記頂部表面および前記底部表面を形成するステップを含む、請求項１５７に記載の光ガイド製造方法。
【請求項１６３】
前記充填材が前記第１の誘導手段または前記第２の誘導手段の材料の屈折率とは異なる屈折率を有する、請求項１５９に記載の光ガイド製造方法。
【請求項１６４】
光ガイドを製造する方法であって、
第１の光誘導手段を提供するステップと、
第２の光誘導手段を提供するステップと、
カバーを配置するステップであって、前記カバーと前記第２の誘導手段の間に反射手段が形成されるように、また、前記カバーと前記第１の誘導手段の間に前記第２の誘導手段が位置するように、前記第２の誘導手段の上に前記カバーを配置するステップと
を含む方法。
【請求項１６５】
前記第１の誘導手段が頂部表面および底部表面を備え、前記第２の誘導手段が、前記第２の誘導手段の底部表面と前記第１の誘導手段の前記頂部表面が隣接するように頂部表面および底部表面を備え、前記第２の誘導手段の前記頂部表面に輪郭が付けられ、前記カバーが前記第２の誘導手段の前記輪郭が付けられた頂部表面に配置され、前記反射手段が、前記光ガイドを通って伝搬する光の少なくとも一部を前記第１の誘導手段の前記底部表面に向かって方向転換させるように構成された、請求項１５７に記載の方法。
【請求項１６６】
前記第１および第２の誘導手段が膜を備えた、請求項１６５に記載の方法。
【請求項１６７】
前記反射手段が１つまたは複数の光空胴を備えた、請求項１６５に記載の方法。
【請求項１６８】
前記１つまたは複数の光空胴に充填材を充填するステップをさらに含む、請求項１６７に記載の方法。
【請求項１６９】
前記第２の誘導手段の前記輪郭が付けられた頂部表面が表面レリーフフィーチャを備えた、請求項１６５に記載の方法。
【請求項１７０】
前記第２の誘導手段の前記頂部表面をエンボスすることによって前記表面レリーフフィーチャを形成するステップをさらに含む、請求項１６９に記載の方法。
【請求項１７１】
射出成形によって前記第２の誘導手段の前記頂部表面に前記表面レリーフフィーチャを形成するステップをさらに含む、請求項１６９に記載の方法。
【発明の詳細な説明】
【技術分野】
【０００１】
本発明は一般にＬＣＤディスプレイなどのフロントリットディスプレイに関し、詳細にはフロントリットディスプレイのための光ガイドの二重膜構成に関する。
【背景技術】
【０００２】
微小電気機械システム（ＭＥＭＳ）には、微小機械エレメント、アクチュエータおよび電子工学が含まれている。微小機械エレメントは、付着プロセス、エッチングプロセスおよび／または基板および／または付着した材料層の一部をエッチ除去し、あるいは層を追加して電気デバイスおよび電気機械デバイスを形成する他の微小機械加工プロセスを使用して生成することができる。あるタイプのＭＥＭＳデバイスは、分岐干渉変調器と呼ばれている。本明細書において使用されているように、分岐干渉変調器または分岐干渉光変調器という用語は、光干渉の原理を使用して光を選択的に吸収および／または反射するデバイスを意味している。特定の実施形態では、分岐干渉変調器は、一対の導電プレートを備えることができ、そのうちの一方または両方の全体または一部を透明および／または反射性にすることができる。また、適切な電気信号を印加することによってこれらの導電プレートを相対移動させることができる。特定の実施形態では、一方のプレートは、基板の上に付着した固定層を備えることができ、また、もう一方のプレートは、エアギャップによって固定層から分離された金属膜を備えることができる。本明細書においてより詳細に説明されているように、一方のプレートのもう一方のプレートと関連する部分は、分岐干渉変調器に入射する光の光干渉を変化させることができる。このようなデバイスは広範囲にわたるアプリケーションを有しており、当分野においては、これらのタイプのデバイスの特性を利用および／または修正することが有利であり、それによりそれらの特徴を利用して既存の製品を改良することができ、また、未だ開発されていない新しい製品を生成することができる。
【発明の概要】
【課題を解決するための手段】
【０００３】
本明細書において説明されている様々な実施形態は、ディスプレイエレメントのアレイ全体に光を分配するための光ガイドを備えている。光ガイドは、光ガイドの中を伝搬する光をディスプレイエレメントのアレイに向けるための表面レリーフフィーチャを備えることができる。この表面レリーフフィーチャは、光を反射するファセットを備えることができる。ファセットは、これらのファセットを保護するために光ガイド内に埋め込まれている。他の実施形態も同じく開示されている。
【０００４】
本発明の一実施形態は、頂部表面および底部表面を有する上部部分と、頂部表面および底部表面を有する下部部分とを備えた光ガイドを備えている。上部部分の底部表面は輪郭が付けられている。下部部分の頂部表面も同じく輪郭が付けられている。上部部分は、上部部分の輪郭が付けられた底部表面と下部部分の輪郭が付けられた頂部表面が上部部分と下部部分の間に空胴を形成するように下部部分の上に配置されている。
【０００５】
本発明の他の実施形態は、頂部表面および底部表面を有するカバー層と、頂部表面および底部表面を有する膜であって、その頂部表面に輪郭が付けられた膜と、頂部表面および底部表面を有する光ガイドプレートとを備えた光ガイドを備えている。カバー層は、カバー層の底部表面と膜の輪郭が付けられた頂部表面がカバー層と膜の間に空胴を形成するように膜の上に配置されている。膜は、カバー層と光ガイドプレートの間に配置されている。
【０００６】
本発明の他の実施形態は、平らな表面を有するカバー層と、第１および第２の表面を有する膜と、平らな頂部表面および平らな底部表面を有する光ガイドプレートとを備えた光ガイドを備えている。膜の第１の表面は複数の凹状表面レリーフフィーチャを備えており、膜の第２の表面は平らである。膜は、平らな第２の表面と光ガイドプレートが隣接し、かつ、前記第１の表面の凹状表面レリーフフィーチャが光ガイドプレートの反対側に面するように光ガイドプレートの上に配置されている。カバー層は、カバー層の平らな表面と膜の凹状表面フィーチャがカバー層と膜の間に空胴を形成するように膜に隣接して配置されている。
【０００７】
本発明の他の実施形態は、光を誘導するための第１の手段と、光を誘導するための第２の手段とを備えた光ガイドを備えている。第１および第２の光誘導手段は、第１および第２の光誘導手段を一体に整合させるための手段を個々に有している。第１および第２の両方の光誘導手段のための整合手段は、第１および第２の光誘導手段が一体に整合するように輪郭が付けられている。それらの間に光を反射させるための手段が形成されている。
【０００８】
本発明の他の実施形態は、光を誘導するための第１の手段と、光を誘導するための第２の手段と、該第２の光誘導手段を覆うための手段とを備えた光ガイドを備えている。第２の光誘導手段を覆うための手段は、第２の光誘導手段が該第２の光誘導手段を覆うための手段と第１の光誘導手段の間に位置するように配置されている。第２の光誘導手段および該第２の光誘導手段を覆うための手段は、第２の光誘導手段および該第２の光誘導手段を覆うための手段を一体に整合させるための手段を個々に有している。第２の光誘導手段のための整合手段は、第２の光誘導手段および該第２の光誘導手段を覆うための手段が一体に整合すると、光を反射させるための手段がそれらの間に形成されるように輪郭が付けられている。
【図面の簡単な説明】
【０００９】
【図１】第１の分岐干渉変調器の可動反射層が弛緩位置に位置し、第２の分岐干渉変調器の可動反射層が駆動位置に位置している分岐干渉変調器ディスプレイの一実施形態の一部を示す等角図である。
【図２】３×３分岐干渉変調器ディスプレイを組み込んだ電子デバイスの一実施形態を示すシステムブロック図である。
【図３】図１の分岐干渉変調器の一例示的実施形態の可動ミラー位置対印加電圧を示す線図である。
【図４】分岐干渉変調器ディスプレイを駆動するために使用することができる一組の行電圧および列電圧を示す図である。
【図５Ａ】図２の３×３分岐干渉変調器ディスプレイ内の表示データの一例示的フレームを示す図である。
【図５Ｂ】図５Ａのフレームを書き込むために使用することができる行信号および列信号のための一例示的タイミング図である。
【図６Ａ】複数の分岐干渉変調器を備えた視覚ディスプレイデバイスの一実施形態を示すシステムブロック図である。
【図６Ｂ】複数の分岐干渉変調器を備えた視覚ディスプレイデバイスの一実施形態を示すシステムブロック図である。
【図７Ａ】図１のデバイスの断面図である。
【図７Ｂ】分岐干渉変調器の一代替実施形態の断面図である。
【図７Ｃ】分岐干渉変調器の他の代替実施形態の断面図である。
【図７Ｄ】分岐干渉変調器のさらに他の代替実施形態の断面図である。
【図７Ｅ】分岐干渉変調器の追加代替実施形態の断面図である。
【図８】線形光源およびフロント光ガイドパネルを備えたフラットパネルディスプレイに使用するためのフロント光ガイドユニットを示す図である。
【図９】反射型ディスプレイパネル、表面フィーチャが埋め込まれた二重膜フロント光ガイドパネルおよび光源を備えたフロントリットディスプレイを示す図である。
【図１０】図９の二重膜光ガイドの頂部膜および底部膜を示す図である。
【図１１】ディスプレイパネルから図９の光ガイドを通って伝搬する光線を示す図である。
【図１２】周辺光から光ガイドを通ってディスプレイパネルへ伝搬する光線を示す図である。
【図１３】表面フィーチャ間の距離が光ガイドの長さに沿って変化するフロント光ガイドの一代替実施形態を示す図である。
【図１４】表面フィーチャが埋め込まれたフロント光ガイドの一代替実施形態を示す図である。
【図１５】反射型ディスプレイパネル、表面フィーチャが埋め込まれたフロント光ガイドパネルおよび光源を備えたフロントリットディスプレイの一代替実施形態を示す図である。
【図１６】表面フィーチャが埋め込まれたフロント光ガイドの一代替実施形態を示す図である。
【図１７】図１６のフロント光ガイドの埋設表面フィーチャのうちの１つに入射する光線を示す図である。
【図１８】反射コーティングが施された表面フィーチャが埋め込まれたフロント光ガイドの一代替実施形態を示す図である。
【図１９】多重ファセット化埋設表面フィーチャを示すフロント光ガイドの一代替実施形態の一部を示す詳細図である。
【図２０】湾曲したファセットを備えた埋設表面フィーチャを示すフロント光ガイドの一代替実施形態の一部を示す詳細図である。
【図２１】反射型ディスプレイパネルおよび表面フィーチャが埋め込まれたフロント光ガイドパネルを備えたフロントリットディスプレイであって、埋設表面フィーチャが光ガイドパネルと対向する膜の面に配置されたフロントリットディスプレイの一代替実施形態を示す図である。
【図２２】図２１のフロントリットディスプレイと同様のフロントリットディスプレイであって、埋設表面フィーチャが垂直壁を有するフロントリットディスプレイの一代替実施形態を示す図である。
【発明を実施するための形態】
【００１０】
以下の詳細な説明は、本発明のある特定の実施形態を対象にしたものである。しかしながら、本発明は、多くの異なる方法で具体化することができる。以下の説明には図面が参照されており、同様の部品は、すべての図面を通して同様の数表示を使用して示されている。
【００１１】
本明細書において説明されている様々な実施形態では、縁照明フロント光ガイドパネルは、複数の埋設表面フィーチャを備えている。埋設表面レリーフフィーチャは、光ガイドパネル内に空気ポケットなどの充填可能ギャップすなわち空胴を形成することができる。光ガイドの縁に注入された光は、空気ポケットの一方の空気／光ガイド材料界面に衝突するまで光ガイドを通って伝搬する。この光は、次に、大きい角度で内部全反射して方向転換し、ディスプレイパネルの前面に配置された射出面から射出する。空気ポケットを生成するために、一対のガイド部分は、輪郭が付けられた、互いに接触している表面を有している。本明細書においては他の実施形態も同じく開示されている。
【００１２】
以下の説明から明らかなように、これらの実施形態は、動作中のイメージ（たとえばビデオ）であれ、固定イメージ（たとえば静止画像）であれ、また、テキストイメージであれ、描画イメージであれ、いずれにせよイメージを表示するように構成された任意のデバイスの中で実施することができる。より詳細には、これらの実施形態は、それらに限定されないが、移動電話、無線デバイス、パーソナルデータアシスタント（ＰＤＡ）、ハンドヘルドコンピュータまたはポータブルコンピュータ、ＧＰＳレシーバ／ナビゲータ、カメラ、ＭＰ３プレーヤ、カムコーダ、ゲームコンソール、腕時計、時計、計算器、テレビジョンモニタ、フラットパネルディスプレイ、コンピュータモニタ、オートディスプレイ（たとえば走行距離計ディスプレイ、等々）、コックピットコントロールおよび／またはディスプレイ、カメラビューのディスプレイ（たとえば車両内のリアビューカメラのディスプレイ）、電子写真、電子ビルボードまたはサイン、プロジェクタ、建築構造、梱包および美感構造（たとえば一片の宝石上へのイメージの表示）などの様々な電子デバイスの中で、あるいはこれらの電子デバイスと関連して実施することができることが企図されている。
【００１３】
たとえば分岐干渉変調ＭＥＭＳデバイス、ＬＣＤ、等々などのディスプレイデバイスは、ディスプレイエレメントのアレイを目で見るための適切なレベルに照明するように構成された光源を備えることができる。ディスプレイエレメントのアレイ全体に光を分配するために、この光源と組み合わせて、光源の近傍のディスプレイエレメントのアレイに光ガイドを結合することができる。光ガイドは、ディスプレイエレメントの裏面のたとえばバックライト、あるいはディスプレイエレメントの前面のたとえばフロントライトなどのディスプレイエレメントに対して様々な配向で配置することができる。本明細書において説明されているシステムおよび方法では、フロント光ガイドパネルは、人工光源からディスプレイエレメントのアレイに一様な照明を引き渡し、かつ、ディスプレイエレメント内における反射層を介した周辺照明からの照明のオプションを許容するために、ディスプレイエレメントのアレイの前面に配置されている。
【００１４】
図１は、分岐干渉ＭＥＭＳディスプレイエレメントを備えた一分岐干渉変調器ディスプレイ実施形態を示したものである。これらのデバイスの場合、ピクセルは、明るい状態にあるか、あるいは暗い状態にあるかのいずれかである。明るい（「オン」または「開」）状態では、ディスプレイエレメントは、入射する可視光の大部分を使用者に向かって反射する。暗い（「オフ」または「閉」）状態にある場合、ディスプレイエレメントは、入射する可視光を使用者に向かってほとんど反射しない。「オン」状態および「オフ」状態における光反射率特性は、実施形態に応じて反転させることができる。ＭＥＭＳピクセルは、選択された色を主として反射するように構成することができるため、黒および白に加えてカラー表示することができる。
【００１５】
図１は、視覚ディスプレイの一連のピクセルのうちの２つの隣接するピクセルを等角図で示したもので、ピクセルはそれぞれＭＥＭＳ分岐干渉変調器を備えている。いくつかの実施形態では、分岐干渉変調器ディスプレイは、これらの分岐干渉変調器の行／列アレイを備えている。分岐干渉変調器は、それぞれ、互いに可変で、かつ、制御可能な距離を隔てて配置された一対の反射層を備えており、少なくとも１つの可変寸法を備えた共鳴光学ギャップを形成している。一実施形態では、これらの反射層のうちの一方をこれらの２つの位置と位置の間で移動させることができる。本明細書においては弛緩位置と呼ばれている第１の位置には、可動反射層が固定部分反射層から比較的大きい距離を隔てて配置される。本明細書においては駆動位置と呼ばれている第２の位置には、可動反射層が部分反射層により緊密に隣接して配置される。これらの２つの層で反射する入射光は、可動反射層の位置に応じて強め合って、あるいは弱め合って干渉し、ピクセル毎に総合反射状態または非反射状態のいずれかを生成する。
【００１６】
ピクセルアレイのうちの図１に示されている部分には、隣接する２つの分岐干渉変調器１２ａおよび１２ｂが含まれている。左側の分岐干渉変調器１２ａには、部分反射層を備えた光学スタック１６ａから所定の距離を隔てた弛緩位置に可動反射層１４ａが示されている。右側の分岐干渉変調器１２ｂには、光学スタック１６ｂに隣接する駆動位置に可動反射層１４ｂが示されている。
【００１７】
本明細書において参照されている光学スタック１６ａおよび１６ｂ（集合的に光学スタック１６と呼ばれている）は、通常、インジウムスズ酸化物（ＩＴＯ）などの電極層を含むことができる複数の合成層、クロムなどの部分反射層および透明誘電体を備えている。したがって光学スタック１６は、導電性であり、部分的に透明であり、かつ、部分的に反射型であり、たとえば上で挙げた層のうちの１つまたは複数の層を透明基板２０の上に付着させることによって製造することができる。部分反射層は、様々な金属、半導体および誘電体などの部分的に反射型である様々な材料から形成することができる。部分反射層は、１つまたは複数の材料層で形成することができ、これらの層の各々は、単一の材料または材料の組合せで形成することができる。
【００１８】
いくつかの実施形態では、光学スタック１６の層が平行条片にパターン化されており、以下でさらに説明するように、ディスプレイデバイスの中に行電極を形成することができる。可動反射層１４ａ、１４ｂは、ポスト１８およびポスト１８とポスト１８の間に付着された介在犠牲材料の頂部に付着された１つまたは複数の付着金属層（行電極１６ａ、１６ｂに対して直角をなしている）の一連の平行条片として形成することができる。犠牲材料がエッチ除去されると、画定されたギャップ１９によって可動反射層１４ａ、１４ｂが光学スタック１６ａ、１６ｂから分離される。反射層１４にはアルミニウムなどの高度に導電性で、かつ、反射型である材料を使用することができ、また、これらの条片は、ディスプレイデバイスの中に列電極を形成することができる。
【００１９】
電圧が印加されていない場合、図１のピクセル１２ａによって示されているように、ギャップ１９は、可動反射層１４ａと光学スタック１６ａの間に留まり、可動反射層１４ａは、機械的に弛緩した状態にある。しかしながら、選択された行および列に電位差が印加されると、対応するピクセルの行電極と列電極の交点に形成されるコンデンサが充電されるようになり、静電力によって電極が一体に引っ張られる。電圧が十分に高い場合、可動反射層１４が変形し、光学スタック１６に向かって強制される。光学スタック１６内の誘電体層（この図には示されていない）は、図１の右側のピクセル１２ｂによって示されているように、短絡を防止し、層１４と１６の間の分離距離を制御することができる。この挙動は、印加される電位差の極性には無関係に同じである。この方法の場合、反射型ピクセル状態対非反射型ピクセル状態を制御することができる行／列駆動は、多くの点で、従来のＬＣＤ技術および他のディスプレイ技術に使用されている行／列駆動に類似している。
【００２０】
図２ないし５Ｂは、分岐干渉変調器のアレイをディスプレイアプリケーションに使用するための一例示的プロセスおよびシステムを示したものである。
【００２１】
図２は、本発明の態様を組み込むことができる電子デバイスの一実施形態をシステムブロック図で示したものである。この例示的実施形態では、電子デバイスは、ＡＲＭ、Ｐｅｎｔｉｕｍ（登録商標）、Ｐｅｎｔｉｕｍ  ＩＩ（登録商標）、Ｐｅｎｔｉｕｍ  ＩＩＩ（登録商標）、Ｐｅｎｔｉｕｍ  ＩＶ（登録商標）、Ｐｅｎｔｉｕｍ（登録商標）Ｐｒｏ、８０５１、ＭＩＰＳ（登録商標）、Ｐｏｗｅｒ  ＰＣ（登録商標）、ＡＬＰＨＡ（登録商標）などの任意の汎用シングルチップまたはマルチチップマイクロプロセッサであっても、あるいはディジタル信号プロセッサ、マイクロコントローラまたはプログラム可能ゲートアレイなどの任意の専用マイクロプロセッサであってもよいプロセッサ２１を備えている。プロセッサ２１は、当分野における慣習に従って、１つまたは複数のソフトウェアモジュールを実行するように構成することができる。プロセッサは、オペレーティングシステムの実行に加えて、ウェブブラウザ、電話アプリケーション、電子メールプログラムまたは他の任意のソフトウェアアプリケーションを始めとする１つまたは複数のソフトウェアアプリケーションを実行するように構成することができる。
【００２２】
一実施形態では、プロセッサ２１は、また、アレイドライバ２２と通信するように構成されている。一実施形態では、アレイドライバ２２は、ディスプレイアレイすなわちパネル３０に信号を提供する行ドライバ回路２４および列ドライバ回路２６を備えている。図１に示されているアレイの断面は、線１−１によって図２に示されている。ＭＥＭＳ分岐干渉変調器の場合、行／列駆動プロトコルには、図３に示されているこれらのデバイスのヒステリシス特性を利用することができる。可動層を弛緩状態から駆動状態に変形させるためには、場合によってはたとえば１０ボルトの電位差が必要である。しかしながら、電圧がその値から低くなっても、可動層は、電圧が１０ボルト未満に降下した時点のその状態を維持する。図３の例示的実施形態の場合、可動層は、電圧が２ボルト未満に降下するまで完全に弛緩しない。したがって、図３に示されている実施例の場合、約３Ｖないし７Ｖの印加電圧の窓が存在しており、その中では、デバイスは、弛緩状態または駆動状態のいずれかで安定している。これは、本明細書においては、「ヒステリシス窓」または「安定窓」と呼ばれている。図３のヒステリシス特性を有するディスプレイアレイの場合、行／列駆動プロトコルは、行をストローブしている間、ストローブされた行の中の駆動すべきピクセルに約１０ボルトの電圧差が印加され、また、弛緩させるべきピクセルにゼロボルトに近い電圧差が印加されるように設計することができる。ストローブが終了すると、たとえどのような状態であっても、行ストローブによってそれらが置かれたその状態を維持するよう、約５ボルトの定常状態電圧差がピクセルに印加される。書込みが終了すると、この実施例では３〜７ボルトである「安定窓」内の電位差が個々のピクセルに印加される。この特徴が、図１に示されているピクセル設計を、駆動状態であれ、あるいは弛緩状態であれ、同じ印加電圧条件の下で既存の状態で安定したものにしている。分岐干渉変調器の個々のピクセルは、駆動状態であれ、あるいは弛緩状態であれ、本質的には、固定反射層および移動反射層によって形成されるコンデンサであるため、ヒステリシス窓内の電圧で、電力散逸をほとんど伴うことなくこの安定状態を保持することができる。印加される電位が一定である場合、本質的にはピクセルには電流は流れない。
【００２３】
典型的なアプリケーションの場合、第１の行の中の所望のセットの駆動ピクセルに従ってそのセットの列電極を表明することによってディスプレイフレームを生成することができる。次に、行１電極に行パルスが印加され、表明された列ラインに対応するピクセルが駆動される。次に、第２の行の中の所望のセットの駆動ピクセルに対応するよう、表明されたセットの列電極が変更される。次に、行２電極にパルスが印加され、表明された列電極に従って行２の中の該当するピクセルが駆動される。行１ピクセルは、行２パルスの影響を受けることはなく、行１パルスの間に設定された状態を維持する。連続するすべての行に対して逐次方式でこれを繰り返すことによってフレームを生成することができる。通常、フレームは、新しい表示データを使用して、１秒当たりいくつかの所望のフレーム数でこのプロセスを連続的に繰り返すことによってリフレッシュおよび／または更新される。ピクセルアレイの行電極および列電極を駆動し、それによりディスプレイフレームを生成するための広範囲にわたる様々なプロトコルも同じく良く知られており、本発明と共に使用することができる。
【００２４】
図４、５Ａおよび５Ｂは、図２の３×３アレイ上にディスプレイフレームを生成するための可能駆動プロトコルの１つを示したものである。図４には、図３のヒステリシス曲線を示すピクセルのために使用することができる列電圧レベルおよび行電圧レベルの可能セットが示されている。図４の実施形態の場合、ピクセルを駆動するためには、該当する列を−Ｖｂｉａｓに設定し、かつ、該当する行を＋ΔＶに設定する必要がある。−Ｖｂｉａｓおよび＋ΔＶは、それぞれ−５ボルトおよび＋５ボルトに対応している。ピクセルの弛緩は、該当する列を＋Ｖｂｉａｓに設定し、かつ、該当する行を同じ＋ΔＶに設定して、ピクセルの両端間にゼロボルトの電位差を生成することによって達成される。これらの行のうち、行電圧がゼロボルトに保持されている場合、その行のピクセルは、列が＋Ｖｂｉａｓであれ、あるいは−Ｖｂｉａｓであれ、それには無関係に、それらの最初の状態が何であれ安定である。また、同じく図４に示されているように、上で説明した極性とは逆の極性の電圧を使用することも可能であり、その場合、たとえばピクセルを駆動するためには、該当する列を＋Ｖｂｉａｓに設定し、かつ、該当する行を−ΔＶに設定しなければならないことになることは明らかであろう。この実施形態の場合、ピクセルの開放は、該当する列を−Ｖｂｉａｓに設定し、かつ、該当する行を同じ−ΔＶに設定して、ピクセルの両端間にゼロボルトの電位差を生成することによって達成される。
【００２５】
図５Ｂは、図２の３×３アレイに印加される、図５Ａに示されているディスプレイ構造が得られることになる一連の行信号および列信号のタイミング図を示したもので、駆動されるピクセルは非反射型である。図５Ａに示されているフレームを書き込む前のピクセルの状態は任意であり、この実施例では、すべての行が０ボルトに設定され、また、すべての列が＋５ボルトに設定されている。このような印加電圧を使用することにより、すべてのピクセルがそれらの既存の駆動状態または弛緩状態で安定である。
【００２６】
図５Ａのフレームでは、ピクセル（１、１）、（１、２）、（２、２）、（３、２）および（３、３）が駆動されている。これを達成するために、行１のための「ライン時間」の間、列１および２が−５ボルトに設定され、また、列３が＋５ボルトに設定される。すべてのピクセルが３〜７ボルトの安定窓内に留まっているため、この設定によっては、どのピクセルの状態も全く変化しない。次に、０ボルトから５ボルトまで立上り、次にゼロに戻るパルスで行１がストローブされる。これにより（１、１）ピクセルおよび（１、２）ピクセルが駆動され、（１、３）ピクセルが弛緩する。アレイ内の他のピクセルは全く影響されない。必要に応じて行２を設定するために、列２が−５ボルトに設定され、また、列１および３が＋５ボルトに設定される。次に、行２に印加される同じストローブによってピクセル（２、２）が駆動され、ピクセル（２、１）およびピクセル（２、３）が弛緩する。この場合も、アレイの他のピクセルは全く影響されない。行３も、列２および３を−５ボルトに設定し、また、列１を＋５ボルトに設定することによって同様に設定される。行３ストローブによって、図５Ａに示されているように行３ピクセルが設定される。フレームの書込みが終了すると、行電位がゼロになり、また、列電位は、＋５ボルトまたは−５ボルトのいずれかを維持することができ、それにより図５Ａの構造でディスプレイが安定する。数十個または数百個の行および列のアレイにも同じ手順を使用することができることは理解されよう。また、行駆動および列駆動を実行するために使用される電圧のタイミング、シーケンスおよびレベルは、上でその概要を示した一般原理の範囲内で広範囲にわたって変更することができ、上記実施例は単なる例示的なものにすぎず、任意の駆動電圧方式を本明細書において説明されているシステムおよび方法と共に使用することができることについても理解されよう。
【００２７】
図６Ａおよび６Ｂは、ディスプレイデバイス４０の一実施形態をシステムブロック図で示したものである。ディスプレイデバイス４０は、たとえばセルラすなわち移動電話であってもよい。しかしながら、ディスプレイデバイス４０の同じコンポーネントまたはその若干異なる変形形態も、テレビジョンおよび携帯型メディアプレーヤなどの様々なタイプのディスプレイデバイスの実例である。
【００２８】
ディスプレイデバイス４０は、ハウジング４１、ディスプレイ３０、アンテナ４３、スピーカ４５、入力デバイス４８およびマイクロホン４６を備えている。ハウジング４１は、通常、当業者に良く知られている、射出成形および真空成形を始めとする任意の様々な製造プロセスを使用して形成される。また、ハウジング４１は、それらに限定されないが、プラスチック、金属、ガラス、ゴムおよびセラミックまたはそれらの組合せを始めとする様々な材料から構築することも可能である。一実施形態では、ハウジング４１は、色が異なる他の取外し可能部分または異なるロゴ、ピクチャあるいはシンボルを含んだ他の取外し可能部分と交換することができる取外し可能部分（図示せず）を備えている。
【００２９】
例示的ディスプレイデバイス４０のディスプレイ３０は、本明細書において説明されている双安定ディスプレイを始めとする任意の様々なディスプレイであってもよい。他の実施形態では、ディスプレイ３０は、上で説明した、プラズマ、ＥＬ、ＯＬＥＤ、ＳＴＮ  ＬＣＤまたはＴＦＴ  ＬＣＤなどのフラットパネルディスプレイ、または当業者に良く知られているＣＲＴあるいは他の真空管デバイスなどの非フラットパネルディスプレイを備えている。しかしながら、ディスプレイ３０は、この実施形態の説明を目的として、本明細書において説明されている分岐干渉変調器ディスプレイを備えている。
【００３０】
図６Ｂは、例示的ディスプレイデバイス４０の一実施形態のコンポーネントの概要を示したものである。図に示されている例示的ディスプレイデバイス４０はハウジング４１を備えており、その中に少なくとも部分的に密閉された追加コンポーネントを備えることができる。たとえば、一実施形態では、例示的ディスプレイデバイス４０は、トランシーバ４７に結合されたアンテナ４３を備えたネットワークインタフェース２７を備えている。トランシーバ４７は、条件付けハードウェア５２に接続されているプロセッサ２１に接続されている。条件付けハードウェア５２は、信号を条件付ける（たとえば信号をフィルタリングする）ように構成することができる。条件付けハードウェア５２は、スピーカ４５およびマイクロホン４６に接続されている。また、プロセッサ２１は、入力デバイス４８およびドライバコントローラ２９に接続されている。ドライバコントローラ２９は、フレームバッファ２８およびアレイドライバ２２に結合されている。アレイドライバ２２は、ディスプレイアレイ３０に結合されている。電源５０は、特定の例示的ディスプレイデバイス４０設計に必要なすべてのコンポーネントに電力を提供している。
【００３１】
ネットワークインタフェース２７は、アンテナ４３およびトランシーバ４７を備えており、したがってこの例示的ディスプレイデバイス４０は、ネットワークを介して１つまたは複数のデバイスと通信することができる。また、一実施形態では、ネットワークインタフェース２７は、プロセッサ２１の要求事項を軽減するためのいくつかの処理機能を有することも可能である。アンテナ４３は、当業者に知られている、信号を送受信するための任意のアンテナである。一実施形態では、アンテナは、ＩＥＥＥ  ８０２．１１（ａ）、（ｂ）または（ｇ）を含むＩＥＥＥ  ８０２．１１規格に従ってＲＦ信号を送受信している。他の実施形態では、アンテナは、ＢＬＵＥＴＯＯＴＨ規格に従ってＲＦ信号を送受信している。セルラ電話の場合、アンテナは、ＣＤＭＡ、ＧＳＭ、ＡＭＰＳまたは無線セル電話ネットワーク内での通信に使用される他の知られている信号を受信するように設計される。トランシーバ４７は、プロセッサ２１が受け取り、かつ、さらに操作することができるよう、アンテナ４３から受け取った信号を予備処理している。また、トランシーバ４７は、アンテナ４３を介して例示的ディスプレイデバイス４０から送信することができるよう、プロセッサ２１から受け取った信号を処理している。
【００３２】
代替実施形態では、トランシーバ４７をレシーバに置き換えることができる。さらに他の代替実施形態では、ネットワークインタフェース２７を、プロセッサ２１に送信されるイメージデータを記憶し、あるいは生成することができるイメージソースに置き換えることができる。イメージソースは、たとえば、ディジタルビデオディスク（ＤＶＤ）またはイメージデータを含んだハードディスクドライブあるいはイメージデータを生成するソフトウェアモジュールであってもよい。
【００３３】
プロセッサ２１は、通常、例示的ディスプレイデバイス４０の動作を総合的に制御している。プロセッサ２１は、ネットワークインタフェース２７またはイメージソースから圧縮イメージデータなどのデータを受け取り、受け取ったデータを生イメージデータに処理し、あるいは容易に生イメージデータに処理することができるフォーマットに処理している。プロセッサ２１は、次に、処理したデータをドライバコントローラ２９に送信し、あるいは記憶するためにフレームバッファ２８に送信する。生データは、一般に、イメージ内の個々の位置におけるイメージ特性を識別する情報と呼ばれている。たとえば、このようなイメージ特性は、色、飽和およびグレースケールレベルを含むことができる。
【００３４】
一実施形態では、プロセッサ２１は、例示的ディスプレイデバイス４０の動作を制御するためのマイクロコントローラ、ＣＰＵまたは論理ユニットを備えている。条件付けハードウェア５２は、通常、信号をスピーカ４５に送信し、また、マイクロホン４６から信号を受信するための増幅器およびフィルタを備えている。条件付けハードウェア５２は、例示的ディスプレイデバイス４０内の離散コンポーネントであってもよく、あるいはプロセッサ２１または他のコンポーネント内に組み込むことも可能である。
【００３５】
ドライバコントローラ２９は、プロセッサ２１によって生成される生イメージデータをプロセッサ２１から直接受け取るか、あるいはフレームバッファ２８から受け取り、受け取った生イメージデータをアレイドライバ２２に高速転送するために適切に書式変更している。詳細には、ドライバコントローラ２９は、ディスプレイアレイ３０全体を走査するのに適した時間順序を有するよう、ラスタ様フォーマットを有するデータフローに生イメージデータを書式変更している。ドライバコントローラ２９は、次に、フォーマット化された情報をアレイドライバ２２に送信する。ＬＣＤコントローラなどのドライバコントローラ２９は、しばしば、独立型集積回路（ＩＣ）としてシステムプロセッサ２１に結合されているが、このようなコントローラは、多くの方法で実施することができる。それらは、ハードウェアとしてプロセッサ２１の中に埋め込むことも、ソフトウェアとしてプロセッサ２１の中に埋め込むことも、あるいはハードウェアの中にアレイドライバ２２と共に完全に統合することも可能である。
【００３６】
通常、アレイドライバ２２は、ドライバコントローラ２９からフォーマット化された情報を受け取ってビデオデータを並列波形セットに書式変更しており、この並列波形セットがディスプレイのｘ−ｙマトリックスのピクセルからの数百、場合によっては数千に及ぶリード線に、１秒当たり多数回にわたって印加される。
【００３７】
一実施形態では、ドライバコントローラ２９、アレイドライバ２２およびディスプレイアレイ３０は、本明細書において説明されているあらゆるタイプのディスプレイに適している。たとえば、一実施形態では、ドライバコントローラ２９は、従来のディスプレイコントローラまたは双安定ディスプレイコントローラ（たとえば分岐干渉変調器コントローラ）である。他の実施形態では、アレイドライバ２２は、従来のドライバまたは双安定ディスプレイドライバ（たとえば分岐干渉変調器ディスプレイ）である。一実施形態では、ドライバコントローラ２９は、アレイドライバ２２と共に統合されている。このような実施形態は、セルラ電話、時計および他の微小面積ディスプレイなどの高度に集積化されたシステムではごく当たり前である。さらに他の実施形態では、ディスプレイアレイ３０は、典型的なディスプレイアレイまたは双安定ディスプレイアレイ（たとえば分岐干渉変調器のアレイを備えたディスプレイ）である。
【００３８】
入力デバイス４８は、使用者による例示的ディスプレイデバイス４０の動作の制御を可能にしている。一実施形態では、入力デバイス４８は、ＱＷＥＲＴＹキーボードまたは電話キーパッドなどのキーパッド、ボタン、スイッチ、タッチセンシティブスクリーンまたは圧力感応膜あるいは熱感応膜を備えている。一実施形態では、マイクロホン４６は、例示的ディスプレイデバイス４０のための入力デバイスである。マイクロホン４６を使用してデバイスにデータを入力する場合、例示的ディスプレイデバイス４０の動作を制御するための音声コマンドを使用者が提供することができる。
【００３９】
電源５０は、当分野で良く知られている様々なエネルギー蓄積デバイスを備えることができる。たとえば、一実施形態では、電源５０は、ニッケルカドミウム電池またはリチウムイオン電池などの蓄電池である。他の実施形態では、電源５０は、再生可能エネルギー源、コンデンサまたはプラスチック太陽電池および太陽電池ペイントを始めとする太陽電池である。他の実施形態では、電源５０は、壁付きコンセントから電力を受け取るように構成されている。
【００４０】
いくつかの実施形態では、制御プログラム可能性は、上で説明したように、電子ディスプレイシステム内の複数の場所に配置することができるドライバコントローラ内に存在している。いくつかの実施形態では、制御プログラム可能性は、アレイドライバ２２内に存在している。上で説明した最適化は、任意の数のハードウェアコンポーネントおよび／またはソフトウェアコンポーネントの中で、様々な構成で実施することができることは当業者には認識されよう。
【００４１】
上で説明した原理に従って動作する分岐干渉変調器の構造の細部は、広範囲に変更することができる。たとえば図７Ａ〜７Ｅは、可動反射層１４およびその支持構造の５つの異なる実施形態を示したものである。図７Ａは、図１の実施形態の断面図であり、直角に展開しているサポート１８の上に金属材料１４の条片が付着されている。図７Ｂでは、可動反射層１４は、サポートの隅のテザー３２のみに取り付けられている。図７Ｃでは、可動反射層１４は、可撓性金属から構成することができる変形可能層３４から懸垂されている。変形可能層３４は、その周囲が基板２０に直接または間接的に接続されている。これらの接続は、本明細書においては、サポートポストと呼ばれている。図７Ｄに示されている実施形態は、サポートポストプラグ４２を有しており、その上に変形可能層３４が載っている。可動反射層１４は、図７Ａ〜７Ｃに示されているように、ギャップの上方に懸垂された状態を維持しているが、変形可能層３４は、この変形可能層３４と光学スタック１６の間の孔を充填することによってサポートポストを形成していない。その代わりに、サポートポストプラグ４２を形成するために使用される平坦化材料でサポートポストが形成されている。図７Ｅに示されている実施形態は、図７Ｄに示されている実施形態に基づいているが、図７Ａ〜７Ｃに示されているいずれの実施形態、ならびに図には示されていない追加実施形態と共に動作するように適合させることも可能である。図７Ｅに示されている実施形態では、金属または他の導電材料の追加層を使用してバス構造４４が形成されている。そのため、分岐干渉変調器の背面に沿って信号を経路化することができ、したがって、さもなければ基板２０の上に形成しなければならないことになる多くの電極が除去される。
【００４２】
図７に示されている実施形態などの実施形態では、分岐干渉変調器は、イメージが透明基板２０の前面側から観察され、その反対側に変調器が配置される直視デバイスとして機能している。これらの実施形態では、反射層１４は、反射層の基板２０とは反対側の、変形可能層３４を含む側の分岐干渉変調器部分を光学的に遮蔽している。したがって、画像品質に悪影響を及ぼすことなく遮蔽領域を構成し、かつ、動作させることができる。このような遮蔽が、アドレス指定およびそのアドレス指定によって生じる運動などの変調器の電気機械特性から変調器の光学特性を分離する能力を提供する図７Ｅのバス構造４４を可能にしている。この分離可能な変調器アーキテクチャにより、変調器の電気機械的な面および光学的な面のために使用される構造設計および材料を選択することができ、かつ、互いに独立して機能させることができる。さらに、図７Ｃ〜７Ｅに示されている実施形態は、変形可能層３４によって実行される反射層１４の光学特性と機械特性の分離によって得られる追加利点を有している。この追加利点により、反射層１４のために使用される構造設計および材料を光学特性に対して最適化することができ、また、変形可能層３４のために使用される構造設計および材料を所望の機械特性に対して最適化することができる。
【００４３】
ディスプレイ技術では、人工照明を使用してディスプレイを目に見えるようにすることができる。そのために、蛍光管またはＬＥＤなどの光源から薄いスラブ形光ガイド中に光が捕獲され、ディスプレイに引き渡される。「バックライティング」または「フロントライティング」によって照明を提供することができる。
【００４４】
フラットパネルディスプレイは、通常、ディスプレイパネルの背面に一様な照明を引き渡すために、線形光源からの光の方向を変える光ガイドスラブによって「バックリット」される（しばしば「バックライト」と呼ばれている）。光ガイドパネルの縁に沿って注入された光は、光ガイドパネル内を誘導され、光ガイドパネルの背面または前面に配置されているエクストラクタフィーチャを使用して光ガイドパネル内の光の伝搬を崩壊させ、それにより光をディスプレイに向けてパネルの前面全体に一様に放出することができる。
【００４５】
別法としては、ディスプレイパネルの観察側から一様な照明を引き渡すフロント光ガイドによってフラットパネル反射型ディスプレイを「フロントリット」することも可能である。このようなディスプレイは、周辺光を反射させることも可能であり、したがってウェルリット周辺光条件の下でそれらの輝度を大きくすることができる。フロントライトを利用することができるのは、いくつかの構成におけるローライト周辺条件の場合のみである。
【００４６】
図８に示されているフロントリットシステムでは、蛍光管、ＬＥＤまたはＬＥＤアレイあるいはＬＥＤによって照明されるライトバーなどの線形光源２からの光が、ディスプレイパネル４の前面に配置された薄いスラブ形光ガイドパネル１００３に注入される。
【００４７】
光ガイドに注入された光５は、光ガイド１００３の長さに沿って誘導される。光５は、ディスプレイパネルに一様な照明を提供するために、光ガイド１００３の厚さを通して伝搬し、射出面１０３１から射出するよう、約９０度の大きい角度で方向転換される。光の方向転換は、複数の方向転換フィーチャを含んだ表面レリーフ構造によって達成することができる。
【００４８】
図８に関連して上で説明したように、光入射表面１０３３に入射した光ビーム５は、フロント光ガイド３を通って、内部全反射によって光ガイド１００３の反対側の面に向かって伝搬する。観察面１０３２には、さらに、観察面１０３２の幅に沿ったパターンで配列されたプリズム微細構造１０４０などの複数の光方向転換構造が含まれている。プリズム微細構造１０４０は、ファセット／空気界面で光が反射し、大きい角度で光が方向転換するように互いに角度が付けられた複数の方向転換ファセット１０４２および１０４４を備えることができる。複数の対の隣接するファセット１０４２および１０４４は、たとえば、１つの浅く、かつ、長いファセットと、はるかに短く、かつ、傾斜がより急峻なファセットとを備えることができる。図８に示されているように、光が第１の浅いファセットに衝突し、次に、第２のより急峻なファセットに連続的に衝突すると、ファセット／空気界面の両方で内部全反射が生じ、大きい角度で光が方向転換する。この経路に沿った光は、次に、射出面から隣接するディスプレイパネルに向かって光ガイドから抽出される。したがって、これらの構造１０４０のうちの１つに遭遇した光ビーム５は、拡散反射または鏡面反射し、そのほとんどが射出面１０３１から放出される。多重内部反射によって光ガイドプレート３内の光の混合が強化され、それにより、より一様な光が光射出面１０３１全体から射出する。
【００４９】
これらのプリズム表面レリーフフィーチャは、エンボス、射出成形鋳造または他の技法などによって光ガイドの表面に製造されるか、あるいは平らな光ガイドの表面に取り付けられることになる薄膜中に製造されるかのいずれかである。特定の設計では、光ガイドの頂部表面、つまり光射出面とは反対側の露出表面にプリズム表面レリーフ構造が配置されている。したがって周辺条件から保護されない場合、方向転換ファセットは、ほこり、水または他の汚染物質によって容易に汚染される。たとえばほこりが存在していると、ファセット界面部分の内部全反射が破壊され、プリズム微細構造の光方向転換性能が低下することがある。また、このようなプリズム微細構造の谷間にトラップされたごみまたは粒子汚染物質は、観察者の目に光を直接散乱させることになり、したがって表示コントラストが小さくなる。
【００５０】
したがって、ディスプレイを製造している間、およびディスプレイの使用寿命の間、プリズム表面レリーフ構造を保護することが有利である。これは大きな問題であり、この技術の広範囲にわたるアプリケーションを制限している。製造中、クリーンルーム設備を使用して表面レリーフの汚染を防止することができるが、この手法の場合、製造コストが増加する。また、デバイスを使用している間、密閉されたカバープレートを使用してプリズム表面を保護することも可能である。しかしながら、これが寄与するのは光ガイドの厚さに対してであり、製造が複雑になる。したがって、場合によっては、性能を改善し、製造を単純にし、かつ／またはコストを低減することができる他の設計が望ましい。
【００５１】
図９は、線形光源２およびフロント光ガイドパネルまたはプレート１０３（ＬＧＰ）を備えたフロントリットディスプレイの一実施例を示したものである。この線形光源２は、たとえば、冷陰極蛍光管（ＣＣＦＬ）ランプ、ＬＥＤ、ＯＬＥＤ、ＬＥＤまたはＬＥＤアレイによって照明されるライトバー、蛍光管または他の適切な任意の線形光源を備えることができる。この光源２は、線形光源２からの光が光ガイドプレート１０３の光入射表面１３３に入射するよう、フロント光ガイドプレート１０３の縁と平行に整列している。
【００５２】
フロント光ガイド１０３は、線形光源２からの光の方向を変え、かつ、射出面の平らな表面に光を一様に再分配することができる実質的に光学的に透過型の材料からなっている。光ガイド１０３は、光入射表面１３３、光入射表面に直角の光射出面１３１、および光射出面１３１とは反対側の観察面１３２を備えている。
【００５３】
線形光源２からの光５は、光ガイドプレート１０３の光入射表面１３３に入射し、以下でより詳細に説明するように、光ガイドプレート１０３の長さＬに沿って伝搬し、光ガイドプレート１０３の前面１３２と背面１３１の間で反射し、光ガイドプレート１０３内のフィーチャによってその方向を転換し、光射出面１３１を介して光ガイドプレート１０３から射出し、ディスプレイパネル４に向かって伝搬する。
【００５４】
特定の実施形態では、フロント光ガイド１０３は、互いに平行をなしている射出面１３１および観察面１３２を備えた長方形のプレートつまりシートを備えている。一実施形態では、フロント光ガイド１０３は、光射出面１３１および観察面１３２が互いに角度が付けられたくさび形プレートを備えることができる。他の実施形態では、光射出面１３１および観察面１３２の一部が互いに角度が付けられ、他の部分が互いに平行をなしている。他の実施形態では、光射出面１３１および観察面１３２は互いに平行ではなく、たとえば観察面１３２は、鋸歯パターン（図示せず）を有することができる。
【００５５】
特定の実施形態では、フロント光ガイドは、上部部分および下部部分からなっていてもよく、上部部分および下部部分は、それぞれ、輪郭が付けられた対向する表面が上部部分と下部部分の間に埋め込まれた複数の方向転換フィーチャを生成するように一体に結合される輪郭付き表面を有している。たとえば、図９に示されているように、フロント光ガイド１０３は、光ガイド１０３の光方向転換フィーチャ１４０が重合体膜１３６および１３８の２つの隣接する面に形成され、したがって結果として得られる光ガイドパネル１０３の中に埋め込まれるように一体に結合された２つの重合体膜１３６および１３８からなっていてもよい。
【００５６】
図１０により詳細に示されているように、光ガイド１０３は、底部膜１３６（観察者から遠い方に配置されている）および頂部膜１３８（観察者に近い方に配置されている）を備えている。底部膜１３６は、結果として得られる光ガイドプレートの射出面１３１を形成している平らな表面、およびその反対側に構造化された、膜１３６の幅全体にわたって間隔を隔てて配置された複数の表面レリーフフィーチャ１４０ａを備えた表面１３５を有している。同様に、頂部膜１３８も、結果として得られる光ガイド１０３の観察面１３２を形成している平らな表面、およびその反対側に構造化された、膜１３８の幅全体にわたって間隔を隔てて配置された複数の表面レリーフフィーチャ１４０ｂを備えた表面１３７を備えている。光ガイドプレート１０３は、２つの膜１３６および１３８を、表面フィーチャ１４０ａおよび１４０ｂが結果として得られる膜１０３の中に埋め込まれ、それにより外部の損傷または汚染から保護されるよう、それらの構造化された面１３５および１３７を互いに対向させて一体に結合することによって生成することができる。図に示されている実施形態では、膜１３６および１３８は、膜１３６および１３８の構造化された面１３５および１３７の各々が整列して一体に結合されると、表面レリーフフィーチャ１４０ａおよび１４０ｂが、光ガイドプレート１０３の長さ全体にわたって間隔を隔てて配置された一連の充填可能ギャップすなわち空胴１５０（図９参照）を形成するように光学的に結合される。しかしながら、代替実施形態では、互いに対向する表面フィーチャ１４０ａおよびｂは、頂部膜１３８および底部膜１３６の表面１３７および１３５に沿って必ずしも等間隔で配置する必要はなく、その代わりに、たとえば異なる光方向転換効果を光ガイドプレートの長さに沿って提供するために故意にオフセットさせることも可能である。
【００５７】
一実施形態では、頂部膜１３８および底部膜１３６は、これらの膜が結合されると、それらが光学的に１つの光ガイドになって１つの膜のように動作し、それらの間に光学的な界面が存在せず、かつ、複数の空胴がその中に埋め込まれるよう、同じ屈折率を有している。使用中、誘導された、複数のファセットのうちの１つと埋め込まれた空気ポケットとの間の界面に衝突した光は、その界面で優先的に内部全反射し、それによりたとえば７５°〜９０°の間の大きい角度で方向転換することになる。特定の実施形態では、空胴に充填材を充填し、光ガイドプレートに機械的な安定性および強度を提供することができる。充填材は、ファセット／空胴界面における内部全反射が依然として生じることを保証するために、光ガイド材料の屈折率とは異なる屈折率を有することができる。
【００５８】
したがって空胴は空であってもよい。上で説明したように、これらの空胴は、材料で充填することも可能である。空胴という用語は、その体積が空であり、たとえば空気またはガスが充填されている状態、あるいはその体積が、異なる光学特性、たとえば屈折率などを有する光学的に透過型の材料などの材料で充填されている状態のいずれかを説明するために使用されている。
【００５９】
また、たとえば射出面全体に所望の角度で一様に光を分配するために、入射面に入射する誘導光と広範囲にわたって相互作用し、かつ、抽出効率が高くなるか、あるいは抽出効率が最大化されるように、表面フィーチャ１４０ａおよび１４０ｂの形状およびサイズ、延いては結果として得られる空胴１５０（図９参照）の形状およびサイズを選択することも可能である。したがって表面フィーチャ１４０ａおよび１４０ｂは、側面つまり一般的には射出面１３１に対して平行である入射面１３３から注入された光を大きい角度で方向転換させ、かつ、射出面１３１から放出させるために適した任意の形状を備えることができる。それと同時に、表面フィーチャ１４０ａおよび１４０ｂは、観察面１３２に入射する、観察面１３２に対して実質的に直角の周辺光などの光を光ガイドプレート１０３および比較的影響されない表面フィーチャを介して透過させ、かつ、射出面に対して実質的に直角の角度で射出面１３１から放出させる形状にすることも可能である。たとえば、表面フィーチャは、２つの隣接する対称ファセットを個々に備えた複数の反復プリズム微細構造を備えることができる。別法としては、表面フィーチャは、膜に対して異なる傾斜角を有する２つの隣接するファセットを個々に備えた複数の反復プリズム微細構造を備えることができる。他の構成も可能である。
【００６０】
一実施形態では、表面フィーチャ１４０ａおよび１４０ｂは、観察者に目立たないよう、十分に小さい。特定の実施形態では、表面フィーチャ１４０ａおよび１４０ｂは、膜１３６および１３８の長さＬ全体にわたって全く同じにすることができ、たとえば、上で説明したように同じ角配向、形状または寸法を反復することができる。別法としては、表面フィーチャ１４０ａおよびｂの形状、角配向および／またはサイズを膜１３６および１３８の長さ全体にわたって変化させることも可能である。
【００６１】
特定の実施形態では、表面フィーチャ１４０ａを表面フィーチャ１４０ｂの対向するミラーにすることができ、別法としては、表面フィーチャ１４０ａの形状を表面フィーチャ１４０ｂに対して相補形状にし、一方を少なくとも部分的にもう一方の中に適合させることも可能である。互いに対向している頂部膜１３８および底部膜１３６の表面フィーチャ１４０ｂおよび１４０ａは、一体に結合されると、これらの２つの膜の間に埋め込まれた複数の対称空胴１５０を生成することができる。別法としては、互いに対向している頂部膜１３８および底部膜１３６の表面フィーチャ１４０ｂおよび１４０ａは、これらの膜の間に埋め込まれた非対称空胴を生成することも可能である。特定の実施形態では、このような非対称空胴を設計することにより、ファセット／空気界面の長さを短くし、延いては、光線が界面に衝突する際に生じる有害なフレネル反射を抑制することができる。表面フィーチャ１４０ａおよび１４０ｂを結合することによって空胴が生成されるため、より複雑な方向転換フィーチャを生成することができる。たとえば再入可能構造を生成することができ、いずれの膜にも再入可能な性質は形成されないが、その代わりに頂部膜１３８および底部膜１３６の表面フィーチャ１４０ｂおよび１４０ａを結合する際に生成される。
【００６２】
たとえば、図１０に詳細に示されている実例実施形態では、底部膜１３６上の表面フィーチャ１４０ａは、構造化された表面１３５の長さ全体にわたって間隔を隔てて配置され、かつ、複数の平らなスペーサ１４３によって分離された複数の交互マイクロプリズム１４２を備えている。マイクロプリズム１４２は、マイクロプリズム１４２の先端に入射した光線５がプリズムに入射し、引き続いてマイクロプリズム／空気界面で内部反射し、それにより大きい角度で方向転換し、光線６として光ガイド１０３の射出面１３１から射出するように互いに角度が付けられた隣接するファセットで形成されている。頂部膜１３８上の表面フィーチャ１４０ｂは、構造化された表面１３７の長さ全体にわたって間隔を隔てて配置された複数の溝１４４を備えている。溝１４４は、膜１３８の長さ全体にわたって内部全反射した内部全反射（ＴＩＲ）光線、ならびに溝１４４に入射した、ＴＩＲに近い角度を有する光線が、溝１４４の幅全体にわたって直線的に屈折するように互いに角度が付けられた隣接する表面を備えている。したがって、図９に示されているように、膜１３６および１３８が結合されて光ガイドプレート１０３が形成されると、表面フィーチャ１４０ａおよび１４０ｂが協同して、光ガイドプレート１０３の長さに沿って間隔を隔てて配置された埋設空胴１５０を形成する。これらの空胴１５０によってマイクロプリズム１４２の表面に空気／光ガイド材料界面が生成され、それによりマイクロプリズム１４２の先端を通って移動する光が大きい角度で方向転換し、したがって入射面１３３に入射した光線５が再分配され、かつ、方向転換され、光６として射出面１３１からディスプレイ４に向かって放出される。
【００６３】
使用中、図８、１０〜１１に示されているように、線形光源２からの光線５がフロント光ガイドプレート１０３に注入されると、光線５は、内部全反射（ＴＩＲ）によって光ガイドプレート１０３を通って伝搬する。内部全反射（ＴＩＲ）は、ガラスなどの屈折率がより大きい媒体から空気などの屈折率がより小さい媒体へ移動する光が、媒体境界で光が反射する角度で媒体境界に入射する光学現象である。これらの光線が光ガイドプレートを通って誘導されると、最終的には表面フィーチャ１４０ａのマイクロプリズム１４２のファセットに衝突することになる。空胴１５０によって形成される空気／光ガイド材料界面における空気と光ガイド材料の間の屈折率の差のため、光線５は、大きい角度で方向転換して光ガイドプレート１０３の光射出面１３１から放出される。光ガイドプレート１０３の光射出面１３１から放出された光線６は、エアギャップを横切って伝搬し、ディスプレイパネル４、たとえば分岐干渉変調器ディスプレイパネルに入射し、そこで光線が変調され、反射して光ガイドの光射出面１３１に向かって戻る。図１１に示されているように、ディスプレイパネル４からの変調光線７は、光ガイドプレート１０３の光射出面１３１に入射する。これらの光線７は、光ガイドプレート１０３を通って伝搬し、観察面１３２から射出する。したがって使用者はこの光線７を見ることができる。したがって、様々な実施形態では、表面フィーチャ１４０ａおよび１４０ｂ、延いては空胴１５０は、光射出面１３１に直角またはほぼ直角に近い角度で入射する光が、大きな妨害または逸脱を伴うことなく、光ガイドプレート１０３および空胴１５０を通って伝搬するように形状化されている。
【００６４】
図１２に示されているように、周辺光のレベルが十分に高い場合、ディスプレイパネル４を照明するための線形光源２からの追加照明は必ずしも必要ではない。ここでは、直角またはほぼ直角に近い角度で観察面１３２に入射する周辺光線８も、同様に、大きな妨害を伴うことなく、光ガイドプレート１０３および空胴１５０を通って伝搬している。周辺光線８は、次に、光射出面１３１から放出され、上で説明したようにエアギャップを横切ってディスプレイ４まで伝搬する。したがって光ガイドプレート１０３は、光入射面に入射する誘導光と広範囲にわたって相互作用し、かつ、それと同時に、射出面および観察面に入射する非誘導光をほとんど妨害しない機能を提供している。さらに、光ガイドプレート１０３は、表面フィーチャを２つの膜の間に埋め込むことによって光方向転換フィーチャを損傷または汚染から保護している。
【００６５】
特定の実施形態では、表面フィーチャ１４０ａおよびｂのサイズ、形状、間隔または他の特性を光ガイドプレート１０３の長さＬ全体にわたって変化させることができ、それによりたとえば光射出面１３１の長さ全体にわたって一様な光抽出を得ることができる。図１３に示されているように、対応する表面フィーチャ１４０ａおよび１４０ｂの対と対の間の距離が光ガイドプレートの幅全体にわたって５０ミクロンから４５０ミクロンまで変化している特定の光ガイドパネル１０３（図９〜１２に示されているような）が示されている。たとえば、図に示されている実施形態では、表面フィーチャ１４０ａと１４０ｂの間の間隔は、光源２からの距離が長くなるほど短くなっている。たとえば、光源２に最も近い光ガイドプレート１０３の領域Ａでは、表面フィーチャ１４０ａおよび１４０ｂの対と対の間の間隔は約４５０ミクロンであり、中間の領域Ｂでは、表面フィーチャ１４０ａおよび１４０ｂの対と対の間の間隔は約１５０ミクロンである。また、最も遠い領域Ｃでは、表面フィーチャ１４０ａおよび１４０ｂの対と対の間の間隔は約５０ミクロンである。表面フィーチャ１４０ａおよび１４０ｂの対と対の間の距離を短くすることによって、光源２から最も遠い光ガイドプレート１０３の領域の抽出効率を高くしている。この抽出効率は、光ガイド１０３のより遠くの領域に実際に到達する光束の減少を平衡させており、したがって光射出面１３１の表面全体により一様に射出することができる。別法としては、上で説明したように光ガイドプレート１０３の観察面１３２を射出面１３１に対して角度を付け、それによりくさび形の光ガイドプレート１０３を形成することも可能であり、これにより、同じく光源２から最も遠い光ガイドプレートの領域の抽出効率を高くすることができる。
【００６６】
光ガイド１０３は、底部膜１３６の上のマイクロプリズム１４２または図１０に示されている頂部膜１３８の上のファセット化された溝１４４などの設計された表面レリーフを備えた膜１３６および１３８をインプリントすることによって製造することができる。これらの表面レリーフフィーチャは、エンボス、射出成形または当分野で知られている他の適切な任意の技法によって生成することができる。頂部膜および底部膜の上に表面フィーチャが成形されると、これらの膜を整列させ、かつ、一体に結合して光ガイドプレート１０３を生成することができる。これらの膜は、たとえば適切な任意の接着剤を使用した積層によって一体に結合することができる。適切な接着剤には、たとえば感圧性接着剤、熱硬化性接着剤、ＵＶまたは電子ビーム硬化性接着剤あるいは適切な光学特性および機械特性を有する他の任意の接着剤がある。しかしながら、いくつかの実施形態では、これらの膜を積層する場合、表面フィーチャと表面フィーチャの間の空の空胴が接着材料で充填され、これらの空胴の光方向転換特性が破壊される可能性がないよう、注意しなければならない。いくつかの実施形態では、これらの膜の厚さは約７０〜８０ミクロンの間であるが、表面フィーチャの深さは、約７ミクロンないし８ミクロンの間にすぎない。したがって、注意を怠ると、これらの膜を結合するために圧力を印加する際に、頂部膜および底部膜を結合するために使用される積層接着剤が表面フィーチャによって生成される空の空胴の中ににじみ出るか、あるいは滲出して、これらの空の空胴が充填されることがある。このような状況は、頂部膜と底部膜の間に加えられる積層材料の厚さを制御し、接着剤が過剰になることを防止することによって回避することができる。別法としては、これらの２つの膜を結合するためにこれらの２つの膜に極端な圧力を印加する必要がないよう、光反応性接着剤を使用することも、ＵＶ光によって硬化させることも可能である。別法としては、これらの２つの膜の間に薄い金属コーティングを加え、次に、ＲＦエネルギーを使用して硬化させることも可能である。特定の実施形態では、膜に表面レリーフフィーチャがインプリントされる前に積層材料を加えることができる。個々の膜に表面フィーチャをインプリントする場合、表面フィーチャから積層材料が除去されるため、したがってこれらの２つの膜を結合する際に、空の空胴に滲出する過剰材料は一切存在していない。特定の実施形態では、上で説明したように、屈折率が光ガイド材料の屈折率より小さい充填材で空の空胴を充填することができる。この充填材は、充填材が、空胴中への積層材料のあらゆる滲出および充填を防止するための追加機能をもたらすよう、積層に先立って加えることができる。
【００６７】
他の手法も可能である。代替実施形態では、光ガイド中に埋め込まれた方向転換フィーチャは、平らな膜に積層された、輪郭が付けられた単一の膜によって生成することができる。たとえば、図１４〜１５に示されているように、光ガイド２０３は、プラスチック光ガイドまたはガラス光ガイドなどの光ガイドプレート２２３の平らな頂部表面に積層された、輪郭が付けられた単一の膜２３８を備えることができる。図に示されている実施形態では、膜２３８の輪郭が付けられた表面は、平らな表面よりもディスプレイパネルから離れている。ここでは、方向転換ファセットは、膜２３８の輪郭が付けられた表面に平らなプラスチックカバー層２６０を加えることによって保護することができる。たとえば、膜２３８は、アクリル、ポリカーボネート、ＺＥＯＮＥＸ（登録商標）または当分野で知られている他の適切な任意のプラスチックなどのプラスチック膜を備えることができる。膜２３８には、エンボス、射出成形または他の適切な任意の技術によって生成される反復表面レリーフ構造をインプリントすることができる。表面レリーフフィーチャ２４０は、対称であっても、非対称であってもよい複数のファセット２４２および２４４を備えることができる。膜２３８は、次に、エンボス膜２３８が事実上光ガイドプレート２２３の一部になるよう、光ガイドプレート２２３の頂部表面に取り付けるか、あるいは積層することができる。屈折率整合接着剤を使用することができる。インプリントされた表面レリーフフィーチャ２４０は、膜２３８の頂部露出表面として残される。カバー層２６０は、次に、膜２３８の露出表面に取り付けられるか、あるいは積層される。上で説明したように、膜２３８およびカバー層２６０の両方の屈折率が類似している場合、表面レリーフフィーチャ２４０は、事実上、複合（単一ユニタリ）光ガイド２０３の中に埋設される。
【００６８】
図１５に示されているように、表面レリーフフィーチャ２４０とカバー層２６０の間に、上で説明した空胴と同様の空胴（たとえば空気ポケット）２５０が生成されている。使用中、光源２からの複数の光線５が光入射表面２３３で光ガイド２０３に入射し、光ガイド２０３と周囲の空気との間の界面における光線の内部全反射によって光ガイドの長さに沿って誘導される。光線５が複数の埋設空胴２５０のうちの１つによって生成される光ガイド材料／空気界面に内部全反射のための臨界角より大きい角度で衝突すると、光線５も同様に内部全反射することになる。しかしながら、表面レリーフフィーチャ２４０のファセット２４２および２４４によって生成される空気／光ガイド材料界面の角度のため、内部全反射した光は、大きい角度、一般的には９０度以上の角度で方向転換し、次に、光射出面２３１を介して光ガイド２０３からディスプレイパネル４に向かって射出することになる。
【００６９】
図１６の横断面図に示されているような特定の実施形態では、表面レリーフフィーチャ３４０は、光ガイド３０３内の空胴（たとえば空気ポケット）３５０が非対称形状を有するように構成することができる。詳細には、図に示されているように、光源２に近い方の側と光源２から遠い方の側とは異なっている。たとえば２つのファセット３４２および３４４の急峻度は異なっている。図１６では、表面レリーフフィーチャ３４０は２つの隣接するファセット３４２および３４４を備えており、第１のファセット３４２は、短く、かつ、急峻なファセットであり、第２のファセット３４４は垂直ファセットである。空胴３５０のこの非対称形状により、光ガイド材料／空気界面の長さが短くなり、したがって光が界面に衝突する際に生じる有害なフレネル反射が抑制される。これらのファセットは、他の角度を有することも可能であり、また、異なる形状にすることも可能である。
【００７０】
埋設表面レリーフフィーチャの他の利点は、空胴３５０によって形成される埋設空気／光ガイド材料界面を使用することにより、側光源２からの光５がより効率的に中継されることである。たとえば図１７に示されているように、約３０°の半角を有する円錐内に含まれている光線５が光ガイド３０３を通って伝搬し、空胴３５０で光ガイド材料／空気界面に衝突すると、上で説明したように光の一部６が内部全反射によって下に向かって方向転換し、また、光の一部７が界面を通って空胴３５０中に屈折する。ここでは、光７は、垂直ファセット３４４で空気／光ガイド材料界面に衝突するまで空胴３５０を通って伝搬することになる。光７は、次に、この界面で屈折し、それによりある程度平行化されて光ガイド材料中に戻る。この光が次に光ガイドの表面で空気／光ガイド材料界面に衝突すると、光７は、内部全反射して光ガイド内に留まることになる。それとは逆に、表面レリーフフィーチャが２つの埋設光ガイド−空気界面を備えた空胴を備えていない場合、表面レリーフフィーチャの光ガイド材料／空気界面で内部全反射しない光は、すべて界面を通って屈折し、光ガイドから射出することになる。したがって、屈折した光の一部が光ガイドから射出することを防止するべく空胴を埋め込み、第２の空気／光ガイド材料界面を提供することによって光ガイドの効率が改善される。
【００７１】
代替実施形態では、図１８に示されているように、方向転換ファセット２４２および２４４は、銀または他の適切な任意の金属コーティングなどの反射コーティング２８０でコーティングすることができる。また、反射コーティング２８０を使用した場合、光ガイド材料／空気界面を通って既に屈折していることになるあらゆる光を、内部全反射による方向転換ではなく、この反射コーティングによってディスプレイパネルに向けて下方に反射させることができるため、光ガイドの効率を改善することができる。特定の実施形態では、上で説明したように、空胴２５０にも充填材を充填することができ、構造に機械的な安定性および強度を提供することができる。特定の実施形態では、反射コーティングを加える代わりに、充填材を反射型にすることができる。
【００７２】
方向転換ファセット２４２および２４４は、表面フィーチャ２４０によって生成される光ガイド材料／空気界面で光を大きい角度で方向転換させるために適した任意の形状にすることができる。さらに、上で説明したように、ファセットのサイズ、形状、間隔または他の特性を変化させることにより、光ガイド２０３の長さ全体にわたって一様な光抽出を得ることができる。特定の実施形態では、図１９に示されているように、表面レリーフフィーチャ２４０は、図１５に示されている単一ファセット化表面２４２および２４４の代わりに、複数の多重ファセット化表面４４２および４４４を備えることができる。多重ファセット化表面は、入射する光が方向転換する角度範囲を広くすることができ、したがって、図１９に示されているように、隣接する表面フィーチャ２４０によって方向転換した光がディスプレイパネル４で重畳する確率が高くなり、延いてはディスプレイパネル４に入射する光の一様性が改善される。これは、方向転換した光線が広がることができる距離Ｄが短くなるよう、ディスプレイパネル４および埋設表面レリーフフィーチャ２４０が緊密に間隔を隔てている場合にとりわけ有利である。たとえば、図１９に示されているように、多重ファセット化された方向転換表面４４２に異なる高さで衝突する光線１５は、光線１５が方向転換表面に衝突する角度に応じた異なる角度で内部全反射して方向転換することになる。
【００７３】
代替実施形態では、図２０に示されているように、方向転換表面５４２および５４４は、別法として、湾曲した単一の表面を備えることができる。この湾曲した表面５４２および５４４は、入射した光が方向転換ファセット５４２および５４４に衝突する位置に応じて空気／光ガイド材料界面の界面角度を変化させることによって、上で説明した利点と同じ利点を提供することができる。そのため、延いては光が内部全反射する角度範囲が広くなり、したがって隣接する表面フィーチャ２４０によって反射した光がディスプレイパネル４に衝突する際に重畳する確率が高くなり、延いてはディスプレイパネル４に入射する光の一様性が改善される。
【００７４】
代替実施形態では、図２１に示されているように、複合光ガイド６０３は、第１の平らな表面および輪郭が付けられた、膜の第１の面の長さ全体にわたって展開している凹状表面レリーフフィーチャ６４０を備えた第２の表面を有する膜６３８と、平らな頂部表面および底部表面を有するプラスチックまたはガラス製の光ガイドプレート６２３とを備えることができる。膜６３８は、膜６３８の平らな表面と光ガイドの平らな底部表面が隣接し、膜６３８が事実上光ガイドプレート６２３の一部になるよう、光ガイドプレート６２３の底部表面に取り付けるか、あるいは積層することができる。
【００７５】
膜６３８の輪郭が付けられた表面は、凹状表面レリーフフィーチャ６４０が、膜６３８の同じく光ガイドプレート６２３とは反対側に面している露出表面に留まるよう、光ガイドプレート６２３とは反対側に面してしいる。特定の実施形態では、膜６３８の輪郭が付けられた表面に平らなプラスチックカバー層６６０を加え、膜６３８とカバー層６６０の間に表面フィーチャを埋め込むことによって凹状表面フィーチャ６４０を保護することができる。上で説明したように、膜６３８およびカバー層６６０の両方の屈折率が類似している場合、表面レリーフフィーチャ６４０は、事実上、複合光ガイド６０３の中に埋設される。別法としては、膜６３８とディスプレイエレメントのアレイの間に凹状表面フィーチャが埋め込まれるよう、ディスプレイエレメントのアレイに膜６３８の凹状表面を直接取り付けるか、あるいは積層することも可能である。凹状表面レリーフフィーチャ６４０は、対称であっても、非対称であってもよい複数の隣接するファセットを備えることができる。図に示されている実施形態では、凹状表面レリーフフィーチャ６４０は、同じ傾きを有する傾斜側壁すなわちファセット６４２および６４４を備えているが、これらの傾斜は、実施形態に応じて異なる傾斜にすることができる。これらの傾斜側壁６４２および６４４は、膜６３８中における空胴６５０の深さが深くなるにつれて空胴６５０の幅が広くなるように傾斜が付けられている。同様に、ディスプレイエレメント４に最も近い個々のファセット６４２および６４４の縁は、ディスプレイから最も遠い個々のファセット６４２および６４４の縁よりも互いに接近している。
【００７６】
特定の実施形態では、図２１に示されているように、表面レリーフフィーチャ６４０は、光ガイド６０３を通って伝搬する誘導光が空気／光ガイド材料界面で内部全反射するように形状化し、かつ、サイズ化することができる。使用中、光源２からの複数の光線５が光入射表面６３３で光ガイド６０３に入射し、光ガイド６０３と周囲の空気との間の界面における光線の内部全反射によって光ガイドの長さに沿って誘導される。光線５が複数の埋設空胴（たとえば空気ポケット）６５０のうちの１つによって生成される空気／光ガイド材料界面に内部全反射のための臨界角より大きい角度で衝突すると、光線５は、ファセット６４２で内部全反射することになる。表面レリーフフィーチャ６４０のファセット６４２および６４４によって生成される空気／光ガイド材料界面の角度のため、内部全反射した光は、大きい角度、一般的には９０度以上の角度（光射出面６３１に対して）で方向転換し、次に、光射出面６３１を介して光ガイド６０３からディスプレイエレメント４のアレイに向かって射出することになる。
【００７７】
代替実施形態では、図２２に示されているように、表面レリーフフィーチャ７４０は、光ガイド７０３を通って伝搬する誘導光が、空気／光ガイド材料界面における光線の屈折によってディスプレイエレメントのアレイに向かって方向転換するように形状化し、かつ、サイズ化することができる。表面レリーフフィーチャ７４０とカバー層７６０の間に、上で説明した空胴と同様の空胴（たとえば空気ポケット）７５０が生成されている。図に示されている実施形態では、表面レリーフフィーチャ７４０は、垂直側壁すなわちファセット７４２および７４４を備えているが、これらの傾斜は、実施形態に応じて異なる傾斜にすることができる。
【００７８】
使用中、光源２からの光線５が光入射表面７３３で光ガイド７０３に入射し、光ガイド７０３と周囲の空気との間の界面における光線の内部全反射によって光ガイドの長さに沿って誘導される。光線５が複数の埋設空胴７５０のうちの１つによって生成される空気／光ガイド材料界面に衝突すると、光ガイドと空気の間の屈折率の変化によって光線５が屈折することになる。表面レリーフフィーチャ７４０のファセット７４２によって生成される空気／光ガイド材料界面の角度のため、光射出面７３１を介して光ガイド７０３から射出するように光が湾曲し、ディスプレイエレメント４のアレイに向かって導かれる。
【００７９】
広範囲にわたる他の様々な変形形態も可能である。構造フィーチャを追加し、除去し、再配列し、あるいは再配置することができる。異なる構造フィーチャを代用することも可能である。コンポーネントのタイプ、配置および構成は、別様にすることができる。コンポーネントは、追加または除去することができる。同様に処理ステップも追加または除去あるいは再配列が可能である。また、いくつかの実施形態はプレートとして記述されているが、これらの実施形態は、さもなければ膜またはシートを備えることも可能である。また、本明細書において使用されている膜および層という用語には、膜スタックおよび多層が含まれている。これらの実施形態は、分岐干渉ディスプレイのコンテキストの中で説明されているが、反射技術、透過技術および半透過技術のうちの任意の技術のための室内照明およびディスプレイ照明を始めとするあらゆる有向照明解決法にこの技術を適用することができることは当業者には認識されよう。
【００８０】
以上の詳細な説明は、様々な実施形態に適用された本発明の新規な特徴を図に示し、説明し、かつ、指摘したものであるが、上で説明したデバイスまたはプロセスの形態および細部に、本発明の精神から逸脱することなく、様々な省略、置換および変更を当業者によって加えることができることは理解されよう。また、上でも言及したように、特定の専門用語の使用は、それが本発明の特定の特徴または態様を記述している場合、その専門用語が、本明細書において、その専門用語と関連している本発明の特徴または態様の何らかの特定の特性を包含するように限定するべく定義し直されていることを暗に意味するものと解釈してはならないことに留意されたい。本発明の範囲は、以上の説明によってではなく、特許請求の範囲の各請求項によって示されている。これらの請求項の等価物の意味および範囲に包含されるすべての変更は、特許請求の範囲に包含されるものとする。
【符号の説明】
【００８１】
２  線形光源
３  フロント光ガイド（光ガイドプレート）
４  ディスプレイパネル（ディスプレイ、ディスプレイエレメント）
５、６  光ガイドに注入された光（光ビーム、線形光源からの光、光線、光）
７  変調光線（光）
８  周辺光線
１２ａ、１２ｂ  分岐干渉変調器
１４、１４ａ、１４ｂ  可動反射層（金属材料の条片）
１５  多重ファセット化された方向転換表面に異なる高さで衝突する光線
１６、１６ａ、１６ｂ  光学スタック（行電極）
１８  ポスト（サポート）
１９  ギャップ
２０  基板
２１  プロセッサ（システムプロセッサ）
２２  アレイドライバ
２４  行ドライバ回路
２６  列ドライバ回路
２７  ネットワークインタフェース
２８  フレームバッファ
２９  ドライバコントローラ
３０  パネル（ディスプレイ、ディスプレイアレイ）
３２  テザー
３４  変形可能層
４０  ディスプレイデバイス
４１  ハウジング
４２  サポートポストプラグ
４３  アンテナ
４４  バス構造
４５  スピーカ
４６  マイクロホン
４７  トランシーバ
４８  入力デバイス
５０  電源
５２  条件付けハードウェア
１０３、２０３、２２３、３０３、６０３、６２３、７０３  フロント光ガイドパネルまたはプレート（フロント光ガイド、光ガイド、光ガイドパネル、光ガイドプレート）
１３１、２３１、６３１、７３１、１０３１  光射出面（射出面、光ガイドプレートの背面）
１３２、１０３２  観察面（光ガイドプレートの前面）
１３３、２３３、６３３、７３３、１０３３  光入射表面
１３５、１３７  構造化された表面
１３６  重合体膜（底部膜）
１３８  重合体膜（頂部膜）
１４０  光方向転換フィーチャ
１４０ａ、１４０ｂ、２４０、３４０、６４０、７４０  表面レリーフフィーチャ（表面フィーチャ）
１４２  マイクロプリズム
１４３  スペーサ
１４４  溝
１５０、２５０、３５０、６５０、７５０  空胴
２３８、６３８  膜（エンボス膜）
２４２、２４４、３４２、３４４、６４２、６４４、７４２、７４４、１０４２、１０４４  ファセット（方向転換ファセット、単一ファセット化表面、傾斜側壁）
２６０、６６０、７６０  カバー層
２８０  反射コーティング
４４２、４４４  多重ファセット化表面（多重ファセット化された方向転換表面）
５４２、５４４  方向転換表面（湾曲した表面、方向転換ファセット）
１００３  薄いスラブ形光ガイドパネル（光ガイド）
１０４０  プリズム微細構造
【図１】
2010526341.tif 000003
【図２】
2010526341.tif 000004
【図３】
2010526341.tif 000005
【図４】
2010526341.tif 000006
【図５Ａ】
2010526341.tif 000007
【図５Ｂ】
2010526341.tif 000008
【図６Ａ】
2010526341.tif 000009
【図６Ｂ】
2010526341.tif 000010
【図７Ａ】
2010526341.tif 000011
【図７Ｂ】
2010526341.tif 000012
【図７Ｃ】
2010526341.tif 000013
【図７Ｄ】
2010526341.tif 000014
【図７Ｅ】
2010526341.tif 000015
【図８】
2010526341.tif 000016
【図９】
2010526341.tif 000017
【図１０】
2010526341.tif 000018
【図１１】
2010526341.tif 000019
【図１２】
2010526341.tif 000020
【図１３】
2010526341.tif 000021
【図１４】
2010526341.tif 000022
【図１５】
2010526341.tif 000023
【図１６】
2010526341.tif 000024
【図１７】
2010526341.tif 000025
【図１８】
2010526341.tif 000026
【図１９】
2010526341.tif 000027
【図２０】
2010526341.tif 000028
【図２１】
2010526341.tif 000029
【図２２】
2010526341.tif 000030
【手続補正書】
【提出日】平成21年2月26日(2009.2.26)
【手続補正１】
【補正対象書類名】特許請求の範囲
【補正対象項目名】全文
【補正方法】変更
【補正の内容】
【特許請求の範囲】
【請求項１】
頂部表面および底部表面を有する上部部分であって、前記上部部分の前記底部表面に輪郭が付けられた上部部分と、
頂部表面および底部表面を有する下部部分であって、前記下部部分の前記頂部表面に輪郭が付けられた下部部分と
を備えた光ガイドであって、前記上部部分が、前記上部部分の前記輪郭が付けられた底部表面および前記下部部分の前記輪郭が付けられた頂部表面が前記上部部分と前記下部部分の間に空胴を形成するように前記下部部分の上に配置され、
前記部分のうちの一方が突出部を形成する輪郭を有し、また、前記部分のうちのもう一方が凹所を形成する輪郭を有し、前記突出部の形状および凹所の形状が同じ形状ではなく、前記突出部が前記凹所の中に突出している光ガイド。
【請求項２】
前記上部部分および下部部分が、輪郭が付けられた、表面レリーフフィーチャがインプリントされた表面を有する膜を備えた、請求項１に記載の光ガイド。
【請求項３】
前記表面レリーフフィーチャが複数の細長いマイクロプリズムを備えた、請求項２に記載の光ガイド。
【請求項４】
前記マイクロプリズムが、それぞれ、互いに角度が付けられた少なくとも２つの隣接するファセットを備えた、請求項３に記載の光ガイド。
【請求項５】
前記少なくとも２つの隣接するファセットが前記膜に対して異なる傾斜角を有する、請求項４に記載の光ガイド。
【請求項６】
前記傾斜角が前記膜の長さに沿って変化する、請求項５に記載の光ガイド。
【請求項７】
前記２つの隣接するファセットが湾曲した表面を備えた、請求項４に記載の光ガイド。
【請求項８】
前記マイクロプリズムが２つの面を備え、個々の面が多重ファセット化された、請求項４に記載の光ガイド。
【請求項９】
表面レリーフフィーチャ間の距離が５０ミクロンから４５０ミクロンの範囲に及ぶ、請求項２に記載の光ガイド。
【請求項１０】
隣接する表面レリーフフィーチャ間の距離が前記膜の長さに沿って変化する、請求項２に記載の光ガイド。
【請求項１１】
前記上部部分および下部部分が、光を注入することができる縁を備え、隣接する表面レリーフフィーチャ間の前記距離が前記縁からの距離が長くなるにつれて短くなる、請求項１０に記載の光ガイド。
【請求項１２】
前記光ガイドが光を注入することができる縁を備え、前記注入される光が前記空胴で前記光ガイドから散乱する、請求項１に記載の光ガイド。
【請求項１３】
前記空胴が空気ポケットを備えた、請求項１に記載の光ガイド。
【請求項１４】
前記空気ポケットが非対称である、請求項１３に記載の光ガイド。
【請求項１５】
前記空胴に充填材が充填された、請求項１に記載の光ガイド。
【請求項１６】
前記光ガイドが光を注入することができる縁を備え、前記縁に隣接して配置された光源をさらに備えた、請求項１に記載の光ガイド。
【請求項１７】
前記光源からの光が前記空胴表面によって前記下部部分の前記底部表面から散乱する、請求項１６に記載の光ガイド。
【請求項１８】
前記上部部分の前記輪郭が付けられた底部表面および前記下部部分の前記輪郭が付けられた頂部表面が複数の細長い溝を備えた、請求項１に記載の光ガイド。
【請求項１９】
前記複数の溝が傾斜した平らな表面を備えた、請求項１８に記載の光ガイド。
【請求項２０】
前記上部部分の前記底部表面の前記複数の溝のうちの少なくともいくつかが同じ形状を有し、あるいは前記下部部分の前記頂部表面の前記複数の溝のうちの少なくともいくつかが同じ形状を有する、請求項１８に記載の光ガイド。
【請求項２１】
前記複数の溝が非対称である、請求項１８に記載の光ガイド。
【請求項２２】
前記複数の溝と溝の間の距離が前記膜の長さ全体にわたって変化する、請求項１８に記載の光ガイド。
【請求項２３】
前記複数の溝と溝の間の前記距離が５０ミクロンから４５０ミクロンの範囲に及ぶ、請求項１８に記載の光ガイド。
【請求項２４】
前記上部部分の前記頂部表面と前記下部部分の前記底部表面が平行である、請求項１に記載の光ガイド。
【請求項２５】
前記上部部分の前記頂部表面の第１の部分と前記下部部分の前記底部表面の第１の部分が平行ではない、請求項１に記載の光ガイド。
【請求項２６】
前記上部部分の前記頂部表面の第２の部分と前記下部部分の前記底部表面の第２の部分が平行である、請求項２５に記載の光ガイド。
【請求項２７】
前記上部部分の前記頂部表面と前記下部部分の前記底部表面が平行ではない、請求項１に記載の光ガイド。
【請求項２８】
ディスプレイエレメントのアレイと、
前記ディスプレイエレメントと電気通信しているプロセッサであって、イメージデータを処理するように構成されたプロセッサと、
前記プロセッサと電気通信しているメモリ素子と
をさらに備えた、請求項１に記載のデバイス。
【請求項２９】
前記ディスプレイエレメントに少なくとも１つの信号を送信するように構成されたドライバ回路をさらに備えた、請求項２８に記載のデバイス。
【請求項３０】
前記ドライバ回路に前記イメージデータの少なくとも一部を送信するように構成されたコントローラをさらに備えた、請求項２９に記載のデバイス。
【請求項３１】
前記プロセッサに前記イメージデータを送信するように構成されたイメージソースモジュールをさらに備えた、請求項２８に記載のデバイス。
【請求項３２】
前記イメージソースモジュールが、レシーバ、トランシーバおよびトランスミッタのうちの少なくとも１つを備えた、請求項３１に記載のデバイス。
【請求項３３】
入力データを受け取り、かつ、前記入力データを前記プロセッサに通信するように構成された入力デバイスをさらに備えた、請求項２８に記載のデバイス。
【請求項３４】
頂部表面および底部表面を有するカバー層と、
頂部表面および底部表面を有する膜であって、前記膜の前記頂部表面に輪郭が付けられた膜と、
頂部表面および底部表面を有する光ガイドプレートと
を備えた光ガイドであって、
前記カバー層が、前記カバー層と前記膜の間に空胴が形成されるように前記膜の上に配置され、
前記膜が、前記カバー層、光ガイドプレートおよび膜の中を誘導された光が、もはや前記カバー層、光ガイドプレートまたは膜の中を誘導されないよう、前記空胴で内部全反射するように前記カバー層と前記光ガイドプレートの間に配置された光ガイド。
【請求項３５】
前記膜が、複数の表面レリーフフィーチャがインプリントされた頂部表面を備えた、請求項３４に記載の光ガイド。
【請求項３６】
前記複数の表面レリーフフィーチャが細長いマイクロプリズムを備えた、請求項３５に記載の光ガイド。
【請求項３７】
前記複数の表面レリーフフィーチャが互いに角度が付けられた少なくとも２つの隣接するファセットを備えた、請求項３６に記載の光ガイド。
【請求項３８】
前記少なくとも２つの隣接するファセットが前記膜に対して異なる傾斜角を有する、請求項３７に記載の光ガイド。
【請求項３９】
前記傾斜角が前記膜の長さに沿って変化する、請求項３８に記載の光ガイド。
【請求項４０】
前記２つの隣接するファセットが湾曲した表面を備えた、請求項３７に記載の光ガイド。
【請求項４１】
前記マイクロプリズムが多重ファセット化された隣接する面を備えた、請求項３７に記載の光ガイド。
【請求項４２】
前記ファセットがその上に反射コーティングを有する、請求項３７に記載の光ガイド。
【請求項４３】
表面レリーフフィーチャ間の距離が５０ミクロンから４５０ミクロンの範囲に及ぶ、請求項３４に記載の光ガイド。
【請求項４４】
表面レリーフフィーチャ間の距離が前記膜の幅に沿って変化する、請求項３４に記載の光ガイド。
【請求項４５】
前記膜が光を注入することができる縁を備え、表面レリーフフィーチャ間の前記距離が前記縁からの距離が長くなるにつれて短くなる、請求項４４に記載の光ガイド。
【請求項４６】
前記光ガイドが光を注入することができる縁を備え、前記注入される光が前記空胴で前記光ガイドから散乱する、請求項３５に記載の光ガイド。
【請求項４７】
前記空胴が空気ポケットを備えた、請求項３４に記載の光ガイド。
【請求項４８】
前記空気ポケットが非対称である、請求項４７に記載の光ガイド。
【請求項４９】
前記空胴に充填材が充填された、請求項３４に記載の光ガイド。
【請求項５０】
前記充填材が反射型である、請求項４９に記載の光ガイド。
【請求項５１】
前記光ガイドが光を注入することができる縁を備え、前記縁に隣接して配置された光源をさらに備えた、請求項３４に記載の光ガイド。
【請求項５２】
前記膜、前記光ガイドおよび前記カバー層が同じ屈折率を有する、請求項３４に記載の光ガイド。
【請求項５３】
前記光ガイドプレートがディスプレイエレメントのアレイの上に配置され、前記光ガイドプレートが前記カバー層より前記ディスプレイエレメントの方に近い、請求項３４に記載の光ガイド。
【請求項５４】
前記カバー層がディスプレイエレメントのアレイの上に配置され、前記カバー層が前記光ガイドプレートより前記ディスプレイエレメントの方に近い、請求項３４に記載の光ガイド。
【請求項５５】
前記カバー層がディスプレイエレメントのアレイを備えた、請求項３４に記載の光ガイド。
【請求項５６】
前記カバー層の前記頂部表面と前記光ガイドプレートの前記底部表面が平行である、請求項３４に記載の光ガイド。
【請求項５７】
前記カバー層の前記頂部表面の第１の部分と前記光ガイドプレートの前記底部表面の第１の部分が平行ではない、請求項３４に記載の光ガイド。
【請求項５８】
前記カバー層の前記頂部表面の第２の部分と前記光ガイドプレートの前記底部表面の第２の部分が平行である、請求項５７に記載の光ガイド。
【請求項５９】
前記カバー層の前記頂部表面と前記光ガイドプレートの前記底部表面が平行ではない、請求項３４に記載の光ガイド。
【請求項６０】
平らな表面を有するカバー層と、
第１および第２の表面を有する膜であって、前記第１の表面が複数の凹状表面レリーフフィーチャを備え、前記第２の表面が平らである膜と、
平らな頂部表面および底部表部を有する光ガイドプレートと
を備えた光ガイドであって、
前記膜が、前記平らな第２の表面と前記光ガイドプレートが隣接し、かつ、前記第１の表面の前記凹状表面レリーフフィーチャが前記光ガイドプレートの反対側に位置するように前記光ガイドプレートの上に配置され、
前記カバー層が、前記カバー層、光ガイドプレートおよび膜の中を誘導された光が、もはや前記カバー層、光ガイドプレートまたは膜の中を誘導されないように空胴で内部全反射するよう、前記カバー層の前記平らな表面および前記膜の前記凹状表面フィーチャが前記カバー層と前記膜の間に空胴を形成するように前記膜に隣接して配置された光ガイド。
【請求項６１】
前記複数の凹状表面フィーチャが細長いマイクロプリズムを備えた、請求項６０に記載の光ガイド。
【請求項６２】
前記複数の凹状表面レリーフフィーチャが互いに角度が付けられた少なくとも２つの隣接するファセットを備えた、請求項６１に記載の光ガイド。
【請求項６３】
前記少なくとも２つの隣接するファセットが互いに異なる傾斜角を有する、請求項６２に記載の光ガイド。
【請求項６４】
前記複数の凹状表面レリーフフィーチャが２つの垂直ファセットを備えた、請求項６１に記載の光ガイド。
【請求項６５】
前記２つの隣接するファセットが湾曲した表面を備えた、請求項６２に記載の光ガイド。
【請求項６６】
前記マイクロプリズムが多重ファセット化された隣接する面を備えた、請求項６１に記載の光ガイド。
【請求項６７】
前記複数の凹状表面フィーチャがその上に反射コーティングを有する、請求項６０に記載の光ガイド。
【請求項６８】
前記空胴が空気ポケットを備えた、請求項６０に記載の光ガイド。
【請求項６９】
前記空胴に充填材が充填された、請求項６０に記載の光ガイド。
【請求項７０】
前記充填材が反射型である、請求項６９に記載の光ガイド。
【請求項７１】
前記膜が前記光ガイドプレートの前記平らな頂部表面に配置された、請求項６０に記載の光ガイド。
【請求項７２】
前記膜が前記光ガイドプレートの前記平らな底部表面に配置された、請求項６０に記載の光ガイド。
【請求項７３】
前記カバー層がディスプレイエレメントのアレイの上に配置された、請求項６０に記載の光ガイド。
【請求項７４】
前記カバー層がディスプレイエレメントのアレイを備えた、請求項６０に記載の光ガイド。
【請求項７５】
前記カバー層が平らな頂部表面および底部表面を有する膜を備えた、請求項６０に記載の光ガイド。
【請求項７６】
前記膜、カバー層および光ガイドプレートが同じ屈折率を有する、請求項６０に記載の光ガイド。
【請求項７７】
前記光ガイドが光を注入することができる縁を備え、前記注入される光が前記空胴で前記光ガイドから散乱する、請求項６０に記載の光ガイド。
【請求項７８】
前記複数の凹状表面レリーフフィーチャが、前記縁を介して注入される光が前記空胴で屈折するように互いに角度が付けられた少なくとも２つの隣接するファセットを備えた、請求項７７に記載の光ガイド。
【請求項７９】
前記複数の凹状表面レリーフフィーチャが、前記縁を介して注入される光が前記空胴で内部全反射して方向転換するように互いに角度が付けられた少なくとも２つの隣接するファセットを備えた、請求項７７に記載の光ガイド。
【請求項８０】
前記カバー層が、
前記平らな表面の反対側に配置された観察面
をさらに備えた、請求項６０に記載の光ガイド。
【請求項８１】
前記観察面が平らである、請求項８０に記載の光ガイド。
【請求項８２】
前記観察面が平らではない、請求項８１に記載の光ガイド。
【請求項８３】
光を誘導するための第１の手段と、
光を誘導するための第２の手段であって、前記第１および第２の光誘導手段がそれぞれ前記第１および第２の光誘導手段を一体に整合させるための手段を有する手段と
を備えた光ガイドであって、
前記第１および第２の光誘導手段の両方のための前記整合手段が、前記第１および第２の光誘導手段が一体に整合されると、それらの間に光を反射させるための手段が形成されるように輪郭が付けられ、
前記第１および第２の光誘導手段のうちの一方の前記整合手段の前記輪郭が突出部を備え、また、前記第１および第２の光誘導手段のうちのもう一方の前記整合手段の前記輪郭が凹所を備え、前記突出部の形状および凹所の形状が同じ形状ではなく、前記突出部が前記凹所の中に突出している光ガイド。
【請求項８４】
前記第１の光誘導手段が前記光ガイドの上部部分を備え、前記第２の光誘導手段が前記光ガイドの下部部分を備えた、請求項８３に記載の光ガイド。
【請求項８５】
前記第１の光誘導手段の前記整合手段が前記上部部分の底部表面を備え、前記第２の光誘導手段の前記整合手段が前記下部部分の頂部表面を備えた、請求項８４に記載の光ガイド。
【請求項８６】
前記反射手段が光空胴を備えた、請求項８５に記載の光ガイド。
【請求項８７】
前記第１の誘導手段が頂部表面および底部表面を備え、前記第２の誘導手段が頂部表面および底部表面を備え、前記第１の誘導手段の前記底部表面が前記第２の誘導手段の前記頂部表面に隣接して配置された、請求項８３に記載の光ガイド。
【請求項８８】
前記光を反射する手段が前記光ガイドの中を伝搬する光を前記第２の誘導手段の前記底部表面に向けて方向転換させるように構成された、請求項８７に記載の光ガイド。
【請求項８９】
前記第１および第２の誘導手段が、それぞれ、表面レリーフフィーチャを備えた、輪郭が付けられた表面を有する１つまたは複数の膜を備えた、請求項８７に記載の光ガイド。
【請求項９０】
前記第１の誘導手段の前記底部表面および前記第２の誘導手段の前記頂部表面が複数の細長い溝を備えた、請求項８７に記載の光ガイド。
【請求項９１】
前記複数の溝が傾斜した平らな表面を備えた、請求項９０に記載の光ガイド。
【請求項９２】
前記第１の誘導手段の前記底部表面の前記複数の溝のうちの１つまたは複数が同じ形状を有しているか、あるいは前記第２の誘導手段の前記頂部表面の前記複数の溝のうちの１つまたは複数が同じ形状を有する、請求項９０に記載の光ガイド。
【請求項９３】
前記複数の溝が非対称である、請求項９０に記載の光ガイド。
【請求項９４】
前記複数の溝と溝の間の距離が前記第１の誘導手段または前記第２の誘導手段の長さ全体にわたって変化する、請求項９０に記載の光ガイド。
【請求項９５】
前記複数の溝と溝の間の前記距離が約５０ミクロンないし約４５０ミクロンである、請求項９０に記載の光ガイド。
【請求項９６】
前記第１の誘導手段の前記頂部表面と前記第２の誘導手段の前記底部表面が平行である、請求項８７に記載の光ガイド。
【請求項９７】
前記第１の誘導手段の前記頂部表面と前記第２の誘導手段の前記底部表面が平行ではない、請求項８７に記載の光ガイド。
【請求項９８】
前記表面レリーフフィーチャが複数の細長いマイクロプリズムを備えた、請求項８９に記載の光ガイド。
【請求項９９】
前記マイクロプリズムが、それぞれ、互いに角度が付けられた少なくとも２つの隣接するファセットを備えた、請求項９８に記載の光ガイド。
【請求項１００】
前記マイクロプリズムが湾曲した表面を備えた、請求項９８に記載の光ガイド。
【請求項１０１】
前記マイクロプリズムが、個々の面がそれぞれ多重ファセット化された２つの面を備えた、請求項９８に記載の光ガイド。
【請求項１０２】
前記少なくとも２つの隣接するファセットが前記膜のうちの少なくとも１つの平らな表面に対して異なる傾斜角を有する、請求項９９に記載の光ガイド。
【請求項１０３】
前記マイクロプリズムの前記傾斜角が前記膜のうちの少なくとも１つの長さに沿って変化する、請求項１０２に記載の光ガイド。
【請求項１０４】
前記反射手段と反射手段の間の距離が約５０ミクロンと約４５０ミクロンの間である、請求項８３〜１０３のいずれか一項に記載の光ガイド。
【請求項１０５】
隣接する反射手段と反射手段の間の距離が変化する、請求項８３〜１０４のいずれか一項に記載の光ガイド。
【請求項１０６】
前記第１および第２の誘導手段が光を前記光ガイドに入射させるように構成された縁を備えた、請求項８３〜１０５のいずれか一項に記載の光ガイド。
【請求項１０７】
前記縁に隣接して配置された光源をさらに備えた、請求項１０６に記載の光ガイド。
【請求項１０８】
隣接する反射手段と反射手段の間の距離が前記縁からの距離が長くなるにつれて短くなる、請求項１０６に記載の光ガイド。
【請求項１０９】
前記光を反射する手段が空気ポケットを備えた空胴を備えた、請求項８３に記載の光ガイド。
【請求項１１０】
前記空気ポケットが非対称である、請求項１０９に記載の光ガイド。
【請求項１１１】
前記光を反射する手段が充填材を含有した空胴を備えた、請求項８３に記載の光ガイド。
【請求項１１２】
ディスプレイエレメントのアレイと、
前記ディスプレイエレメントと電気通信しているプロセッサであって、イメージデータを処理するように構成されたプロセッサと、
前記プロセッサと電気通信しているメモリ素子と
をさらに備えた、請求項８３に記載の光ガイド。
【請求項１１３】
前記ディスプレイエレメントに少なくとも１つの信号を送信するように構成されたドライバ回路をさらに備えた、請求項１１２に記載の光ガイド。
【請求項１１４】
前記ドライバ回路に前記イメージデータの少なくとも一部を送信するように構成されたコントローラをさらに備えた、請求項１１３に記載の光ガイド。
【請求項１１５】
前記プロセッサに前記イメージデータを送信するように構成されたイメージソースモジュールをさらに備えた、請求項１１２に記載の光ガイド。
【請求項１１６】
前記イメージソースモジュールが、レシーバ、トランシーバおよびトランスミッタのうちの少なくとも１つを備えた、請求項１１５に記載の光ガイド。
【請求項１１７】
入力データを受け取り、かつ、前記入力データを前記プロセッサに通信するように構成された入力デバイスをさらに備えた、請求項１１２に記載の光ガイド。
【請求項１１８】
光を誘導するための第１の手段と、
光を誘導するための第２の手段と、
前記第２の光誘導手段を覆うための手段であって、前記第２の光誘導手段が前記カバー手段と前記第１の光誘導手段の間に位置するように配置され、前記第２の光誘導手段および前記カバー手段が、それぞれ、前記第２の光誘導手段および前記カバー手段を一体に整合させるための手段を有する手段と
を備えた光ガイドであって、前記第２の光誘導手段のための前記整合手段が、前記第２の光誘導手段および前記カバー手段が一体に整合されると、それらの間に光を反射させるための手段が形成されるように輪郭が付けられ、
前記カバー手段、第１の光誘導手段および第２の光誘導手段が、前記カバー手段、第１の光誘導手段および第２の光誘導手段の中を誘導された光が、もはや前記カバー手段、第１の光誘導手段または第２の光誘導手段の中を誘導されないよう、前記反射手段で内部全反射するように配置された光ガイド。
【請求項１１９】
前記第１の光誘導手段が光ガイドプレートを備えた、請求項１１８に記載の光ガイド。
【請求項１２０】
前記第２の光誘導手段が膜を備えた、請求項１１９に記載の光ガイド。
【請求項１２１】
前記カバー手段がカバー層を備えた、請求項１２０に記載の光ガイド。
【請求項１２２】
前記第２の光誘導手段のための前記整合手段が前記膜の上に表面を備え、前記カバー手段のための前記整合手段が前記カバー層の上に表面を備えた、請求項１２１に記載の光ガイド。
【請求項１２３】
前記反射手段が光空胴を備えた、請求項１２２に記載の光ガイド。
【請求項１２４】
前記カバー手段がカバー頂部表面およびカバー底部表面を備え、前記第１の誘導手段が第１の頂部表面および第１の底部表面を備え、前記第２の誘導手段が第２の頂部表面および第２の底部表面を備えた、請求項１１８に記載の光ガイド。
【請求項１２５】
前記カバー手段の前記頂部表面と前記第２の誘導手段の前記底部表面が平行である、請求項１２４に記載の光ガイド。
【請求項１２６】
前記カバー頂部表面と前記第２の底部表面が隣接して配置され、前記第２の底部表面に輪郭が付けられ、前記第１の底部表面と前記第２の頂部表面が隣接して配置された、請求項１２４に記載の光ガイド。
【請求項１２７】
前記カバー底部表面と前記第２の頂部表面が隣接して配置され、前記第２の頂部表面に輪郭が付けられ、前記第２の底部表面と前記第１の頂部表面が隣接して配置された、請求項１２４に記載の光ガイド。
【請求項１２８】
前記カバー頂部表面の一部と前記第２の底部表面の一部が平行ではない、請求項１２４に記載の光ガイド。
【請求項１２９】
前記第２の誘導手段が複数の表面レリーフフィーチャがインプリントされた頂部表面を備えた、請求項１１８に記載の光ガイド。
【請求項１３０】
前記複数の表面レリーフフィーチャが細長いマイクロプリズムを備えた、請求項１２９に記載の光ガイド。
【請求項１３１】
前記複数の表面レリーフフィーチャが互いに角度が付けられた複数の隣接するファセットを備えた、請求項１２９に記載の光ガイド。
【請求項１３２】
前記マイクロプリズムが多重ファセット化された隣接する面を備えた、請求項１３１に記載の光ガイド。
【請求項１３３】
前記複数の隣接するファセットが前記第２の誘導手段に対して異なる傾斜角を有する、請求項１３２に記載の光ガイド。
【請求項１３４】
前記複数の隣接するファセットが湾曲した表面を備えた、請求項１３２に記載の光ガイド。
【請求項１３５】
前記傾斜角が前記第２の誘導手段の長さに沿って変化する、請求項１３３に記載の光ガイド。
【請求項１３６】
前記反射手段がその上に反射コーティングを有するファセットを備えた、請求項１１８に記載の光ガイド。
【請求項１３７】
前記反射手段と反射手段の間の距離が約５０ミクロンと約４５０ミクロンの間である、請求項１１８に記載の光ガイド。
【請求項１３８】
前記反射手段と反射手段の間の距離が前記第２の誘導手段に沿って変化する、請求項１１８に記載の光ガイド。
【請求項１３９】
前記第１または第２の誘導手段が光を注入することができる縁を備え、前記反射手段と反射手段の間の前記距離が前記縁からの距離が長くなるにつれて短くなる、請求項１３８に記載の光ガイド。
【請求項１４０】
前記反射手段が空気ポケットを備えた、請求項１１８に記載の光ガイド。
【請求項１４１】
前記反射手段が非対称である、請求項１４０に記載の光ガイド。
【請求項１４２】
前記反射手段が充填材が充填された空胴を備えた、請求項１１８に記載の光ガイド。
【請求項１４３】
前記充填材が反射型である、請求項１４２に記載の光ガイド。
【請求項１４４】
前記第１または第２の誘導手段の縁に隣接して配置された光源をさらに備え、前記縁が前記光源から前記光ガイドの中へ光を受け取るように構成された、請求項１１８に記載の光ガイド。
【請求項１４５】
前記第２の誘導手段、前記第１の誘導手段および前記カバー手段が実質的に同じ屈折率を有する、請求項１１８に記載の光ガイド。
【請求項１４６】
前記第１の誘導手段とディスプレイエレメントのアレイが隣接して配置され、前記第１の誘導手段が前記カバー手段よりも前記ディスプレイエレメントの近くに配置された、請求項１１８に記載の光ガイド。
【請求項１４７】
前記第２の誘導手段が複数の凹状表面レリーフフィーチャを備えた、請求項１１８に記載の光ガイド。
【請求項１４８】
前記複数の凹状表面レリーフフィーチャのうちの１つまたは複数が２つの垂直ファセットを備えた、請求項１４７に記載の光ガイド。
【請求項１４９】
前記複数の凹状表面レリーフフィーチャのうちの前記１つまたは複数が、前記光ガイドの中を伝搬する光が前記凹状表面レリーフフィーチャで屈折するように互いに角度が付けられた少なくとも２つの隣接するファセットを備えた、請求項１４７に記載の光ガイド。
【請求項１５０】
前記複数の凹状表面レリーフフィーチャが、前記光ガイドの中を伝搬する光が前記表面レリーフフィーチャで内部全反射して方向転換するように互いに角度が付けられた少なくとも２つの隣接するファセットを備えた、請求項１４７に記載の光ガイド。
【請求項１５１】
ディスプレイエレメントのアレイと、
前記ディスプレイエレメントと電気通信しているプロセッサであって、イメージデータを処理するように構成されたプロセッサと、
前記プロセッサと電気通信しているメモリ素子と
をさらに備えた、請求項１１８に記載の光ガイド。
【請求項１５２】
前記ディスプレイエレメントに少なくとも１つの信号を送信するように構成されたドライバ回路をさらに備えた、請求項１５１に記載の光ガイド。
【請求項１５３】
前記ドライバ回路に前記イメージデータの少なくとも一部を送信するように構成されたコントローラをさらに備えた、請求項１５２に記載の光ガイド。
【請求項１５４】
前記プロセッサに前記イメージデータを送信するように構成されたイメージソースモジュールをさらに備えた、請求項１５１に記載の光ガイド。
【請求項１５５】
前記イメージソースモジュールが、レシーバ、トランシーバおよびトランスミッタのうちの少なくとも１つを備えた、請求項１５４に記載の光ガイド。
【請求項１５６】
入力データを受け取り、かつ、前記入力データを前記プロセッサに通信するように構成された入力デバイスをさらに備えた、請求項１５１に記載の光ガイド。
【請求項１５７】
光ガイドを製造する方法であって、
輪郭が付けられた第１の表面を第１の光誘導手段の底部表面に形成するステップと、
輪郭が付けられた第２の表面を第２の光誘導手段の頂部表面に形成するステップと、
前記第１の誘導手段と前記第２の誘導手段の間に１つまたは複数の光空胴を形成するために、前記第１の誘導手段の輪郭が付けられた前記第１の表面および前記第２の誘導手段の輪郭が付けられた前記第２の表面を接続するステップと
を含み、輪郭が付けられた前記第１および第２の表面のうちの一方が突出部を備え、また、輪郭が付けられた前記第１および第２の表面のうちのもう一方が凹所を備え、前記突出部の形状および凹所の形状が同じ形状ではなく、前記突出部が前記凹所の中に突出している方法。
【請求項１５８】
前記第１および第２の誘導手段が膜を備えた、請求項１５７に記載の光ガイド製造方法。
【請求項１５９】
前記１つまたは複数の光空胴に充填材を充填するステップをさらに含む、請求項１５７に記載の光ガイド製造方法。
【請求項１６０】
前記表面レリーフフィーチャがマイクロプリズムを備えた、請求項１５７に記載の光ガイド製造方法。
【請求項１６１】
前記第１および第２の表面レリーフフィーチャを形成するステップが、前記頂部表面および前記底部表面をエンボスするステップを含む、請求項１５７に記載の光ガイド製造方法。
【請求項１６２】
前記第１および第２の表面レリーフフィーチャを形成するステップが、射出成形によって前記頂部表面および前記底部表面を形成するステップを含む、請求項１５７に記載の光ガイド製造方法。
【請求項１６３】
前記充填材が前記第１の誘導手段または前記第２の誘導手段の材料の屈折率とは異なる屈折率を有する、請求項１５９に記載の光ガイド製造方法。
【請求項１６４】
光ガイドを製造する方法であって、
第１の光誘導手段を提供するステップと、
第２の光誘導手段を提供するステップと、
カバーを配置するステップであって、前記カバーと前記第２の誘導手段の間に反射手段が形成されるように、また、前記カバーと前記第１の誘導手段の間に前記第２の誘導手段が位置するように、前記第２の誘導手段の上に前記カバーを配置するステップと、
前記カバー、第１の誘導手段および第２の誘導手段を配置するステップであって、前記カバー、第１の誘導手段および第２の誘導手段の中を誘導された光が、もはや前記カバー、第１の誘導手段または第２の誘導手段の中を誘導されないよう、前記反射手段で内部全反射するように配置するステップと
を含む方法。
【請求項１６５】
前記第１の誘導手段が頂部表面および底部表面を備え、前記第２の誘導手段が、前記第２の誘導手段の底部表面と前記第１の誘導手段の前記頂部表面が隣接するように頂部表面および底部表面を備え、前記第２の誘導手段の前記頂部表面に輪郭が付けられ、前記カバーが前記第２の誘導手段の前記輪郭が付けられた頂部表面に配置され、前記反射手段が、前記光ガイドを通って伝搬する光の少なくとも一部を前記第１の誘導手段の前記底部表面に向かって方向転換させるように構成された、請求項１５７に記載の方法。
【請求項１６６】
前記第１および第２の誘導手段が膜を備えた、請求項１６５に記載の方法。
【請求項１６７】
前記反射手段が１つまたは複数の光空胴を備えた、請求項１６５に記載の方法。
【請求項１６８】
前記１つまたは複数の光空胴に充填材を充填するステップをさらに含む、請求項１６７に記載の方法。
【請求項１６９】
前記第２の誘導手段の前記輪郭が付けられた頂部表面が表面レリーフフィーチャを備えた、請求項１６５に記載の方法。
【請求項１７０】
前記第２の誘導手段の前記頂部表面をエンボスすることによって前記表面レリーフフィーチャを形成するステップをさらに含む、請求項１６９に記載の方法。
【請求項１７１】
射出成形によって前記第２の誘導手段の前記頂部表面に前記表面レリーフフィーチャを形成するステップをさらに含む、請求項１６９に記載の方法。
【請求項１７２】
光源が、前記光ガイドプレート、カバー層および膜の縁に沿って配置された、請求項３４または６０のいずれか一項に記載の光ガイド。
【請求項１７３】
照明のための手段が、前記第１の誘導手段、前記カバー手段および前記第２の誘導手段に沿って配置された、請求項１１８に記載の光ガイド。
【請求項１７４】
照明のための手段が、前記第１の誘導手段、前記カバー手段および前記第２の誘導手段に沿って配置された、請求項１６４に記載の方法。
【請求項１７５】
前記膜および光ガイドプレートが屈折率整合接着剤を使用して結合された、請求項３４または６０に記載の光ガイド。
【請求項１７６】
前記第１および第２の誘導手段が屈折率整合接着剤を使用して結合された、請求項１１８に記載の光ガイド。
【請求項１７７】
前記第１および第２の誘導手段が屈折率整合接着剤を使用して結合された、請求項１６４に記載の方法。
【請求項１７８】
前記空胴が光をディスプレイの中へ導いている、請求項１、３４または６０に記載の光ガイド。
【請求項１７９】
前記反射手段が光を表示のための手段の中へ導いている、請求項８３または１１８に記載の光ガイド。
【請求項１８０】
前記反射手段が光を表示のための手段の中へ導いている、請求項１５７または１６４に記載の方法。
【手続補正書】
【提出日】平成21年11月26日(2009.11.26)
【手続補正１】
【補正対象書類名】特許請求の範囲
【補正対象項目名】全文
【補正方法】変更
【補正の内容】
【特許請求の範囲】
【請求項１】
平らな表面を有するカバー層と、
第１および第２の表面を有する膜であって、前記第１の表面が複数の凹状表面レリーフフィーチャを備え、前記第２の表面が平らである膜と、
平らな頂部表面および底部表部を有する光ガイドプレートと
を備えた光ガイドであって、
前記膜が前記カバー層と前記光ガイドプレートの間に配置され、
前記膜が、前記平らな第２の表面と前記光ガイドプレートが隣接し、かつ、前記第１の表面の前記凹状表面レリーフフィーチャが前記光ガイドプレートの反対側に位置するように前記光ガイドプレートの上に配置され、
前記カバー層が、前記カバー層、光ガイドプレートおよび膜の中を誘導された光が、もはや前記カバー層、光ガイドプレートまたは膜の中を誘導されないように空胴で内部全反射するよう、前記カバー層の前記平らな表面および前記膜の前記凹状表面フィーチャが前記カバー層と前記膜の間に空胴を形成するように前記膜に隣接して配置された光ガイド。
【請求項２】
前記光ガイドプレートが前記カバー層より分厚い、請求項１に記載の光ガイド。
【請求項３】
前記複数の凹状表面フィーチャが細長いマイクロプリズムを形成している、請求項１に記載の光ガイド。
【請求項４】
前記複数の凹状表面レリーフフィーチャが互いに角度が付けられた少なくとも２つの隣接するファセットを備えた、請求項３に記載の光ガイド。
【請求項５】
前記少なくとも２つの隣接するファセットが互いに異なる傾斜角を有する、請求項４に記載の光ガイド。
【請求項６】
前記複数の凹状表面レリーフフィーチャが２つの垂直ファセットを備えた、請求項３に記載の光ガイド。
【請求項７】
前記２つの隣接するファセットが湾曲した表面を備えた、請求項４に記載の光ガイド。
【請求項８】
前記マイクロプリズムが多重ファセット化された隣接する面を備えた、請求項３に記載の光ガイド。
【請求項９】
前記複数の凹状表面フィーチャがその上に反射コーティングを有する、請求項３に記載の光ガイド。
【請求項１０】
前記空胴が空気ポケットを備えた、請求項１に記載の光ガイド。
【請求項１１】
前記空胴に充填材が充填された、請求項１に記載の光ガイド。
【請求項１２】
前記充填材が反射型である、請求項１に記載の光ガイド。
【請求項１３】
前記膜が前記光ガイドプレートの前記平らな頂部表面に配置された、請求項１に記載の光ガイド。
【請求項１４】
前記膜が前記光ガイドプレートの前記平らな底部表面に配置された、請求項１に記載の光ガイド。
【請求項１５】
前記カバー層がディスプレイエレメントのアレイの上に配置された、請求項１に記載の光ガイド。
【請求項１６】
前記カバー層がディスプレイエレメントのアレイを備えた、請求項１に記載の光ガイド。
【請求項１７】
前記カバー層が平らな頂部表面および底部表面を有する膜を備えた、請求項１に記載の光ガイド。
【請求項１８】
前記膜、カバー層および光ガイドプレートが同じ屈折率を有する、請求項１に記載の光ガイド。
【請求項１９】
前記光ガイドが光を注入することができる縁を備え、前記注入される光が前記空胴で前記光ガイドから散乱する、請求項１に記載の光ガイド。
【請求項２０】
前記複数の凹状表面レリーフフィーチャが、前記縁を介して注入される光が前記空胴で屈折するように互いに角度が付けられた少なくとも２つの隣接するファセットを備えた、請求項１９に記載の光ガイド。
【請求項２１】
前記複数の凹状表面レリーフフィーチャが、前記縁を介して注入される光が前記空胴で内部全反射して方向転換するように互いに角度が付けられた少なくとも２つの隣接するファセットを備えた、請求項１９に記載の光ガイド。
【請求項２２】
前記カバー層が、
前記平らな表面の反対側に配置された観察面
をさらに備えた、請求項１に記載の光ガイド。
【請求項２３】
前記観察面が平らである、請求項２２に記載の光ガイド。
【請求項２４】
前記観察面が平らではない、請求項２２に記載の光ガイド。
【請求項２５】
光ガイドを製造する方法であって、
第１の光誘導手段を提供するステップと、
第２の光誘導手段を提供するステップと、
カバーを配置するステップであって、前記カバーと前記第２の誘導手段の間に反射手段が形成されるように、また、前記カバーと前記第１の誘導手段の間に前記第２の誘導手段が位置するように、前記第２の誘導手段の上に前記カバーを配置するステップと、
前記カバー、第１の誘導手段および第２の誘導手段を配置するステップであって、前記カバー、第１の誘導手段および第２の誘導手段の中を誘導された光が、もはや前記カバー、第１の誘導手段または第２の誘導手段の中を誘導されないよう、前記反射手段で内部全反射するように配置するステップと
を含む方法。
【請求項２６】
光を誘導するための第１の手段と、
光を誘導するための第２の手段と、
前記第２の光誘導手段を覆うための手段であって、前記第２の光誘導手段が前記カバー手段と前記第１の光誘導手段の間に位置するように配置され、前記第２の光誘導手段および前記カバー手段が、それぞれ、前記第２の光誘導手段および前記カバー手段を一体に整合させるための手段を有する手段と
を備えた光ガイドであって、前記第２の光誘導手段のための前記整合手段が、前記第２の光誘導手段および前記カバー手段が一体に整合されると、それらの間に光を反射させるための手段が形成されるように輪郭が付けられ、
前記カバー手段、第１の光誘導手段および第２の光誘導手段が、前記カバー手段、第１の光誘導手段および第２の光誘導手段の中を誘導された光が、もはや前記カバー手段、第１の光誘導手段または第２の光誘導手段の中を誘導されないよう、前記反射手段で内部全反射するように配置された光ガイド。
【請求項２７】
前記第１の光誘導手段が光ガイドプレートを備えた、請求項２６に記載の光ガイド。
【請求項２８】
前記第２の光誘導手段が膜を備えた、請求項２７に記載の光ガイド。
【請求項２９】
前記カバー手段がカバー層を備えた、請求項２８に記載の光ガイド。
【請求項３０】
前記第２の光誘導手段のための前記整合手段が前記膜の上に表面を備え、前記カバー手段のための前記整合手段が前記カバー層の上に表面を備えた、請求項２９に記載の光ガイド。
【請求項３１】
前記反射手段が光空胴を備えた、請求項３０に記載の光ガイド。
【手続補正２】
【補正対象書類名】明細書
【補正対象項目名】全文
【補正方法】変更
【補正の内容】
【発明の詳細な説明】
【技術分野】
【０００１】
本発明は一般にＬＣＤディスプレイなどのフロントリットディスプレイに関し、詳細にはフロントリットディスプレイのための光ガイドの二重膜構成に関する。
【背景技術】
【０００２】
微小電気機械システム（ＭＥＭＳ）には、微小機械エレメント、アクチュエータおよび電子工学が含まれている。微小機械エレメントは、付着プロセス、エッチングプロセスおよび／または基板および／または付着した材料層の一部をエッチ除去し、あるいは層を追加して電気デバイスおよび電気機械デバイスを形成する他の微小機械加工プロセスを使用して生成することができる。あるタイプのＭＥＭＳデバイスは、分岐干渉変調器と呼ばれている。本明細書において使用されているように、分岐干渉変調器または分岐干渉光変調器という用語は、光干渉の原理を使用して光を選択的に吸収および／または反射するデバイスを意味している。特定の実施形態では、分岐干渉変調器は、一対の導電プレートを備えることができ、そのうちの一方または両方の全体または一部を透明および／または反射性にすることができる。また、適切な電気信号を印加することによってこれらの導電プレートを相対移動させることができる。特定の実施形態では、一方のプレートは、基板の上に付着した固定層を備えることができ、また、もう一方のプレートは、エアギャップによって固定層から分離された金属膜を備えることができる。本明細書においてより詳細に説明されているように、一方のプレートのもう一方のプレートと関連する部分は、分岐干渉変調器に入射する光の光干渉を変化させることができる。このようなデバイスは広範囲にわたるアプリケーションを有しており、当分野においては、これらのタイプのデバイスの特性を利用および／または修正することが有利であり、それによりそれらの特徴を利用して既存の製品を改良することができ、また、未だ開発されていない新しい製品を生成することができる。
【発明の概要】
【課題を解決するための手段】
【０００３】
本明細書において説明されている様々な実施形態は、ディスプレイエレメントのアレイ全体に光を分配するための光ガイドを備えている。光ガイドは、光ガイドの中を伝搬する光をディスプレイエレメントのアレイに向けるための表面レリーフフィーチャを備えることができる。この表面レリーフフィーチャは、光を反射するファセットを備えることができる。ファセットは、これらのファセットを保護するために光ガイド内に埋め込まれている。他の実施形態も同じく開示されている。
【０００４】
本発明の一実施形態は、頂部表面および底部表面を有する上部部分と、頂部表面および底部表面を有する下部部分とを備えた光ガイドを備えている。上部部分の底部表面は輪郭が付けられている。下部部分の頂部表面も同じく輪郭が付けられている。上部部分は、上部部分の輪郭が付けられた底部表面と下部部分の輪郭が付けられた頂部表面が上部部分と下部部分の間に空胴を形成するように下部部分の上に配置されている。
【０００５】
本発明の他の実施形態は、頂部表面および底部表面を有するカバー層と、頂部表面および底部表面を有する膜であって、その頂部表面に輪郭が付けられた膜と、頂部表面および底部表面を有する光ガイドプレートとを備えた光ガイドを備えている。カバー層は、カバー層の底部表面と膜の輪郭が付けられた頂部表面がカバー層と膜の間に空胴を形成するように膜の上に配置されている。膜は、カバー層と光ガイドプレートの間に配置されている。
【０００６】
本発明の他の実施形態は、平らな表面を有するカバー層と、第１および第２の表面を有する膜と、平らな頂部表面および平らな底部表面を有する光ガイドプレートとを備えた光ガイドを備えている。膜の第１の表面は複数の凹状表面レリーフフィーチャを備えており、膜の第２の表面は平らである。膜は、平らな第２の表面と光ガイドプレートが隣接し、かつ、前記第１の表面の凹状表面レリーフフィーチャが光ガイドプレートの反対側に面するように光ガイドプレートの上に配置されている。カバー層は、カバー層の平らな表面と膜の凹状表面フィーチャがカバー層と膜の間に空胴を形成するように膜に隣接して配置されている。
【０００７】
本発明の他の実施形態は、光を誘導するための第１の手段と、光を誘導するための第２の手段とを備えた光ガイドを備えている。第１および第２の光誘導手段は、第１および第２の光誘導手段を一体に整合させるための手段を個々に有している。第１および第２の両方の光誘導手段のための整合手段は、第１および第２の光誘導手段が一体に整合するように輪郭が付けられている。それらの間に光を反射させるための手段が形成されている。
【０００８】
本発明の他の実施形態は、光を誘導するための第１の手段と、光を誘導するための第２の手段と、該第２の光誘導手段を覆うための手段とを備えた光ガイドを備えている。第２の光誘導手段を覆うための手段は、第２の光誘導手段が該第２の光誘導手段を覆うための手段と第１の光誘導手段の間に位置するように配置されている。第２の光誘導手段および該第２の光誘導手段を覆うための手段は、第２の光誘導手段および該第２の光誘導手段を覆うための手段を一体に整合させるための手段を個々に有している。第２の光誘導手段のための整合手段は、第２の光誘導手段および該第２の光誘導手段を覆うための手段が一体に整合すると、光を反射させるための手段がそれらの間に形成されるように輪郭が付けられている。
【図面の簡単な説明】
【０００９】
【図１】第１の分岐干渉変調器の可動反射層が弛緩位置に位置し、第２の分岐干渉変調器の可動反射層が駆動位置に位置している分岐干渉変調器ディスプレイの一実施形態の一部を示す等角図である。
【図２】３×３分岐干渉変調器ディスプレイを組み込んだ電子デバイスの一実施形態を示すシステムブロック図である。
【図３】図１の分岐干渉変調器の一例示的実施形態の可動ミラー位置対印加電圧を示す線図である。
【図４】分岐干渉変調器ディスプレイを駆動するために使用することができる一組の行電圧および列電圧を示す図である。
【図５Ａ】図２の３×３分岐干渉変調器ディスプレイ内の表示データの一例示的フレームを示す図である。
【図５Ｂ】図５Ａのフレームを書き込むために使用することができる行信号および列信号のための一例示的タイミング図である。
【図６Ａ】複数の分岐干渉変調器を備えた視覚ディスプレイデバイスの一実施形態を示すシステムブロック図である。
【図６Ｂ】複数の分岐干渉変調器を備えた視覚ディスプレイデバイスの一実施形態を示すシステムブロック図である。
【図７Ａ】図１のデバイスの断面図である。
【図７Ｂ】分岐干渉変調器の一代替実施形態の断面図である。
【図７Ｃ】分岐干渉変調器の他の代替実施形態の断面図である。
【図７Ｄ】分岐干渉変調器のさらに他の代替実施形態の断面図である。
【図７Ｅ】分岐干渉変調器の追加代替実施形態の断面図である。
【図８】線形光源およびフロント光ガイドパネルを備えたフラットパネルディスプレイに使用するためのフロント光ガイドユニットを示す図である。
【図９】反射型ディスプレイパネル、表面フィーチャが埋め込まれた二重膜フロント光ガイドパネルおよび光源を備えたフロントリットディスプレイを示す図である。
【図１０】図９の二重膜光ガイドの頂部膜および底部膜を示す図である。
【図１１】ディスプレイパネルから図９の光ガイドを通って伝搬する光線を示す図である。
【図１２】周辺光から光ガイドを通ってディスプレイパネルへ伝搬する光線を示す図である。
【図１３】表面フィーチャ間の距離が光ガイドの長さに沿って変化するフロント光ガイドの一代替実施形態を示す図である。
【図１４】表面フィーチャが埋め込まれたフロント光ガイドの一代替実施形態を示す図である。
【図１５】反射型ディスプレイパネル、表面フィーチャが埋め込まれたフロント光ガイドパネルおよび光源を備えたフロントリットディスプレイの一代替実施形態を示す図である。
【図１６】表面フィーチャが埋め込まれたフロント光ガイドの一代替実施形態を示す図である。
【図１７】図１６のフロント光ガイドの埋設表面フィーチャのうちの１つに入射する光線を示す図である。
【図１８】反射コーティングが施された表面フィーチャが埋め込まれたフロント光ガイドの一代替実施形態を示す図である。
【図１９】多重ファセット化埋設表面フィーチャを示すフロント光ガイドの一代替実施形態の一部を示す詳細図である。
【図２０】湾曲したファセットを備えた埋設表面フィーチャを示すフロント光ガイドの一代替実施形態の一部を示す詳細図である。
【図２１】反射型ディスプレイパネルおよび表面フィーチャが埋め込まれたフロント光ガイドパネルを備えたフロントリットディスプレイであって、埋設表面フィーチャが光ガイドパネルと対向する膜の面に配置されたフロントリットディスプレイの一代替実施形態を示す図である。
【図２２】図２１のフロントリットディスプレイと同様のフロントリットディスプレイであって、埋設表面フィーチャが垂直壁を有するフロントリットディスプレイの一代替実施形態を示す図である。
【発明を実施するための形態】
【００１０】
以下の詳細な説明は、本発明のある特定の実施形態を対象にしたものである。しかしながら、本発明は、多くの異なる方法で具体化することができる。以下の説明には図面が参照されており、同様の部品は、すべての図面を通して同様の数表示を使用して示されている。
【００１１】
本明細書において説明されている様々な実施形態では、縁照明フロント光ガイドパネルは、複数の埋設表面フィーチャを備えている。埋設表面レリーフフィーチャは、光ガイドパネル内に空気ポケットなどの充填可能ギャップすなわち空胴を形成することができる。光ガイドの縁に注入された光は、空気ポケットの一方の空気／光ガイド材料界面に衝突するまで光ガイドを通って伝搬する。この光は、次に、大きい角度で内部全反射して方向転換し、ディスプレイパネルの前面に配置された射出面から射出する。空気ポケットを生成するために、一対のガイド部分は、輪郭が付けられた、互いに接触している表面を有している。本明細書においては他の実施形態も同じく開示されている。
【００１２】
以下の説明から明らかなように、これらの実施形態は、動作中のイメージ（たとえばビデオ）であれ、固定イメージ（たとえば静止画像）であれ、また、テキストイメージであれ、描画イメージであれ、いずれにせよイメージを表示するように構成された任意のデバイスの中で実施することができる。より詳細には、これらの実施形態は、それらに限定されないが、移動電話、無線デバイス、パーソナルデータアシスタント（ＰＤＡ）、ハンドヘルドコンピュータまたはポータブルコンピュータ、ＧＰＳレシーバ／ナビゲータ、カメラ、ＭＰ３プレーヤ、カムコーダ、ゲームコンソール、腕時計、時計、計算器、テレビジョンモニタ、フラットパネルディスプレイ、コンピュータモニタ、オートディスプレイ（たとえば走行距離計ディスプレイ、等々）、コックピットコントロールおよび／またはディスプレイ、カメラビューのディスプレイ（たとえば車両内のリアビューカメラのディスプレイ）、電子写真、電子ビルボードまたはサイン、プロジェクタ、建築構造、梱包および美感構造（たとえば一片の宝石上へのイメージの表示）などの様々な電子デバイスの中で、あるいはこれらの電子デバイスと関連して実施することができることが企図されている。
【００１３】
たとえば分岐干渉変調ＭＥＭＳデバイス、ＬＣＤ、等々などのディスプレイデバイスは、ディスプレイエレメントのアレイを目で見るための適切なレベルに照明するように構成された光源を備えることができる。ディスプレイエレメントのアレイ全体に光を分配するために、この光源と組み合わせて、光源の近傍のディスプレイエレメントのアレイに光ガイドを結合することができる。光ガイドは、ディスプレイエレメントの裏面のたとえばバックライト、あるいはディスプレイエレメントの前面のたとえばフロントライトなどのディスプレイエレメントに対して様々な配向で配置することができる。本明細書において説明されているシステムおよび方法では、フロント光ガイドパネルは、人工光源からディスプレイエレメントのアレイに一様な照明を引き渡し、かつ、ディスプレイエレメント内における反射層を介した周辺照明からの照明のオプションを許容するために、ディスプレイエレメントのアレイの前面に配置されている。
【００１４】
図１は、分岐干渉ＭＥＭＳディスプレイエレメントを備えた一分岐干渉変調器ディスプレイ実施形態を示したものである。これらのデバイスの場合、ピクセルは、明るい状態にあるか、あるいは暗い状態にあるかのいずれかである。明るい（「オン」または「開」）状態では、ディスプレイエレメントは、入射する可視光の大部分を使用者に向かって反射する。暗い（「オフ」または「閉」）状態にある場合、ディスプレイエレメントは、入射する可視光を使用者に向かってほとんど反射しない。「オン」状態および「オフ」状態における光反射率特性は、実施形態に応じて反転させることができる。ＭＥＭＳピクセルは、選択された色を主として反射するように構成することができるため、黒および白に加えてカラー表示することができる。
【００１５】
図１は、視覚ディスプレイの一連のピクセルのうちの２つの隣接するピクセルを等角図で示したもので、ピクセルはそれぞれＭＥＭＳ分岐干渉変調器を備えている。いくつかの実施形態では、分岐干渉変調器ディスプレイは、これらの分岐干渉変調器の行／列アレイを備えている。分岐干渉変調器は、それぞれ、互いに可変で、かつ、制御可能な距離を隔てて配置された一対の反射層を備えており、少なくとも１つの可変寸法を備えた共鳴光学ギャップを形成している。一実施形態では、これらの反射層のうちの一方をこれらの２つの位置と位置の間で移動させることができる。本明細書においては弛緩位置と呼ばれている第１の位置には、可動反射層が固定部分反射層から比較的大きい距離を隔てて配置される。本明細書においては駆動位置と呼ばれている第２の位置には、可動反射層が部分反射層により緊密に隣接して配置される。これらの２つの層で反射する入射光は、可動反射層の位置に応じて強め合って、あるいは弱め合って干渉し、ピクセル毎に総合反射状態または非反射状態のいずれかを生成する。
【００１６】
ピクセルアレイのうちの図１に示されている部分には、隣接する２つの分岐干渉変調器１２ａおよび１２ｂが含まれている。左側の分岐干渉変調器１２ａには、部分反射層を備えた光学スタック１６ａから所定の距離を隔てた弛緩位置に可動反射層１４ａが示されている。右側の分岐干渉変調器１２ｂには、光学スタック１６ｂに隣接する駆動位置に可動反射層１４ｂが示されている。
【００１７】
本明細書において参照されている光学スタック１６ａおよび１６ｂ（集合的に光学スタック１６と呼ばれている）は、通常、インジウムスズ酸化物（ＩＴＯ）などの電極層を含むことができる複数の合成層、クロムなどの部分反射層および透明誘電体を備えている。したがって光学スタック１６は、導電性であり、部分的に透明であり、かつ、部分的に反射型であり、たとえば上で挙げた層のうちの１つまたは複数の層を透明基板２０の上に付着させることによって製造することができる。部分反射層は、様々な金属、半導体および誘電体などの部分的に反射型である様々な材料から形成することができる。部分反射層は、１つまたは複数の材料層で形成することができ、これらの層の各々は、単一の材料または材料の組合せで形成することができる。
【００１８】
いくつかの実施形態では、光学スタック１６の層が平行条片にパターン化されており、以下でさらに説明するように、ディスプレイデバイスの中に行電極を形成することができる。可動反射層１４ａ、１４ｂは、ポスト１８およびポスト１８とポスト１８の間に付着された介在犠牲材料の頂部に付着された１つまたは複数の付着金属層（行電極１６ａ、１６ｂに対して直角をなしている）の一連の平行条片として形成することができる。犠牲材料がエッチ除去されると、画定されたギャップ１９によって可動反射層１４ａ、１４ｂが光学スタック１６ａ、１６ｂから分離される。反射層１４にはアルミニウムなどの高度に導電性で、かつ、反射型である材料を使用することができ、また、これらの条片は、ディスプレイデバイスの中に列電極を形成することができる。
【００１９】
電圧が印加されていない場合、図１のピクセル１２ａによって示されているように、ギャップ１９は、可動反射層１４ａと光学スタック１６ａの間に留まり、可動反射層１４ａは、機械的に弛緩した状態にある。しかしながら、選択された行および列に電位差が印加されると、対応するピクセルの行電極と列電極の交点に形成されるコンデンサが充電されるようになり、静電力によって電極が一体に引っ張られる。電圧が十分に高い場合、可動反射層１４が変形し、光学スタック１６に向かって強制される。光学スタック１６内の誘電体層（この図には示されていない）は、図１の右側のピクセル１２ｂによって示されているように、短絡を防止し、層１４と１６の間の分離距離を制御することができる。この挙動は、印加される電位差の極性には無関係に同じである。この方法の場合、反射型ピクセル状態対非反射型ピクセル状態を制御することができる行／列駆動は、多くの点で、従来のＬＣＤ技術および他のディスプレイ技術に使用されている行／列駆動に類似している。
【００２０】
図２ないし５Ｂは、分岐干渉変調器のアレイをディスプレイアプリケーションに使用するための一例示的プロセスおよびシステムを示したものである。
【００２１】
図２は、本発明の態様を組み込むことができる電子デバイスの一実施形態をシステムブロック図で示したものである。この例示的実施形態では、電子デバイスは、ＡＲＭ、Ｐｅｎｔｉｕｍ（登録商標）、Ｐｅｎｔｉｕｍ  ＩＩ（登録商標）、Ｐｅｎｔｉｕｍ  ＩＩＩ（登録商標）、Ｐｅｎｔｉｕｍ  ＩＶ（登録商標）、Ｐｅｎｔｉｕｍ（登録商標）Ｐｒｏ、８０５１、ＭＩＰＳ（登録商標）、Ｐｏｗｅｒ  ＰＣ（登録商標）、ＡＬＰＨＡ（登録商標）などの任意の汎用シングルチップまたはマルチチップマイクロプロセッサであっても、あるいはディジタル信号プロセッサ、マイクロコントローラまたはプログラム可能ゲートアレイなどの任意の専用マイクロプロセッサであってもよいプロセッサ２１を備えている。プロセッサ２１は、当分野における慣習に従って、１つまたは複数のソフトウェアモジュールを実行するように構成することができる。プロセッサは、オペレーティングシステムの実行に加えて、ウェブブラウザ、電話アプリケーション、電子メールプログラムまたは他の任意のソフトウェアアプリケーションを始めとする１つまたは複数のソフトウェアアプリケーションを実行するように構成することができる。
【００２２】
一実施形態では、プロセッサ２１は、また、アレイドライバ２２と通信するように構成されている。一実施形態では、アレイドライバ２２は、ディスプレイアレイすなわちパネル３０に信号を提供する行ドライバ回路２４および列ドライバ回路２６を備えている。図１に示されているアレイの断面は、線１−１によって図２に示されている。ＭＥＭＳ分岐干渉変調器の場合、行／列駆動プロトコルには、図３に示されているこれらのデバイスのヒステリシス特性を利用することができる。可動層を弛緩状態から駆動状態に変形させるためには、場合によってはたとえば１０ボルトの電位差が必要である。しかしながら、電圧がその値から低くなっても、可動層は、電圧が１０ボルト未満に降下した時点のその状態を維持する。図３の例示的実施形態の場合、可動層は、電圧が２ボルト未満に降下するまで完全に弛緩しない。したがって、図３に示されている実施例の場合、約３Ｖないし７Ｖの印加電圧の窓が存在しており、その中では、デバイスは、弛緩状態または駆動状態のいずれかで安定している。これは、本明細書においては、「ヒステリシス窓」または「安定窓」と呼ばれている。図３のヒステリシス特性を有するディスプレイアレイの場合、行／列駆動プロトコルは、行をストローブしている間、ストローブされた行の中の駆動すべきピクセルに約１０ボルトの電圧差が印加され、また、弛緩させるべきピクセルにゼロボルトに近い電圧差が印加されるように設計することができる。ストローブが終了すると、たとえどのような状態であっても、行ストローブによってそれらが置かれたその状態を維持するよう、約５ボルトの定常状態電圧差がピクセルに印加される。書込みが終了すると、この実施例では３〜７ボルトである「安定窓」内の電位差が個々のピクセルに印加される。この特徴が、図１に示されているピクセル設計を、駆動状態であれ、あるいは弛緩状態であれ、同じ印加電圧条件の下で既存の状態で安定したものにしている。分岐干渉変調器の個々のピクセルは、駆動状態であれ、あるいは弛緩状態であれ、本質的には、固定反射層および移動反射層によって形成されるコンデンサであるため、ヒステリシス窓内の電圧で、電力散逸をほとんど伴うことなくこの安定状態を保持することができる。印加される電位が一定である場合、本質的にはピクセルには電流は流れない。
【００２３】
典型的なアプリケーションの場合、第１の行の中の所望のセットの駆動ピクセルに従ってそのセットの列電極を表明することによってディスプレイフレームを生成することができる。次に、行１電極に行パルスが印加され、表明された列ラインに対応するピクセルが駆動される。次に、第２の行の中の所望のセットの駆動ピクセルに対応するよう、表明されたセットの列電極が変更される。次に、行２電極にパルスが印加され、表明された列電極に従って行２の中の該当するピクセルが駆動される。行１ピクセルは、行２パルスの影響を受けることはなく、行１パルスの間に設定された状態を維持する。連続するすべての行に対して逐次方式でこれを繰り返すことによってフレームを生成することができる。通常、フレームは、新しい表示データを使用して、１秒当たりいくつかの所望のフレーム数でこのプロセスを連続的に繰り返すことによってリフレッシュおよび／または更新される。ピクセルアレイの行電極および列電極を駆動し、それによりディスプレイフレームを生成するための広範囲にわたる様々なプロトコルも同じく良く知られており、本発明と共に使用することができる。
【００２４】
図４、５Ａおよび５Ｂは、図２の３×３アレイ上にディスプレイフレームを生成するための可能駆動プロトコルの１つを示したものである。図４には、図３のヒステリシス曲線を示すピクセルのために使用することができる列電圧レベルおよび行電圧レベルの可能セットが示されている。図４の実施形態の場合、ピクセルを駆動するためには、該当する列を−Ｖｂｉａｓに設定し、かつ、該当する行を＋ΔＶに設定する必要がある。−Ｖｂｉａｓおよび＋ΔＶは、それぞれ−５ボルトおよび＋５ボルトに対応している。ピクセルの弛緩は、該当する列を＋Ｖｂｉａｓに設定し、かつ、該当する行を同じ＋ΔＶに設定して、ピクセルの両端間にゼロボルトの電位差を生成することによって達成される。これらの行のうち、行電圧がゼロボルトに保持されている場合、その行のピクセルは、列が＋Ｖｂｉａｓであれ、あるいは−Ｖｂｉａｓであれ、それには無関係に、それらの最初の状態が何であれ安定である。また、同じく図４に示されているように、上で説明した極性とは逆の極性の電圧を使用することも可能であり、その場合、たとえばピクセルを駆動するためには、該当する列を＋Ｖｂｉａｓに設定し、かつ、該当する行を−ΔＶに設定しなければならないことになることは明らかであろう。この実施形態の場合、ピクセルの開放は、該当する列を−Ｖｂｉａｓに設定し、かつ、該当する行を同じ−ΔＶに設定して、ピクセルの両端間にゼロボルトの電位差を生成することによって達成される。
【００２５】
図５Ｂは、図２の３×３アレイに印加される、図５Ａに示されているディスプレイ構造が得られることになる一連の行信号および列信号のタイミング図を示したもので、駆動されるピクセルは非反射型である。図５Ａに示されているフレームを書き込む前のピクセルの状態は任意であり、この実施例では、すべての行が０ボルトに設定され、また、すべての列が＋５ボルトに設定されている。このような印加電圧を使用することにより、すべてのピクセルがそれらの既存の駆動状態または弛緩状態で安定である。
【００２６】
図５Ａのフレームでは、ピクセル（１、１）、（１、２）、（２、２）、（３、２）および（３、３）が駆動されている。これを達成するために、行１のための「ライン時間」の間、列１および２が−５ボルトに設定され、また、列３が＋５ボルトに設定される。すべてのピクセルが３〜７ボルトの安定窓内に留まっているため、この設定によっては、どのピクセルの状態も全く変化しない。次に、０ボルトから５ボルトまで立上り、次にゼロに戻るパルスで行１がストローブされる。これにより（１、１）ピクセルおよび（１、２）ピクセルが駆動され、（１、３）ピクセルが弛緩する。アレイ内の他のピクセルは全く影響されない。必要に応じて行２を設定するために、列２が−５ボルトに設定され、また、列１および３が＋５ボルトに設定される。次に、行２に印加される同じストローブによってピクセル（２、２）が駆動され、ピクセル（２、１）およびピクセル（２、３）が弛緩する。この場合も、アレイの他のピクセルは全く影響されない。行３も、列２および３を−５ボルトに設定し、また、列１を＋５ボルトに設定することによって同様に設定される。行３ストローブによって、図５Ａに示されているように行３ピクセルが設定される。フレームの書込みが終了すると、行電位がゼロになり、また、列電位は、＋５ボルトまたは−５ボルトのいずれかを維持することができ、それにより図５Ａの構造でディスプレイが安定する。数十個または数百個の行および列のアレイにも同じ手順を使用することができることは理解されよう。また、行駆動および列駆動を実行するために使用される電圧のタイミング、シーケンスおよびレベルは、上でその概要を示した一般原理の範囲内で広範囲にわたって変更することができ、上記実施例は単なる例示的なものにすぎず、任意の駆動電圧方式を本明細書において説明されているシステムおよび方法と共に使用することができることについても理解されよう。
【００２７】
図６Ａおよび６Ｂは、ディスプレイデバイス４０の一実施形態をシステムブロック図で示したものである。ディスプレイデバイス４０は、たとえばセルラすなわち移動電話であってもよい。しかしながら、ディスプレイデバイス４０の同じコンポーネントまたはその若干異なる変形形態も、テレビジョンおよび携帯型メディアプレーヤなどの様々なタイプのディスプレイデバイスの実例である。
【００２８】
ディスプレイデバイス４０は、ハウジング４１、ディスプレイ３０、アンテナ４３、スピーカ４５、入力デバイス４８およびマイクロホン４６を備えている。ハウジング４１は、通常、当業者に良く知られている、射出成形および真空成形を始めとする任意の様々な製造プロセスを使用して形成される。また、ハウジング４１は、それらに限定されないが、プラスチック、金属、ガラス、ゴムおよびセラミックまたはそれらの組合せを始めとする様々な材料から構築することも可能である。一実施形態では、ハウジング４１は、色が異なる他の取外し可能部分または異なるロゴ、ピクチャあるいはシンボルを含んだ他の取外し可能部分と交換することができる取外し可能部分（図示せず）を備えている。
【００２９】
例示的ディスプレイデバイス４０のディスプレイ３０は、本明細書において説明されている双安定ディスプレイを始めとする任意の様々なディスプレイであってもよい。他の実施形態では、ディスプレイ３０は、上で説明した、プラズマ、ＥＬ、ＯＬＥＤ、ＳＴＮ  ＬＣＤまたはＴＦＴ  ＬＣＤなどのフラットパネルディスプレイ、または当業者に良く知られているＣＲＴあるいは他の真空管デバイスなどの非フラットパネルディスプレイを備えている。しかしながら、ディスプレイ３０は、この実施形態の説明を目的として、本明細書において説明されている分岐干渉変調器ディスプレイを備えている。
【００３０】
図６Ｂは、例示的ディスプレイデバイス４０の一実施形態のコンポーネントの概要を示したものである。図に示されている例示的ディスプレイデバイス４０はハウジング４１を備えており、その中に少なくとも部分的に密閉された追加コンポーネントを備えることができる。たとえば、一実施形態では、例示的ディスプレイデバイス４０は、トランシーバ４７に結合されたアンテナ４３を備えたネットワークインタフェース２７を備えている。トランシーバ４７は、条件付けハードウェア５２に接続されているプロセッサ２１に接続されている。条件付けハードウェア５２は、信号を条件付ける（たとえば信号をフィルタリングする）ように構成することができる。条件付けハードウェア５２は、スピーカ４５およびマイクロホン４６に接続されている。また、プロセッサ２１は、入力デバイス４８およびドライバコントローラ２９に接続されている。ドライバコントローラ２９は、フレームバッファ２８およびアレイドライバ２２に結合されている。アレイドライバ２２は、ディスプレイアレイ３０に結合されている。電源５０は、特定の例示的ディスプレイデバイス４０設計に必要なすべてのコンポーネントに電力を提供している。
【００３１】
ネットワークインタフェース２７は、アンテナ４３およびトランシーバ４７を備えており、したがってこの例示的ディスプレイデバイス４０は、ネットワークを介して１つまたは複数のデバイスと通信することができる。また、一実施形態では、ネットワークインタフェース２７は、プロセッサ２１の要求事項を軽減するためのいくつかの処理機能を有することも可能である。アンテナ４３は、当業者に知られている、信号を送受信するための任意のアンテナである。一実施形態では、アンテナは、ＩＥＥＥ  ８０２．１１（ａ）、（ｂ）または（ｇ）を含むＩＥＥＥ  ８０２．１１規格に従ってＲＦ信号を送受信している。他の実施形態では、アンテナは、ＢＬＵＥＴＯＯＴＨ規格に従ってＲＦ信号を送受信している。セルラ電話の場合、アンテナは、ＣＤＭＡ、ＧＳＭ、ＡＭＰＳまたは無線セル電話ネットワーク内での通信に使用される他の知られている信号を受信するように設計される。トランシーバ４７は、プロセッサ２１が受け取り、かつ、さらに操作することができるよう、アンテナ４３から受け取った信号を予備処理している。また、トランシーバ４７は、アンテナ４３を介して例示的ディスプレイデバイス４０から送信することができるよう、プロセッサ２１から受け取った信号を処理している。
【００３２】
代替実施形態では、トランシーバ４７をレシーバに置き換えることができる。さらに他の代替実施形態では、ネットワークインタフェース２７を、プロセッサ２１に送信されるイメージデータを記憶し、あるいは生成することができるイメージソースに置き換えることができる。イメージソースは、たとえば、ディジタルビデオディスク（ＤＶＤ）またはイメージデータを含んだハードディスクドライブあるいはイメージデータを生成するソフトウェアモジュールであってもよい。
【００３３】
プロセッサ２１は、通常、例示的ディスプレイデバイス４０の動作を総合的に制御している。プロセッサ２１は、ネットワークインタフェース２７またはイメージソースから圧縮イメージデータなどのデータを受け取り、受け取ったデータを生イメージデータに処理し、あるいは容易に生イメージデータに処理することができるフォーマットに処理している。プロセッサ２１は、次に、処理したデータをドライバコントローラ２９に送信し、あるいは記憶するためにフレームバッファ２８に送信する。生データは、一般に、イメージ内の個々の位置におけるイメージ特性を識別する情報と呼ばれている。たとえば、このようなイメージ特性は、色、飽和およびグレースケールレベルを含むことができる。
【００３４】
一実施形態では、プロセッサ２１は、例示的ディスプレイデバイス４０の動作を制御するためのマイクロコントローラ、ＣＰＵまたは論理ユニットを備えている。条件付けハードウェア５２は、通常、信号をスピーカ４５に送信し、また、マイクロホン４６から信号を受信するための増幅器およびフィルタを備えている。条件付けハードウェア５２は、例示的ディスプレイデバイス４０内の離散コンポーネントであってもよく、あるいはプロセッサ２１または他のコンポーネント内に組み込むことも可能である。
【００３５】
ドライバコントローラ２９は、プロセッサ２１によって生成される生イメージデータをプロセッサ２１から直接受け取るか、あるいはフレームバッファ２８から受け取り、受け取った生イメージデータをアレイドライバ２２に高速転送するために適切に書式変更している。詳細には、ドライバコントローラ２９は、ディスプレイアレイ３０全体を走査するのに適した時間順序を有するよう、ラスタ様フォーマットを有するデータフローに生イメージデータを書式変更している。ドライバコントローラ２９は、次に、フォーマット化された情報をアレイドライバ２２に送信する。ＬＣＤコントローラなどのドライバコントローラ２９は、しばしば、独立型集積回路（ＩＣ）としてシステムプロセッサ２１に結合されているが、このようなコントローラは、多くの方法で実施することができる。それらは、ハードウェアとしてプロセッサ２１の中に埋め込むことも、ソフトウェアとしてプロセッサ２１の中に埋め込むことも、あるいはハードウェアの中にアレイドライバ２２と共に完全に統合することも可能である。
【００３６】
通常、アレイドライバ２２は、ドライバコントローラ２９からフォーマット化された情報を受け取ってビデオデータを並列波形セットに書式変更しており、この並列波形セットがディスプレイのｘ−ｙマトリックスのピクセルからの数百、場合によっては数千に及ぶリード線に、１秒当たり多数回にわたって印加される。
【００３７】
一実施形態では、ドライバコントローラ２９、アレイドライバ２２およびディスプレイアレイ３０は、本明細書において説明されているあらゆるタイプのディスプレイに適している。たとえば、一実施形態では、ドライバコントローラ２９は、従来のディスプレイコントローラまたは双安定ディスプレイコントローラ（たとえば分岐干渉変調器コントローラ）である。他の実施形態では、アレイドライバ２２は、従来のドライバまたは双安定ディスプレイドライバ（たとえば分岐干渉変調器ディスプレイ）である。一実施形態では、ドライバコントローラ２９は、アレイドライバ２２と共に統合されている。このような実施形態は、セルラ電話、時計および他の微小面積ディスプレイなどの高度に集積化されたシステムではごく当たり前である。さらに他の実施形態では、ディスプレイアレイ３０は、典型的なディスプレイアレイまたは双安定ディスプレイアレイ（たとえば分岐干渉変調器のアレイを備えたディスプレイ）である。
【００３８】
入力デバイス４８は、使用者による例示的ディスプレイデバイス４０の動作の制御を可能にしている。一実施形態では、入力デバイス４８は、ＱＷＥＲＴＹキーボードまたは電話キーパッドなどのキーパッド、ボタン、スイッチ、タッチセンシティブスクリーンまたは圧力感応膜あるいは熱感応膜を備えている。一実施形態では、マイクロホン４６は、例示的ディスプレイデバイス４０のための入力デバイスである。マイクロホン４６を使用してデバイスにデータを入力する場合、例示的ディスプレイデバイス４０の動作を制御するための音声コマンドを使用者が提供することができる。
【００３９】
電源５０は、当分野で良く知られている様々なエネルギー蓄積デバイスを備えることができる。たとえば、一実施形態では、電源５０は、ニッケルカドミウム電池またはリチウムイオン電池などの蓄電池である。他の実施形態では、電源５０は、再生可能エネルギー源、コンデンサまたはプラスチック太陽電池および太陽電池ペイントを始めとする太陽電池である。他の実施形態では、電源５０は、壁付きコンセントから電力を受け取るように構成されている。
【００４０】
いくつかの実施形態では、制御プログラム可能性は、上で説明したように、電子ディスプレイシステム内の複数の場所に配置することができるドライバコントローラ内に存在している。いくつかの実施形態では、制御プログラム可能性は、アレイドライバ２２内に存在している。上で説明した最適化は、任意の数のハードウェアコンポーネントおよび／またはソフトウェアコンポーネントの中で、様々な構成で実施することができることは当業者には認識されよう。
【００４１】
上で説明した原理に従って動作する分岐干渉変調器の構造の細部は、広範囲に変更することができる。たとえば図７Ａ〜７Ｅは、可動反射層１４およびその支持構造の５つの異なる実施形態を示したものである。図７Ａは、図１の実施形態の断面図であり、直角に展開しているサポート１８の上に金属材料１４の条片が付着されている。図７Ｂでは、可動反射層１４は、サポートの隅のテザー３２のみに取り付けられている。図７Ｃでは、可動反射層１４は、可撓性金属から構成することができる変形可能層３４から懸垂されている。変形可能層３４は、その周囲が基板２０に直接または間接的に接続されている。これらの接続は、本明細書においては、サポートポストと呼ばれている。図７Ｄに示されている実施形態は、サポートポストプラグ４２を有しており、その上に変形可能層３４が載っている。可動反射層１４は、図７Ａ〜７Ｃに示されているように、ギャップの上方に懸垂された状態を維持しているが、変形可能層３４は、この変形可能層３４と光学スタック１６の間の孔を充填することによってサポートポストを形成していない。その代わりに、サポートポストプラグ４２を形成するために使用される平坦化材料でサポートポストが形成されている。図７Ｅに示されている実施形態は、図７Ｄに示されている実施形態に基づいているが、図７Ａ〜７Ｃに示されているいずれの実施形態、ならびに図には示されていない追加実施形態と共に動作するように適合させることも可能である。図７Ｅに示されている実施形態では、金属または他の導電材料の追加層を使用してバス構造４４が形成されている。そのため、分岐干渉変調器の背面に沿って信号を経路化することができ、したがって、さもなければ基板２０の上に形成しなければならないことになる多くの電極が除去される。
【００４２】
図７に示されている実施形態などの実施形態では、分岐干渉変調器は、イメージが透明基板２０の前面側から観察され、その反対側に変調器が配置される直視デバイスとして機能している。これらの実施形態では、反射層１４は、反射層の基板２０とは反対側の、変形可能層３４を含む側の分岐干渉変調器部分を光学的に遮蔽している。したがって、画像品質に悪影響を及ぼすことなく遮蔽領域を構成し、かつ、動作させることができる。このような遮蔽が、アドレス指定およびそのアドレス指定によって生じる運動などの変調器の電気機械特性から変調器の光学特性を分離する能力を提供する図７Ｅのバス構造４４を可能にしている。この分離可能な変調器アーキテクチャにより、変調器の電気機械的な面および光学的な面のために使用される構造設計および材料を選択することができ、かつ、互いに独立して機能させることができる。さらに、図７Ｃ〜７Ｅに示されている実施形態は、変形可能層３４によって実行される反射層１４の光学特性と機械特性の分離によって得られる追加利点を有している。この追加利点により、反射層１４のために使用される構造設計および材料を光学特性に対して最適化することができ、また、変形可能層３４のために使用される構造設計および材料を所望の機械特性に対して最適化することができる。
【００４３】
ディスプレイ技術では、人工照明を使用してディスプレイを目に見えるようにすることができる。そのために、蛍光管またはＬＥＤなどの光源から薄いスラブ形光ガイド中に光が捕獲され、ディスプレイに引き渡される。「バックライティング」または「フロントライティング」によって照明を提供することができる。
【００４４】
フラットパネルディスプレイは、通常、ディスプレイパネルの背面に一様な照明を引き渡すために、線形光源からの光の方向を変える光ガイドスラブによって「バックリット」される（しばしば「バックライト」と呼ばれている）。光ガイドパネルの縁に沿って注入された光は、光ガイドパネル内を誘導され、光ガイドパネルの背面または前面に配置されているエクストラクタフィーチャを使用して光ガイドパネル内の光の伝搬を崩壊させ、それにより光をディスプレイに向けてパネルの前面全体に一様に放出することができる。
【００４５】
別法としては、ディスプレイパネルの観察側から一様な照明を引き渡すフロント光ガイドによってフラットパネル反射型ディスプレイを「フロントリット」することも可能である。このようなディスプレイは、周辺光を反射させることも可能であり、したがってウェルリット周辺光条件の下でそれらの輝度を大きくすることができる。フロントライトを利用することができるのは、いくつかの構成におけるローライト周辺条件の場合のみである。
【００４６】
図８に示されているフロントリットシステムでは、蛍光管、ＬＥＤまたはＬＥＤアレイあるいはＬＥＤによって照明されるライトバーなどの線形光源２からの光が、ディスプレイパネル４の前面に配置された薄いスラブ形光ガイドパネル１００３に注入される。
【００４７】
光ガイドに注入された光５は、光ガイド１００３の長さに沿って誘導される。光５は、ディスプレイパネルに一様な照明を提供するために、光ガイド１００３の厚さを通して伝搬し、射出面１０３１から射出するよう、約９０度の大きい角度で方向転換される。光の方向転換は、複数の方向転換フィーチャを含んだ表面レリーフ構造によって達成することができる。
【００４８】
図８に関連して上で説明したように、光入射表面１０３３に入射した光ビーム５は、フロント光ガイド３を通って、内部全反射によって光ガイド１００３の反対側の面に向かって伝搬する。観察面１０３２には、さらに、観察面１０３２の幅に沿ったパターンで配列されたプリズム微細構造１０４０などの複数の光方向転換構造が含まれている。プリズム微細構造１０４０は、ファセット／空気界面で光が反射し、大きい角度で光が方向転換するように互いに角度が付けられた複数の方向転換ファセット１０４２および１０４４を備えることができる。複数の対の隣接するファセット１０４２および１０４４は、たとえば、１つの浅く、かつ、長いファセットと、はるかに短く、かつ、傾斜がより急峻なファセットとを備えることができる。図８に示されているように、光が第１の浅いファセットに衝突し、次に、第２のより急峻なファセットに連続的に衝突すると、ファセット／空気界面の両方で内部全反射が生じ、大きい角度で光が方向転換する。この経路に沿った光は、次に、射出面から隣接するディスプレイパネルに向かって光ガイドから抽出される。したがって、これらの構造１０４０のうちの１つに遭遇した光ビーム５は、拡散反射または鏡面反射し、そのほとんどが射出面１０３１から放出される。多重内部反射によって光ガイドプレート３内の光の混合が強化され、それにより、より一様な光が光射出面１０３１全体から射出する。
【００４９】
これらのプリズム表面レリーフフィーチャは、エンボス、射出成形鋳造または他の技法などによって光ガイドの表面に製造されるか、あるいは平らな光ガイドの表面に取り付けられることになる薄膜中に製造されるかのいずれかである。特定の設計では、光ガイドの頂部表面、つまり光射出面とは反対側の露出表面にプリズム表面レリーフ構造が配置されている。したがって周辺条件から保護されない場合、方向転換ファセットは、ほこり、水または他の汚染物質によって容易に汚染される。たとえばほこりが存在していると、ファセット界面部分の内部全反射が破壊され、プリズム微細構造の光方向転換性能が低下することがある。また、このようなプリズム微細構造の谷間にトラップされたごみまたは粒子汚染物質は、観察者の目に光を直接散乱させることになり、したがって表示コントラストが小さくなる。
【００５０】
したがって、ディスプレイを製造している間、およびディスプレイの使用寿命の間、プリズム表面レリーフ構造を保護することが有利である。これは大きな問題であり、この技術の広範囲にわたるアプリケーションを制限している。製造中、クリーンルーム設備を使用して表面レリーフの汚染を防止することができるが、この手法の場合、製造コストが増加する。また、デバイスを使用している間、密閉されたカバープレートを使用してプリズム表面を保護することも可能である。しかしながら、これが寄与するのは光ガイドの厚さに対してであり、製造が複雑になる。したがって、場合によっては、性能を改善し、製造を単純にし、かつ／またはコストを低減することができる他の設計が望ましい。
【００５１】
図９は、線形光源２およびフロント光ガイドパネルまたはプレート１０３（ＬＧＰ）を備えたフロントリットディスプレイの一実施例を示したものである。この線形光源２は、たとえば、冷陰極蛍光管（ＣＣＦＬ）ランプ、ＬＥＤ、ＯＬＥＤ、ＬＥＤまたはＬＥＤアレイによって照明されるライトバー、蛍光管または他の適切な任意の線形光源を備えることができる。この光源２は、線形光源２からの光が光ガイドプレート１０３の光入射表面１３３に入射するよう、フロント光ガイドプレート１０３の縁と平行に整列している。
【００５２】
フロント光ガイド１０３は、線形光源２からの光の方向を変え、かつ、射出面の平らな表面に光を一様に再分配することができる実質的に光学的に透過型の材料からなっている。光ガイド１０３は、光入射表面１３３、光入射表面に直角の光射出面１３１、および光射出面１３１とは反対側の観察面１３２を備えている。
【００５３】
線形光源２からの光５は、光ガイドプレート１０３の光入射表面１３３に入射し、以下でより詳細に説明するように、光ガイドプレート１０３の長さＬに沿って伝搬し、光ガイドプレート１０３の前面１３２と背面１３１の間で反射し、光ガイドプレート１０３内のフィーチャによってその方向を転換し、光射出面１３１を介して光ガイドプレート１０３から射出し、ディスプレイパネル４に向かって伝搬する。
【００５４】
特定の実施形態では、フロント光ガイド１０３は、互いに平行をなしている射出面１３１および観察面１３２を備えた長方形のプレートつまりシートを備えている。一実施形態では、フロント光ガイド１０３は、光射出面１３１および観察面１３２が互いに角度が付けられたくさび形プレートを備えることができる。他の実施形態では、光射出面１３１および観察面１３２の一部が互いに角度が付けられ、他の部分が互いに平行をなしている。他の実施形態では、光射出面１３１および観察面１３２は互いに平行ではなく、たとえば観察面１３２は、鋸歯パターン（図示せず）を有することができる。
【００５５】
特定の実施形態では、フロント光ガイドは、上部部分および下部部分からなっていてもよく、上部部分および下部部分は、それぞれ、輪郭が付けられた対向する表面が上部部分と下部部分の間に埋め込まれた複数の方向転換フィーチャを生成するように一体に結合される輪郭付き表面を有している。たとえば、図９に示されているように、フロント光ガイド１０３は、光ガイド１０３の光方向転換フィーチャ１４０が重合体膜１３６および１３８の２つの隣接する面に形成され、したがって結果として得られる光ガイドパネル１０３の中に埋め込まれるように一体に結合された２つの重合体膜１３６および１３８からなっていてもよい。
【００５６】
図１０により詳細に示されているように、光ガイド１０３は、底部膜１３６（観察者から遠い方に配置されている）および頂部膜１３８（観察者に近い方に配置されている）を備えている。底部膜１３６は、結果として得られる光ガイドプレートの射出面１３１を形成している平らな表面、およびその反対側に構造化された、膜１３６の幅全体にわたって間隔を隔てて配置された複数の表面レリーフフィーチャ１４０ａを備えた表面１３５を有している。同様に、頂部膜１３８も、結果として得られる光ガイド１０３の観察面１３２を形成している平らな表面、およびその反対側に構造化された、膜１３８の幅全体にわたって間隔を隔てて配置された複数の表面レリーフフィーチャ１４０ｂを備えた表面１３７を備えている。光ガイドプレート１０３は、２つの膜１３６および１３８を、表面フィーチャ１４０ａおよび１４０ｂが結果として得られる膜１０３の中に埋め込まれ、それにより外部の損傷または汚染から保護されるよう、それらの構造化された面１３５および１３７を互いに対向させて一体に結合することによって生成することができる。図に示されている実施形態では、膜１３６および１３８は、膜１３６および１３８の構造化された面１３５および１３７の各々が整列して一体に結合されると、表面レリーフフィーチャ１４０ａおよび１４０ｂが、光ガイドプレート１０３の長さ全体にわたって間隔を隔てて配置された一連の充填可能ギャップすなわち空胴１５０（図９参照）を形成するように光学的に結合される。しかしながら、代替実施形態では、互いに対向する表面フィーチャ１４０ａおよびｂは、頂部膜１３８および底部膜１３６の表面１３７および１３５に沿って必ずしも等間隔で配置する必要はなく、その代わりに、たとえば異なる光方向転換効果を光ガイドプレートの長さに沿って提供するために故意にオフセットさせることも可能である。
【００５７】
一実施形態では、頂部膜１３８および底部膜１３６は、これらの膜が結合されると、それらが光学的に１つの光ガイドになって１つの膜のように動作し、それらの間に光学的な界面が存在せず、かつ、複数の空胴がその中に埋め込まれるよう、同じ屈折率を有している。使用中、誘導された、複数のファセットのうちの１つと埋め込まれた空気ポケットとの間の界面に衝突した光は、その界面で優先的に内部全反射し、それによりたとえば７５°〜９０°の間の大きい角度で方向転換することになる。特定の実施形態では、空胴に充填材を充填し、光ガイドプレートに機械的な安定性および強度を提供することができる。充填材は、ファセット／空胴界面における内部全反射が依然として生じることを保証するために、光ガイド材料の屈折率とは異なる屈折率を有することができる。
【００５８】
したがって空胴は空であってもよい。上で説明したように、これらの空胴は、材料で充填することも可能である。空胴という用語は、その体積が空であり、たとえば空気またはガスが充填されている状態、あるいはその体積が、異なる光学特性、たとえば屈折率などを有する光学的に透過型の材料などの材料で充填されている状態のいずれかを説明するために使用されている。
【００５９】
また、たとえば射出面全体に所望の角度で一様に光を分配するために、入射面に入射する誘導光と広範囲にわたって相互作用し、かつ、抽出効率が高くなるか、あるいは抽出効率が最大化されるように、表面フィーチャ１４０ａおよび１４０ｂの形状およびサイズ、延いては結果として得られる空胴１５０（図９参照）の形状およびサイズを選択することも可能である。したがって表面フィーチャ１４０ａおよび１４０ｂは、側面つまり一般的には射出面１３１に対して平行である入射面１３３から注入された光を大きい角度で方向転換させ、かつ、射出面１３１から放出させるために適した任意の形状を備えることができる。それと同時に、表面フィーチャ１４０ａおよび１４０ｂは、観察面１３２に入射する、観察面１３２に対して実質的に直角の周辺光などの光を光ガイドプレート１０３および比較的影響されない表面フィーチャを介して透過させ、かつ、射出面に対して実質的に直角の角度で射出面１３１から放出させる形状にすることも可能である。たとえば、表面フィーチャは、２つの隣接する対称ファセットを個々に備えた複数の反復プリズム微細構造を備えることができる。別法としては、表面フィーチャは、膜に対して異なる傾斜角を有する２つの隣接するファセットを個々に備えた複数の反復プリズム微細構造を備えることができる。他の構成も可能である。
【００６０】
一実施形態では、表面フィーチャ１４０ａおよび１４０ｂは、観察者に目立たないよう、十分に小さい。特定の実施形態では、表面フィーチャ１４０ａおよび１４０ｂは、膜１３６および１３８の長さＬ全体にわたって全く同じにすることができ、たとえば、上で説明したように同じ角配向、形状または寸法を反復することができる。別法としては、表面フィーチャ１４０ａおよびｂの形状、角配向および／またはサイズを膜１３６および１３８の長さ全体にわたって変化させることも可能である。
【００６１】
特定の実施形態では、表面フィーチャ１４０ａを表面フィーチャ１４０ｂの対向するミラーにすることができ、別法としては、表面フィーチャ１４０ａの形状を表面フィーチャ１４０ｂに対して相補形状にし、一方を少なくとも部分的にもう一方の中に適合させることも可能である。互いに対向している頂部膜１３８および底部膜１３６の表面フィーチャ１４０ｂおよび１４０ａは、一体に結合されると、これらの２つの膜の間に埋め込まれた複数の対称空胴１５０を生成することができる。別法としては、互いに対向している頂部膜１３８および底部膜１３６の表面フィーチャ１４０ｂおよび１４０ａは、これらの膜の間に埋め込まれた非対称空胴を生成することも可能である。特定の実施形態では、このような非対称空胴を設計することにより、ファセット／空気界面の長さを短くし、延いては、光線が界面に衝突する際に生じる有害なフレネル反射を抑制することができる。表面フィーチャ１４０ａおよび１４０ｂを結合することによって空胴が生成されるため、より複雑な方向転換フィーチャを生成することができる。たとえば再入可能構造を生成することができ、いずれの膜にも再入可能な性質は形成されないが、その代わりに頂部膜１３８および底部膜１３６の表面フィーチャ１４０ｂおよび１４０ａを結合する際に生成される。
【００６２】
たとえば、図１０に詳細に示されている実例実施形態では、底部膜１３６上の表面フィーチャ１４０ａは、構造化された表面１３５の長さ全体にわたって間隔を隔てて配置され、かつ、複数の平らなスペーサ１４３によって分離された複数の交互マイクロプリズム１４２を備えている。マイクロプリズム１４２は、マイクロプリズム１４２の先端に入射した光線５がプリズムに入射し、引き続いてマイクロプリズム／空気界面で内部反射し、それにより大きい角度で方向転換し、光線６として光ガイド１０３の射出面１３１から射出するように互いに角度が付けられた隣接するファセットで形成されている。頂部膜１３８上の表面フィーチャ１４０ｂは、構造化された表面１３７の長さ全体にわたって間隔を隔てて配置された複数の溝１４４を備えている。溝１４４は、膜１３８の長さ全体にわたって内部全反射した内部全反射（ＴＩＲ）光線、ならびに溝１４４に入射した、ＴＩＲに近い角度を有する光線が、溝１４４の幅全体にわたって直線的に屈折するように互いに角度が付けられた隣接する表面を備えている。したがって、図９に示されているように、膜１３６および１３８が結合されて光ガイドプレート１０３が形成されると、表面フィーチャ１４０ａおよび１４０ｂが協同して、光ガイドプレート１０３の長さに沿って間隔を隔てて配置された埋設空胴１５０を形成する。これらの空胴１５０によってマイクロプリズム１４２の表面に空気／光ガイド材料界面が生成され、それによりマイクロプリズム１４２の先端を通って移動する光が大きい角度で方向転換し、したがって入射面１３３に入射した光線５が再分配され、かつ、方向転換され、光６として射出面１３１からディスプレイ４に向かって放出される。
【００６３】
使用中、図８、１０〜１１に示されているように、線形光源２からの光線５がフロント光ガイドプレート１０３に注入されると、光線５は、内部全反射（ＴＩＲ）によって光ガイドプレート１０３を通って伝搬する。内部全反射（ＴＩＲ）は、ガラスなどの屈折率がより大きい媒体から空気などの屈折率がより小さい媒体へ移動する光が、媒体境界で光が反射する角度で媒体境界に入射する光学現象である。これらの光線が光ガイドプレートを通って誘導されると、最終的には表面フィーチャ１４０ａのマイクロプリズム１４２のファセットに衝突することになる。空胴１５０によって形成される空気／光ガイド材料界面における空気と光ガイド材料の間の屈折率の差のため、光線５は、大きい角度で方向転換して光ガイドプレート１０３の光射出面１３１から放出される。光ガイドプレート１０３の光射出面１３１から放出された光線６は、エアギャップを横切って伝搬し、ディスプレイパネル４、たとえば分岐干渉変調器ディスプレイパネルに入射し、そこで光線が変調され、反射して光ガイドの光射出面１３１に向かって戻る。図１１に示されているように、ディスプレイパネル４からの変調光線７は、光ガイドプレート１０３の光射出面１３１に入射する。これらの光線７は、光ガイドプレート１０３を通って伝搬し、観察面１３２から射出する。したがって使用者はこの光線７を見ることができる。したがって、様々な実施形態では、表面フィーチャ１４０ａおよび１４０ｂ、延いては空胴１５０は、光射出面１３１に直角またはほぼ直角に近い角度で入射する光が、大きな妨害または逸脱を伴うことなく、光ガイドプレート１０３および空胴１５０を通って伝搬するように形状化されている。
【００６４】
図１２に示されているように、周辺光のレベルが十分に高い場合、ディスプレイパネル４を照明するための線形光源２からの追加照明は必ずしも必要ではない。ここでは、直角またはほぼ直角に近い角度で観察面１３２に入射する周辺光線８も、同様に、大きな妨害を伴うことなく、光ガイドプレート１０３および空胴１５０を通って伝搬している。周辺光線８は、次に、光射出面１３１から放出され、上で説明したようにエアギャップを横切ってディスプレイ４まで伝搬する。したがって光ガイドプレート１０３は、光入射面に入射する誘導光と広範囲にわたって相互作用し、かつ、それと同時に、射出面および観察面に入射する非誘導光をほとんど妨害しない機能を提供している。さらに、光ガイドプレート１０３は、表面フィーチャを２つの膜の間に埋め込むことによって光方向転換フィーチャを損傷または汚染から保護している。
【００６５】
特定の実施形態では、表面フィーチャ１４０ａおよびｂのサイズ、形状、間隔または他の特性を光ガイドプレート１０３の長さＬ全体にわたって変化させることができ、それによりたとえば光射出面１３１の長さ全体にわたって一様な光抽出を得ることができる。図１３に示されているように、対応する表面フィーチャ１４０ａおよび１４０ｂの対と対の間の距離が光ガイドプレートの幅全体にわたって５０ミクロンから４５０ミクロンまで変化している特定の光ガイドパネル１０３（図９〜１２に示されているような）が示されている。たとえば、図に示されている実施形態では、表面フィーチャ１４０ａと１４０ｂの間の間隔は、光源２からの距離が長くなるほど短くなっている。たとえば、光源２に最も近い光ガイドプレート１０３の領域Ａでは、表面フィーチャ１４０ａおよび１４０ｂの対と対の間の間隔は約４５０ミクロンであり、中間の領域Ｂでは、表面フィーチャ１４０ａおよび１４０ｂの対と対の間の間隔は約１５０ミクロンである。また、最も遠い領域Ｃでは、表面フィーチャ１４０ａおよび１４０ｂの対と対の間の間隔は約５０ミクロンである。表面フィーチャ１４０ａおよび１４０ｂの対と対の間の距離を短くすることによって、光源２から最も遠い光ガイドプレート１０３の領域の抽出効率を高くしている。この抽出効率は、光ガイド１０３のより遠くの領域に実際に到達する光束の減少を平衡させており、したがって光射出面１３１の表面全体により一様に射出することができる。別法としては、上で説明したように光ガイドプレート１０３の観察面１３２を射出面１３１に対して角度を付け、それによりくさび形の光ガイドプレート１０３を形成することも可能であり、これにより、同じく光源２から最も遠い光ガイドプレートの領域の抽出効率を高くすることができる。
【００６６】
光ガイド１０３は、底部膜１３６の上のマイクロプリズム１４２または図１０に示されている頂部膜１３８の上のファセット化された溝１４４などの設計された表面レリーフを備えた膜１３６および１３８をインプリントすることによって製造することができる。これらの表面レリーフフィーチャは、エンボス、射出成形または当分野で知られている他の適切な任意の技法によって生成することができる。頂部膜および底部膜の上に表面フィーチャが成形されると、これらの膜を整列させ、かつ、一体に結合して光ガイドプレート１０３を生成することができる。これらの膜は、たとえば適切な任意の接着剤を使用した積層によって一体に結合することができる。適切な接着剤には、たとえば感圧性接着剤、熱硬化性接着剤、ＵＶまたは電子ビーム硬化性接着剤あるいは適切な光学特性および機械特性を有する他の任意の接着剤がある。しかしながら、いくつかの実施形態では、これらの膜を積層する場合、表面フィーチャと表面フィーチャの間の空の空胴が接着材料で充填され、これらの空胴の光方向転換特性が破壊される可能性がないよう、注意しなければならない。いくつかの実施形態では、これらの膜の厚さは約７０〜８０ミクロンの間であるが、表面フィーチャの深さは、約７ミクロンないし８ミクロンの間にすぎない。したがって、注意を怠ると、これらの膜を結合するために圧力を印加する際に、頂部膜および底部膜を結合するために使用される積層接着剤が表面フィーチャによって生成される空の空胴の中ににじみ出るか、あるいは滲出して、これらの空の空胴が充填されることがある。このような状況は、頂部膜と底部膜の間に加えられる積層材料の厚さを制御し、接着剤が過剰になることを防止することによって回避することができる。別法としては、これらの２つの膜を結合するためにこれらの２つの膜に極端な圧力を印加する必要がないよう、光反応性接着剤を使用することも、ＵＶ光によって硬化させることも可能である。別法としては、これらの２つの膜の間に薄い金属コーティングを加え、次に、ＲＦエネルギーを使用して硬化させることも可能である。特定の実施形態では、膜に表面レリーフフィーチャがインプリントされる前に積層材料を加えることができる。個々の膜に表面フィーチャをインプリントする場合、表面フィーチャから積層材料が除去されるため、したがってこれらの２つの膜を結合する際に、空の空胴に滲出する過剰材料は一切存在していない。特定の実施形態では、上で説明したように、屈折率が光ガイド材料の屈折率より小さい充填材で空の空胴を充填することができる。この充填材は、充填材が、空胴中への積層材料のあらゆる滲出および充填を防止するための追加機能をもたらすよう、積層に先立って加えることができる。
【００６７】
他の手法も可能である。代替実施形態では、光ガイド中に埋め込まれた方向転換フィーチャは、平らな膜に積層された、輪郭が付けられた単一の膜によって生成することができる。たとえば、図１４〜１５に示されているように、光ガイド２０３は、プラスチック光ガイドまたはガラス光ガイドなどの光ガイドプレート２２３の平らな頂部表面に積層された、輪郭が付けられた単一の膜２３８を備えることができる。図に示されている実施形態では、膜２３８の輪郭が付けられた表面は、平らな表面よりもディスプレイパネルから離れている。ここでは、方向転換ファセットは、膜２３８の輪郭が付けられた表面に平らなプラスチックカバー層２６０を加えることによって保護することができる。たとえば、膜２３８は、アクリル、ポリカーボネート、ＺＥＯＮＥＸ（登録商標）または当分野で知られている他の適切な任意のプラスチックなどのプラスチック膜を備えることができる。膜２３８には、エンボス、射出成形または他の適切な任意の技術によって生成される反復表面レリーフ構造をインプリントすることができる。表面レリーフフィーチャ２４０は、対称であっても、非対称であってもよい複数のファセット２４２および２４４を備えることができる。膜２３８は、次に、エンボス膜２３８が事実上光ガイドプレート２２３の一部になるよう、光ガイドプレート２２３の頂部表面に取り付けるか、あるいは積層することができる。屈折率整合接着剤を使用することができる。インプリントされた表面レリーフフィーチャ２４０は、膜２３８の頂部露出表面として残される。カバー層２６０は、次に、膜２３８の露出表面に取り付けられるか、あるいは積層される。上で説明したように、膜２３８およびカバー層２６０の両方の屈折率が類似している場合、表面レリーフフィーチャ２４０は、事実上、複合（単一ユニタリ）光ガイド２０３の中に埋設される。
【００６８】
図１５に示されているように、表面レリーフフィーチャ２４０とカバー層２６０の間に、上で説明した空胴と同様の空胴（たとえば空気ポケット）２５０が生成されている。使用中、光源２からの複数の光線５が光入射表面２３３で光ガイド２０３に入射し、光ガイド２０３と周囲の空気との間の界面における光線の内部全反射によって光ガイドの長さに沿って誘導される。光線５が複数の埋設空胴２５０のうちの１つによって生成される光ガイド材料／空気界面に内部全反射のための臨界角より大きい角度で衝突すると、光線５も同様に内部全反射することになる。しかしながら、表面レリーフフィーチャ２４０のファセット２４２および２４４によって生成される空気／光ガイド材料界面の角度のため、内部全反射した光は、大きい角度、一般的には９０度以上の角度で方向転換し、次に、光射出面２３１を介して光ガイド２０３からディスプレイパネル４に向かって射出することになる。
【００６９】
図１６の横断面図に示されているような特定の実施形態では、表面レリーフフィーチャ３４０は、光ガイド３０３内の空胴（たとえば空気ポケット）３５０が非対称形状を有するように構成することができる。詳細には、図に示されているように、光源２に近い方の側と光源２から遠い方の側とは異なっている。たとえば２つのファセット３４２および３４４の急峻度は異なっている。図１６では、表面レリーフフィーチャ３４０は２つの隣接するファセット３４２および３４４を備えており、第１のファセット３４２は、短く、かつ、急峻なファセットであり、第２のファセット３４４は垂直ファセットである。空胴３５０のこの非対称形状により、光ガイド材料／空気界面の長さが短くなり、したがって光が界面に衝突する際に生じる有害なフレネル反射が抑制される。これらのファセットは、他の角度を有することも可能であり、また、異なる形状にすることも可能である。
【００７０】
埋設表面レリーフフィーチャの他の利点は、空胴３５０によって形成される埋設空気／光ガイド材料界面を使用することにより、側光源２からの光５がより効率的に中継されることである。たとえば図１７に示されているように、約３０°の半角を有する円錐内に含まれている光線５が光ガイド３０３を通って伝搬し、空胴３５０で光ガイド材料／空気界面に衝突すると、上で説明したように光の一部６が内部全反射によって下に向かって方向転換し、また、光の一部７が界面を通って空胴３５０中に屈折する。ここでは、光７は、垂直ファセット３４４で空気／光ガイド材料界面に衝突するまで空胴３５０を通って伝搬することになる。光７は、次に、この界面で屈折し、それによりある程度平行化されて光ガイド材料中に戻る。この光が次に光ガイドの表面で空気／光ガイド材料界面に衝突すると、光７は、内部全反射して光ガイド内に留まることになる。それとは逆に、表面レリーフフィーチャが２つの埋設光ガイド−空気界面を備えた空胴を備えていない場合、表面レリーフフィーチャの光ガイド材料／空気界面で内部全反射しない光は、すべて界面を通って屈折し、光ガイドから射出することになる。したがって、屈折した光の一部が光ガイドから射出することを防止するべく空胴を埋め込み、第２の空気／光ガイド材料界面を提供することによって光ガイドの効率が改善される。
【００７１】
代替実施形態では、図１８に示されているように、方向転換ファセット２４２および２４４は、銀または他の適切な任意の金属コーティングなどの反射コーティング２８０でコーティングすることができる。また、反射コーティング２８０を使用した場合、光ガイド材料／空気界面を通って既に屈折していることになるあらゆる光を、内部全反射による方向転換ではなく、この反射コーティングによってディスプレイパネルに向けて下方に反射させることができるため、光ガイドの効率を改善することができる。特定の実施形態では、上で説明したように、空胴２５０にも充填材を充填することができ、構造に機械的な安定性および強度を提供することができる。特定の実施形態では、反射コーティングを加える代わりに、充填材を反射型にすることができる。
【００７２】
方向転換ファセット２４２および２４４は、表面フィーチャ２４０によって生成される光ガイド材料／空気界面で光を大きい角度で方向転換させるために適した任意の形状にすることができる。さらに、上で説明したように、ファセットのサイズ、形状、間隔または他の特性を変化させることにより、光ガイド２０３の長さ全体にわたって一様な光抽出を得ることができる。特定の実施形態では、図１９に示されているように、表面レリーフフィーチャ２４０は、図１５に示されている単一ファセット化表面２４２および２４４の代わりに、複数の多重ファセット化表面４４２および４４４を備えることができる。多重ファセット化表面は、入射する光が方向転換する角度範囲を広くすることができ、したがって、図１９に示されているように、隣接する表面フィーチャ２４０によって方向転換した光がディスプレイパネル４で重畳する確率が高くなり、延いてはディスプレイパネル４に入射する光の一様性が改善される。これは、方向転換した光線が広がることができる距離Ｄが短くなるよう、ディスプレイパネル４および埋設表面レリーフフィーチャ２４０が緊密に間隔を隔てている場合にとりわけ有利である。たとえば、図１９に示されているように、多重ファセット化された方向転換表面４４２に異なる高さで衝突する光線１５は、光線１５が方向転換表面に衝突する角度に応じた異なる角度で内部全反射して方向転換することになる。
【００７３】
代替実施形態では、図２０に示されているように、方向転換表面５４２および５４４は、別法として、湾曲した単一の表面を備えることができる。この湾曲した表面５４２および５４４は、入射した光が方向転換ファセット５４２および５４４に衝突する位置に応じて空気／光ガイド材料界面の界面角度を変化させることによって、上で説明した利点と同じ利点を提供することができる。そのため、延いては光が内部全反射する角度範囲が広くなり、したがって隣接する表面フィーチャ２４０によって反射した光がディスプレイパネル４に衝突する際に重畳する確率が高くなり、延いてはディスプレイパネル４に入射する光の一様性が改善される。
【００７４】
代替実施形態では、図２１に示されているように、複合光ガイド６０３は、第１の平らな表面および輪郭が付けられた、膜の第１の面の長さ全体にわたって展開している凹状表面レリーフフィーチャ６４０を備えた第２の表面を有する膜６３８と、平らな頂部表面および底部表面を有するプラスチックまたはガラス製の光ガイドプレート６２３とを備えることができる。膜６３８は、膜６３８の平らな表面と光ガイドの平らな底部表面が隣接し、膜６３８が事実上光ガイドプレート６２３の一部になるよう、光ガイドプレート６２３の底部表面に取り付けるか、あるいは積層することができる。
【００７５】
膜６３８の輪郭が付けられた表面は、凹状表面レリーフフィーチャ６４０が、膜６３８の同じく光ガイドプレート６２３とは反対側に面している露出表面に留まるよう、光ガイドプレート６２３とは反対側に面してしいる。特定の実施形態では、膜６３８の輪郭が付けられた表面に平らなプラスチックカバー層６６０を加え、膜６３８とカバー層６６０の間に表面フィーチャを埋め込むことによって凹状表面フィーチャ６４０を保護することができる。上で説明したように、膜６３８およびカバー層６６０の両方の屈折率が類似している場合、表面レリーフフィーチャ６４０は、事実上、複合光ガイド６０３の中に埋設される。別法としては、膜６３８とディスプレイエレメントのアレイの間に凹状表面フィーチャが埋め込まれるよう、ディスプレイエレメントのアレイに膜６３８の凹状表面を直接取り付けるか、あるいは積層することも可能である。凹状表面レリーフフィーチャ６４０は、対称であっても、非対称であってもよい複数の隣接するファセットを備えることができる。図に示されている実施形態では、凹状表面レリーフフィーチャ６４０は、同じ傾きを有する傾斜側壁すなわちファセット６４２および６４４を備えているが、これらの傾斜は、実施形態に応じて異なる傾斜にすることができる。これらの傾斜側壁６４２および６４４は、膜６３８中における空胴６５０の深さが深くなるにつれて空胴６５０の幅が広くなるように傾斜が付けられている。同様に、ディスプレイエレメント４に最も近い個々のファセット６４２および６４４の縁は、ディスプレイから最も遠い個々のファセット６４２および６４４の縁よりも互いに接近している。
【００７６】
特定の実施形態では、図２１に示されているように、表面レリーフフィーチャ６４０は、光ガイド６０３を通って伝搬する誘導光が空気／光ガイド材料界面で内部全反射するように形状化し、かつ、サイズ化することができる。使用中、光源２からの複数の光線５が光入射表面６３３で光ガイド６０３に入射し、光ガイド６０３と周囲の空気との間の界面における光線の内部全反射によって光ガイドの長さに沿って誘導される。光線５が複数の埋設空胴（たとえば空気ポケット）６５０のうちの１つによって生成される空気／光ガイド材料界面に内部全反射のための臨界角より大きい角度で衝突すると、光線５は、ファセット６４２で内部全反射することになる。表面レリーフフィーチャ６４０のファセット６４２および６４４によって生成される空気／光ガイド材料界面の角度のため、内部全反射した光は、大きい角度、一般的には９０度以上の角度（光射出面６３１に対して）で方向転換し、次に、光射出面６３１を介して光ガイド６０３からディスプレイエレメント４のアレイに向かって射出することになる。
【００７７】
代替実施形態では、図２２に示されているように、表面レリーフフィーチャ７４０は、光ガイド７０３を通って伝搬する誘導光が、空気／光ガイド材料界面における光線の屈折によってディスプレイエレメントのアレイに向かって方向転換するように形状化し、かつ、サイズ化することができる。表面レリーフフィーチャ７４０とカバー層７６０の間に、上で説明した空胴と同様の空胴（たとえば空気ポケット）７５０が生成されている。図に示されている実施形態では、表面レリーフフィーチャ７４０は、垂直側壁すなわちファセット７４２および７４４を備えているが、これらの傾斜は、実施形態に応じて異なる傾斜にすることができる。
【００７８】
使用中、光源２からの光線５が光入射表面７３３で光ガイド７０３に入射し、光ガイド７０３と周囲の空気との間の界面における光線の内部全反射によって光ガイドの長さに沿って誘導される。光線５が複数の埋設空胴７５０のうちの１つによって生成される空気／光ガイド材料界面に衝突すると、光ガイドと空気の間の屈折率の変化によって光線５が屈折することになる。表面レリーフフィーチャ７４０のファセット７４２によって生成される空気／光ガイド材料界面の角度のため、光射出面７３１を介して光ガイド７０３から射出するように光が湾曲し、ディスプレイエレメント４のアレイに向かって導かれる。
【００７９】
広範囲にわたる他の様々な変形形態も可能である。構造フィーチャを追加し、除去し、再配列し、あるいは再配置することができる。異なる構造フィーチャを代用することも可能である。コンポーネントのタイプ、配置および構成は、別様にすることができる。コンポーネントは、追加または除去することができる。同様に処理ステップも追加または除去あるいは再配列が可能である。また、いくつかの実施形態はプレートとして記述されているが、これらの実施形態は、さもなければ膜またはシートを備えることも可能である。また、本明細書において使用されている膜および層という用語には、膜スタックおよび多層が含まれている。これらの実施形態は、分岐干渉ディスプレイのコンテキストの中で説明されているが、反射技術、透過技術および半透過技術のうちの任意の技術のための室内照明およびディスプレイ照明を始めとするあらゆる有向照明解決法にこの技術を適用することができることは当業者には認識されよう。
【００８０】
以上の詳細な説明は、様々な実施形態に適用された本発明の新規な特徴を図に示し、説明し、かつ、指摘したものであるが、上で説明したデバイスまたはプロセスの形態および細部に、本発明の精神から逸脱することなく、様々な省略、置換および変更を当業者によって加えることができることは理解されよう。また、上でも言及したように、特定の専門用語の使用は、それが本発明の特定の特徴または態様を記述している場合、その専門用語が、本明細書において、その専門用語と関連している本発明の特徴または態様の何らかの特定の特性を包含するように限定するべく定義し直されていることを暗に意味するものと解釈してはならないことに留意されたい。本発明の範囲は、以上の説明によってではなく、特許請求の範囲の各請求項によって示されている。これらの請求項の等価物の意味および範囲に包含されるすべての変更は、特許請求の範囲に包含されるものとする。
【００８１】
［他の実施形態］
開示される特定の実施形態は、頂部表面および底部表面を有する上部部分と、頂部表面および底部表面を有する下部部分とを備えた光ガイドを備えている。下部部分の頂部表面には輪郭が付けられており、また、上部部分の底部表面にも輪郭が付けられている。上部部分は、上部部分の輪郭が付けられた底部表面および下部部分の輪郭が付けられた頂部表面が上部部分と下部部分の間に空胴を形成するように下部部分の上に配置されている。これらの部分のうちの少なくとも１つは、突出部を形成する輪郭を有しており、また、他の部分のうちの少なくとも１つは、凹所を形成する輪郭を有している。突出部の形状および凹所の形状は同じ形状ではなく、突出部は凹所の中に突出している。
【００８２】
いくつかの実施形態では、上部部分および下部部分は、輪郭が付けられた、表面レリーフフィーチャがインプリントされた表面を有する膜を備えている。表面レリーフフィーチャは、複数の細長いマイクロプリズムを備えることができる。これらのマイクロプリズムは、それぞれ、互いに角度が付けられた少なくとも２つの隣接するファセットを備えることができる。いくつかの実施形態では、少なくとも２つの隣接するファセットは、膜に対して異なる傾斜角を有している。いくつかの実施形態では、傾斜角は、膜の長さに沿って変化している。２つの隣接するファセットは、湾曲した表面を備えることができる。マイクロプリズムは、それぞれ多重ファセット化された２つの面を備えることができる。いくつかの実施形態では、表面レリーフフィーチャ間の距離は、５０ミクロンから４５０ミクロンの範囲に及んでいる。いくつかの実施形態では、隣接する表面レリーフフィーチャ間の距離は、膜の長さに沿って変化している。いくつかの実施形態では、上部部分および下部部分は、光を注入することができる縁を備えており、隣接する表面レリーフフィーチャ間の距離は、縁からの距離が長くなるにつれて短くなっている。いくつかの実施形態では、光ガイドは、光を注入し、かつ、空胴で光ガイドから散乱させることができる縁を備えている。いくつかの実施形態では、空胴は空気ポケットを備えている。空気ポケットは非対称であってもよい。空胴には充填材を充填することができる。いくつかの実施形態では、光ガイドは、光を注入することができる縁を備えており、さらに、縁に隣接して配置された光源を備えている。光源からの光は、空胴表面によって下部部分の底部表面から散乱させることができる。いくつかの実施形態では、上部部分の輪郭が付けられた底部表面および下部部分の輪郭が付けられた頂部表面は、複数の細長い溝を備えている。これらの溝は傾斜した平らな表面を備えることができる。上部部分の底部表面のこれらの溝のうちの少なくともいくつかは同じ形状を有することができる。下部部分の頂部表面のこれらの溝のうちの少なくともいくつかは同じ形状を有することができる。いくつかの実施形態では、これらの溝は非対称である。これらの溝と溝の間の距離は、膜の長さ全体にわたって変化させることができる。いくつかの実施形態では、これらの溝と溝の間の距離は、５０ミクロンから４５０ミクロンの範囲に及んでいる。いくつかの実施形態では、上部部分の頂部表面と下部部分の底部表面は平行である。上部部分の頂部表面の第１の部分と下部部分の底部表面の第１の部分は、必ずしも平行でなくてもよい。いくつかの実施形態では、上部部分の頂部表面の第２の部分と下部部分の底部表面の第２の部分は平行である。いくつかの実施形態では、上部部分の頂部表面と下部部分の底部表面は平行ではない。
【００８３】
いくつかの実施形態では、デバイスは、さらに、ディスプレイエレメントのアレイおよびディスプレイエレメントと電気通信しているプロセッサを備えることができる。プロセッサは、イメージデータを処理するように構成することができ、また、メモリ素子は、プロセッサと電気通信することができる。いくつかの実施形態では、このデバイスは、さらに、ディスプレイエレメントに少なくとも１つの信号を送信するように構成されたドライバ回路を備えている。デバイスは、さらに、ドライバ回路にイメージデータの少なくとも一部を送信するように構成されたコントローラを備えることができる。デバイスは、さらに、プロセッサにイメージデータを送信するように構成されたイメージソースモジュールを備えることができる。イメージソースモジュールは、レシーバ、トランシーバおよびトランスミッタのうちの少なくとも１つを備えることができる。いくつかの実施形態は、さらに、入力データを受け取り、かつ、受け取った入力データをプロセッサに通信するように構成された入力デバイスを備えている。
【００８４】
本発明の他の実施形態は、頂部表面および底部表面を有するカバー層と、頂部表面および底部表面を有する膜とを備えた光ガイドを備えており、膜の頂部表面には輪郭が付けられ、また、光ガイドプレートは、頂部表面および底部表面を有している。カバー層は、カバー層の底部表面および膜の輪郭が付けられた頂部表面がカバー層と膜の間に空胴を形成するように膜の上に配置されている。膜は、カバー層と光ガイドプレートの間に配置されている。膜は、カバー層、光ガイドプレートおよび膜の中を誘導された光が、カバー層、光ガイドプレートまたは膜の中をもはや誘導されないよう空胴で内部全反射するようにカバー層と光ガイドプレートの間に配置されている。いくつかの実施形態では、膜は、複数の表面レリーフフィーチャがインプリントされた頂部表面を備えている。複数の表面レリーフフィーチャは、細長いマイクロプリズムを備えることができる。複数の表面レリーフフィーチャは、互いに角度が付けられた少なくとも２つの隣接するファセットを備えることができる。隣接するファセットは、膜に対して異なる傾斜角を有することができる。いくつかの実施形態では、傾斜角は、膜の長さに沿って変化している。いくつかの実施形態では、２つの隣接するファセットは、湾曲した表面を備えている。マイクロプリズムは、多重ファセット化された隣接する面を備えることができる。いくつかの実施形態では、ファセットは、その上に反射コーティングを有している。いくつかの実施形態では、表面レリーフフィーチャ間の距離は、５０ミクロンから４５０ミクロンの範囲に及んでいる。表面レリーフフィーチャ間の距離は、膜の幅に沿って変化させることができる。膜は、光を注入することができる縁を備えることができ、表面レリーフフィーチャ間の距離は、縁からの距離が長くなるにつれて短くなっている。いくつかの実施形態では、光ガイドは、光を注入することができる縁を備えており、注入された光は、空胴で光ガイドから散乱させることができる。空胴は空気ポケットを備えることができる。空気ポケットは非対称であってもよい。空胴には充填材が充填されている。いくつかの実施形態では、充填材は反射型である。光ガイドは、光を注入することができる縁を備えることができ、さらに、縁に隣接して配置された光源を備えている。いくつかの実施形態では、光ガイドおよびカバー層は同じ屈折率を有している。いくつかの実施形態では、光ガイドプレートは、ディスプレイエレメントのアレイの上に配置されており、したがって光ガイドプレートは、カバー層よりもディスプレイエレメントの方に近くなっている。カバー層は、ディスプレイエレメントのアレイの上に、光ガイドプレートよりディスプレイエレメントの近くに配置することができる。カバー層は、ディスプレイエレメントのアレイを備えることができる。いくつかの実施形態では、カバー層の頂部表面と光ガイドプレートの底部表面は平行である。カバー層の頂部表面の第１の部分と光ガイドプレートの底部表面の第１の部分は、必ずしも平行でなくてもよい。いくつかの実施形態では、カバー層の頂部表面の第２の部分と光ガイドプレートの底部表面の第２の部分を平行にすることができる。カバー層の頂部表面と光ガイドプレートの底部表面は、必ずしも平行でなくてもよい。
【００８５】
本発明の他の実施形態は、平らな表面を有するカバー層と、第１および第２の表面を有する膜と、平らな頂部表面および底部表面を有する光ガイドプレートとを備えた光ガイドを備えている。膜の第１の表面は、複数の凹状表面レリーフフィーチャを備えており、膜の第２の表面は平らである。膜は、平らな第２の表面と光ガイドプレートが隣接し、第１の表面の凹状表面レリーフフィーチャが光ガイドプレートの反対側に面するように光ガイドプレートの上に配置されている。カバー層は、カバー層の平らな表面および膜の凹状表面フィーチャがカバー層と膜の間に空胴を形成するように膜に隣接して配置されている。カバー層、光ガイドプレートおよび膜の中を誘導された光は、光が、カバー層、光ガイドプレートまたは膜の中をもはや誘導されないよう、空胴で内部全反射させることができる。
【００８６】
いくつかの実施形態では、複数の凹状表面フィーチャは、細長いマイクロプリズムを備えている。複数の凹状表面レリーフフィーチャは、互いに角度が付けられた少なくとも２つの隣接するファセットを備えることができる。少なくとも２つの隣接するファセットは、互いに異なる傾斜角を有することができる。いくつかの実施形態では、複数の凹状表面レリーフフィーチャは、２つの垂直ファセットを備えている。２つの隣接するファセットは、湾曲した表面を備えることができる。マイクロプリズムは、多重ファセット化された隣接する面を備えることができる。いくつかの実施形態では、複数の凹状表面フィーチャは、その上に反射コーティングを有している。いくつかの実施形態では、空胴は空気ポケットを備えている。空胴には充填材を充填することができる。充填材は反射型であってもよい。いくつかの実施形態では、膜は、光ガイドプレートの平らな頂部表面に配置されている。膜は、光ガイドプレートの平らな底部表面に配置することができる。いくつかの実施形態では、カバー層は、ディスプレイエレメントのアレイの上に配置されている。カバー層は、ディスプレイエレメントのアレイを備えることができる。カバー層は、平らな頂部表面および底部表面を有する膜を備えることができる。いくつかの実施形態では、膜、カバー層および光ガイドプレートは同じ屈折率を有している。光ガイドは、光を注入することができる縁を備えることができる。注入された光は、空胴で光ガイドから散乱させることができる。いくつかの実施形態では、複数の凹状表面レリーフフィーチャは、縁を介して注入された光が空胴で屈折するように互いに角度が付けられた少なくとも２つの隣接するファセットを備えている。複数の凹状表面レリーフフィーチャは、縁を介して注入された光が空胴で内部全反射して方向転換するように互いに角度が付けられた少なくとも２つの隣接するファセットを備えることができる。カバー層は、さらに、平らな表面の反対側に配置された観察面を備えることができる。いくつかの実施形態では、観察面は平らである。いくつかの実施形態では、観察面は平らではない。
【００８７】
他の実施形態によれば、光を誘導するための第１の手段と、光を誘導するための第２の手段とを備えた光ガイドが開示される。第１および第２の光誘導手段は、それぞれ、第１および第２の光誘導手段を一体に整合させるための手段を有している。第１および第２の光誘導手段の両方のための整合手段は、第１および第２の光誘導手段が一体に整合するように輪郭が付けられている。それらの間に光を反射させるための手段が形成されている。第１および第２の光誘導手段のうちの一方の整合手段の輪郭は突出部を備えている。第１および第２の光誘導手段のうちのもう一方の整合手段の輪郭は凹所を備えている。突出部の形状および凹所の形状は同じ形状ではなく、突出部は凹所の中に突出している。
【００８８】
いくつかの実施形態では、第１の光誘導手段は、光ガイドの上部部分を備えており、第２の光誘導手段は、光ガイドの下部部分を備えている。第１の光誘導手段の整合手段は、上部部分の底部表面を備えることができ、第２の光誘導手段の整合手段は、下部部分の頂部表面を備えることができる。反射手段は光空胴を備えることができる。いくつかの実施形態では、第１の誘導手段は、頂部表面および底部表面を備えている。いくつかの実施形態では、第２の誘導手段は、頂部表面および底部表面を備えており、第１の誘導手段の底部表面と第２の誘導手段の頂部表面は隣接して配置されている。いくつかの実施形態では、光を反射させる手段は、光ガイドの中を伝搬する光を第２の誘導手段の底部表面に向けて方向転換させるように構成されている。第１および第２の誘導手段は、それぞれ、輪郭が付けられた、表面レリーフフィーチャを備えた表面を有する１つまたは複数の膜を備えることができる。いくつかの実施形態では、第１の誘導手段の底部表面および第２の誘導手段の頂部表面は、複数の細長い溝を備えている。いくつかの実施形態では、これらの溝は、傾斜した平らな表面を備えている。いくつかの実施形態では、第１の誘導手段の底部表面のこれらの溝のうちの１つまたは複数が同じ形状を有しているか、あるいは第２の誘導手段の頂部表面のこれらの溝のうちの１つまたは複数が同じ形状を有している。いくつかの実施形態では、これらの溝は非対称である。いくつかの実施形態では、これらの溝と溝の間の距離は、第１の誘導手段または第２の誘導手段の長さ全体にわたって変化している。いくつかの実施形態では、これらの溝と溝の間の距離は、約５０ミクロンないし約４５０ミクロンである。いくつかの実施形態では、第１の誘導手段の頂部表面と第２の誘導手段の底部表面は平行である。いくつかの実施形態では、第１の誘導手段の頂部表面と第２の誘導手段の底部表面は平行ではない。いくつかの実施形態では、表面レリーフフィーチャは、複数の細長いマイクロプリズムを備えている。いくつかの実施形態では、マイクロプリズムは、それぞれ、互いに角度が付けられた少なくとも２つの隣接するファセットを備えている。いくつかの実施形態では、マイクロプリズムは湾曲した表面を備えている。いくつかの実施形態では、マイクロプリズムは、それぞれ多重ファセット化された２つの面を備えている。いくつかの実施形態では、少なくとも２つの隣接するファセットは、膜のうちの少なくとも１つの平らな表面に対して異なる傾斜角を有している。いくつかの実施形態では、マイクロプリズムの傾斜角は、膜のうちの少なくとも１つの長さに沿って変化している。いくつかの実施形態では、反射手段と反射手段の間の距離は、約５０ミクロンと約４５０ミクロンの間である。いくつかの実施形態では、隣接する反射手段と反射手段の間の距離が変化している。いくつかの実施形態では、いずれの特許請求項においても、第１および第２の誘導手段は、光を光ガイドに入射させるように構成された縁を備えている。いくつかの実施形態では、さらに、縁に隣接して配置された光源を備えている。いくつかの実施形態では、隣接する反射手段と反射手段の間の距離は、縁からの距離が長くなるにつれて短くなっている。いくつかの実施形態では、光を反射させる手段は、空気ポケットを備えた空胴を備えている。いくつかの実施形態では、空気ポケットは非対称である。いくつかの実施形態では、光を反射させる手段は、充填材を含有した空胴を備えている。いくつかの実施形態では、デバイスは、さらに、ディスプレイエレメントのアレイ、ディスプレイエレメントと電気通信している、イメージデータを処理するように構成されたプロセッサ、およびプロセッサと電気通信しているメモリ素子を備えている。デバイスは、さらに、ディスプレイエレメントに少なくとも１つの信号を送信するように構成されたドライバ回路を備えることができる。いくつかの実施形態では、さらに、ドライバ回路にイメージデータの少なくとも一部を送信するように構成されたコントローラを備えている。いくつかの実施形態では、さらに、プロセッサにイメージデータを送信するように構成されたイメージソースモジュールを備えている。いくつかの実施形態では、イメージソースモジュールは、レシーバ、トランシーバおよびトランスミッタのうちの少なくとも１つを備えている。いくつかの実施形態では、さらに、入力データを受け取り、かつ、受け取った入力データをプロセッサに通信するように構成された入力デバイスを備えている。いくつかの実施形態によれば、光を誘導するための第１の手段と、光を誘導するための第２の手段と、第２の光誘導手段を覆うための手段とを備えた光ガイドが開示される。覆うための手段は、カバー手段と第１の光誘導手段の間に第２の光誘導手段が位置するように配置することができる。第２の光誘導手段およびカバー手段は、それぞれ、第２の光誘導手段およびカバー手段を一体に整合させるための手段を有することができる。第２の光誘導手段のための整合手段には、第２の光誘導手段およびカバー手段が一体に整合されると、それらの間に光を反射させるための手段を形成することができるように輪郭を付けることができる。カバー手段、第１の光誘導手段および第２の光誘導手段は、カバー手段、第１の光誘導手段および第２の光誘導手段の中を誘導された光が、もはやカバー手段、第１の光誘導手段または第２の光誘導手段の中を誘導されないよう、反射手段で内部全反射するように配置することができる。いくつかの実施形態では、第１の光誘導手段は光ガイドプレートを備えている。いくつかの実施形態では、第２の光誘導手段は膜を備えている。いくつかの実施形態では、カバー手段はカバー層を備えている。いくつかの実施形態では、第２の光誘導手段のための整合手段は、膜の上に表面を備えており、また、カバー手段のための整合手段は、カバー層の上に表面を備えている。いくつかの実施形態では、反射手段は光空胴を備えている。いくつかの実施形態では、カバー手段は、カバー頂部表面およびカバー底部表面を備えており、第１の誘導手段は、第１の頂部表面および第１の底部表面を備えており、また、第２の誘導手段は、第２の頂部表面および第２の底部表面を備えている。いくつかの実施形態では、カバー手段の頂部表面と第２の誘導手段の底部表面は平行である。いくつかの実施形態では、カバー頂部表面と第２の底部表面は隣接して配置されており、第２の底部表面に輪郭が付けられている。また、第１の底部表面と第２の頂部表面は隣接して配置されている。いくつかの実施形態では、カバー底部表面と第２の頂部表面は隣接して配置されており、第２の頂部表面に輪郭が付けられている。また、第２の底部表面と第１の頂部表面は隣接して配置されている。いくつかの実施形態では、カバー頂部表面の一部と第２の底部表面の一部は平行ではない。いくつかの実施形態では、第２の誘導手段は、複数の表面レリーフフィーチャがインプリントされた頂部表面を備えている。いくつかの実施形態では、複数の表面レリーフフィーチャは、細長いマイクロプリズムを備えている。いくつかの実施形態では、複数の表面レリーフフィーチャは、互いに角度が付けられた複数の隣接するファセットを備えている。いくつかの実施形態では、マイクロプリズムは、多重ファセット化された隣接する面を備えている。いくつかの実施形態では、複数の隣接するファセットは、第２の誘導手段に対して異なる傾斜角を有している。いくつかの実施形態では、複数の隣接するファセットは、湾曲した表面を備えている。いくつかの実施形態では、傾斜角は、第２の誘導手段の長さに沿って変化している。いくつかの実施形態では、反射手段は、その上に反射コーティングを有するファセットを備えている。いくつかの実施形態では、反射手段と反射手段の間の距離は、約５０ミクロンと約４５０ミクロンの間である。いくつかの実施形態では、反射手段と反射手段の間の距離は、第２の誘導手段に沿って変化している。いくつかの実施形態では、第１または第２の誘導手段は、光を注入することができる縁を備えており、反射手段と反射手段の間の距離は、縁からの距離が長くなるにつれて短くなっている。いくつかの実施形態では、反射手段は空気ポケットを備えている。いくつかの実施形態では、反射手段は非対称である。いくつかの実施形態では、反射手段は、充填材が充填された空胴を備えている。いくつかの実施形態では、充填材は反射型である。いくつかの実施形態では、さらに、第１または第２の誘導手段の縁に隣接して配置された光源を備えており、縁は、光源から光ガイドの中へ光を受け取るように構成されている。いくつかの実施形態では、第２の誘導手段、第１の誘導手段およびカバー手段は、実質的に同じ屈折率を有している。いくつかの実施形態では、第１の誘導手段は、ディスプレイエレメントのアレイに隣接して配置されており、第１の誘導手段は、カバー手段よりもディスプレイエレメントの近くに配置されている。いくつかの実施形態では、第２の誘導手段は、複数の凹状表面レリーフフィーチャを備えている。いくつかの実施形態では、複数の凹状表面レリーフフィーチャのうちの１つまたは複数は、２つの垂直ファセットを備えている。いくつかの実施形態では、複数の凹状表面レリーフフィーチャのうちの１つまたは複数は、光ガイドの中を伝搬する光が凹状表面レリーフフィーチャで屈折するように互いに角度が付けられた少なくとも２つの隣接するファセットを備えている。いくつかの実施形態では、複数の凹状表面レリーフフィーチャは、光ガイドの中を伝搬する光が表面レリーフフィーチャでの内部全反射によって方向転換するように互いに角度が付けられた少なくとも２つの隣接するファセットを備えている。いくつかの実施形態では、デバイスは、さらに、ディスプレイエレメントのアレイ、ディスプレイエレメントと電気通信している、イメージデータを処理するように構成されたプロセッサ、およびプロセッサと電気通信しているメモリ素子を備えている。いくつかの実施形態では、光ガイドは、さらに、ディスプレイエレメントに少なくとも１つの信号を送信するように構成されたドライバ回路を備えている。いくつかの実施形態では、光ガイドは、さらに、ドライバ回路にイメージデータの少なくとも一部を送信するように構成されたコントローラを備えている。いくつかの実施形態では、光ガイドは、さらに、プロセッサにイメージデータを送信するように構成されたイメージソースモジュールを備えている。いくつかの実施形態では、イメージソースモジュールは、レシーバ、トランシーバおよびトランスミッタのうちの少なくとも１つを備えている。いくつかの実施形態では、光ガイドは、さらに、入力データを受け取り、かつ、受け取った入力データをプロセッサに通信するように構成された入力デバイスを備えている。
【００８９】
また、光ガイドを製造する方法であって、輪郭が付けられた第１の表面を第１の光誘導手段の底部表面に形成するステップと、輪郭が付けられた第２の表面を第２の光誘導手段の頂部表面に形成するステップと、第１の誘導手段と第２の誘導手段の間に１つまたは複数の光空胴を形成するために、第１の誘導手段の輪郭が付けられた第１の表面および第２の誘導手段の輪郭が付けられた第２の表面を接続するステップとを含み、輪郭が付けられた第１および第２の表面のうちの一方が突出部を備え、輪郭が付けられた第１および第２の表面のうちのもう一方が凹所を備え、突出部の形状および凹所の形状が同じ形状ではなく、突出部が凹所の中に突出している方法が開示される。
【００９０】
いくつかの実施形態では、第１および第２の誘導手段の光ガイドを製造するステップには、膜を形成するステップが含まれている。いくつかの実施形態では、光ガイドを製造する方法には、さらに、１つまたは複数の光空胴に充填材を充填するステップが含まれている。いくつかの実施形態では、表面レリーフフィーチャはマイクロプリズムを備えている。いくつかの実施形態では、光ガイドを製造する方法における第１および第２の表面レリーフフィーチャを形成するステップには、頂部表面および底部表面をエンボスするステップが含まれている。いくつかの実施形態では、第１および第２の表面レリーフフィーチャを形成するステップには、射出成形によって頂部表面および底部表面を形成するステップが含まれている。いくつかの実施形態では、充填材は、第１の誘導手段または第２の誘導手段の材料の屈折率とは異なる屈折率を有している。
【００９１】
また、光ガイドを製造する方法であって、第１の光誘導手段を提供するステップと、第２の光誘導手段を提供するステップと、カバーを配置するステップであって、カバーと第２の誘導手段の間に反射手段が形成されるように、また、カバーと第１の誘導手段の間に第２の誘導手段が位置するように第２の誘導手段の上にカバーを配置するステップと、カバー、第１の誘導手段および第２の誘導手段を配置するステップであって、カバー、第１の誘導手段および第２の誘導手段の中を誘導された光が、もはやカバー、第１の誘導手段または第２の誘導手段の中を誘導されないよう、反射手段で内部全反射するように配置するステップとを含む方法が開示される。
【００９２】
いくつかの実施形態では、第１の誘導手段は、頂部表面および底部表面を備えており、第２の誘導手段は、第２の誘導手段の底部表面と第１の誘導手段の頂部表面が隣接するように頂部表面および底部表面を備えており、第２の誘導手段の頂部表面に輪郭が付けられ、カバーが第２の誘導手段の輪郭が付けられた頂部表面に配置され、反射手段は、光ガイドを通って伝搬する光の少なくとも一部を第１の誘導手段の底部表面に向かって方向転換させるように構成されている。いくつかの実施形態では、第１および第２の誘導手段は膜を備えている。いくつかの実施形態では、反射手段は、１つまたは複数の光空胴を備えている。いくつかの実施形態では、この方法には、さらに、１つまたは複数の光空胴に充填材を充填するステップが含まれている。いくつかの実施形態では、第２の誘導手段の輪郭が付けられた頂部表面は表面レリーフフィーチャを備えている。いくつかの実施形態では、この方法には、さらに、第２の誘導手段の頂部表面をエンボスすることによって表面レリーフフィーチャを形成するステップが含まれている。いくつかの実施形態では、この方法には、さらに、射出成形によって第２の誘導手段の頂部表面に表面レリーフフィーチャを形成するステップが含まれている。いくつかの実施形態では、光源は、光ガイドプレート、カバー層および膜の縁に沿って配置されている。いくつかの実施形態では、照明のための手段は、第１の誘導手段、カバー手段および第２の誘導手段に沿って配置されている。いくつかの実施形態では、照明のための手段は、第１の誘導手段、カバー手段および第２の誘導手段に沿って配置されている。いくつかの実施形態では、膜および光ガイドプレートは、屈折率整合接着剤を使用して結合されている。いくつかの実施形態では、第１および第２の誘導手段は、屈折率整合接着剤を使用して結合されている。いくつかの実施形態では、第１および第２の誘導手段は、屈折率整合接着剤を使用して結合されている。いくつかの実施形態では、空胴は、ディスプレイの中に光を導いている。いくつかの実施形態では、反射手段は、表示のための手段の中に光を導いている。
【符号の説明】
【００９３】
２  線形光源
３  フロント光ガイド（光ガイドプレート）
４  ディスプレイパネル（ディスプレイ、ディスプレイエレメント）
５、６  光ガイドに注入された光（光ビーム、線形光源からの光、光線、光）
７  変調光線（光）
８  周辺光線
１２ａ、１２ｂ  分岐干渉変調器
１４、１４ａ、１４ｂ  可動反射層（金属材料の条片）
１５  多重ファセット化された方向転換表面に異なる高さで衝突する光線
１６、１６ａ、１６ｂ  光学スタック（行電極）
１８  ポスト（サポート）
１９  ギャップ
２０  基板
２１  プロセッサ（システムプロセッサ）
２２  アレイドライバ
２４  行ドライバ回路
２６  列ドライバ回路
２７  ネットワークインタフェース
２８  フレームバッファ
２９  ドライバコントローラ
３０  パネル（ディスプレイ、ディスプレイアレイ）
３２  テザー
３４  変形可能層
４０  ディスプレイデバイス
４１  ハウジング
４２  サポートポストプラグ
４３  アンテナ
４４  バス構造
４５  スピーカ
４６  マイクロホン
４７  トランシーバ
４８  入力デバイス
５０  電源
５２  条件付けハードウェア
１０３、２０３、２２３、３０３、６０３、６２３、７０３  フロント光ガイドパネルまたはプレート（フロント光ガイド、光ガイド、光ガイドパネル、光ガイドプレート）
１３１、２３１、６３１、７３１、１０３１  光射出面（射出面、光ガイドプレートの背面）
１３２、１０３２  観察面（光ガイドプレートの前面）
１３３、２３３、６３３、７３３、１０３３  光入射表面
１３５、１３７  構造化された表面
１３６  重合体膜（底部膜）
１３８  重合体膜（頂部膜）
１４０  光方向転換フィーチャ
１４０ａ、１４０ｂ、２４０、３４０、６４０、７４０  表面レリーフフィーチャ（表面フィーチャ）
１４２  マイクロプリズム
１４３  スペーサ
１４４  溝
１５０、２５０、３５０、６５０、７５０  空胴
２３８、６３８  膜（エンボス膜）
２４２、２４４、３４２、３４４、６４２、６４４、７４２、７４４、１０４２、１０４４  ファセット（方向転換ファセット、単一ファセット化表面、傾斜側壁）
２６０、６６０、７６０  カバー層
２８０  反射コーティング
４４２、４４４  多重ファセット化表面（多重ファセット化された方向転換表面）
５４２、５４４  方向転換表面（湾曲した表面、方向転換ファセット）
１００３  薄いスラブ形光ガイドパネル（光ガイド）
１０４０  プリズム微細構造
【国際調査報告】
2010526341.tif 000031
2010526341.tif 000032